(57)【特許請求の範囲】
【請求項１】
遊技機に対応して設けられる遊技用装置を含む遊技用システムであって、
前記遊技用装置は、
遊技者が所有する複数種類の付与レート毎の所有価値を特定する所有価値特定手段と、
当該遊技用装置に対応する一の付与レート以外の他の付与レートの前記所有価値を使用して、遊技機での遊技に使用可能な該一の付与レートに対応する遊技用価値を付与するための乗入れ付与処理を実行する乗入れ付与処理手段と、を備え、
前記遊技用システムは、
過去の乗入れ付与処理に使用された他の付与レートの所有価値の累積値に、今回の乗入れ付与処理に使用される当該他の付与レートの所有価値を仮加算した、第１仮加算後累積値が第１の上限値に達する場合に乗入れ付与処理の実行を制限する一方、前記第１仮加算後累積値が前記第１の上限値に達する場合であっても前記第１の上限値を超えない範囲での部分乗入れ処理を実行可能とする第１の制限手段と、
過去の乗入れ付与処理により付与された一の付与レートに対応する遊技用価値の累積値に、今回の乗入れ付与処理により付与される当該一の付与レートの所有価値を仮加算した、第２仮加算後累積値が第２の上限値に達する場合に乗入れ付与処理の実行を制限する一方、前記第２仮加算後累積値が前記第２の上限値に達する場合であっても前記第２の上限値を超えない範囲での部分乗入れ処理を実行可能とする第２の制限手段と、を少なくとも含み、
前記第１の制限手段及び前記第２の制限手段を含む複数の制限手段のうちのいずれにより乗入れ付与処理の実行の制限を行うかを設定可能な制限種別設定手段をさらに含むことを特徴とする遊技用システム。
【発明の詳細な説明】
【技術分野】
【０００１】
本発明は、遊技機に対応して設けられる遊技用装置を含む遊技用システムに関する。
【背景技術】
【０００２】
従来より、特許文献１に示されるように、持遊技媒体若しくは貯遊技媒体の残高を減算して遊技媒体を払い出す通常再プレイと、払い出す遊技媒体の遊技種と異なる遊技種の持遊技媒体若しくは貯遊技媒体の残高を減算して遊技媒体を払い出す乗入れ再プレイとが可能な遊技媒体管理システムにおいて、該通常再プレイ及び乗入れ再プレイが可能な遊技媒体数に上限を設けて、再プレイを制限することが開示されている。具体的には、持遊技媒体若しくは貯遊技媒体の残高を、払い出す遊技媒体（例えば玉４円）の遊技種に換算し、前記上限の範囲内で、該換算後の遊技媒体を払い出すことが可能とされている。
【先行技術文献】
【特許文献】
【０００３】
【特許文献１】特開２０１５−３９５８７号公報（段落０１７０〜０１７２）
【発明の概要】
【発明が解決しようとする課題】
【０００４】
しかしながら、特許文献１に示されるような従来の技術では、払い出す遊技媒体の遊技種に換算したものが上限の範囲内である場合に乗入れ再プレイ（乗入れ付与処理）が可能とされるものに限られるため、どのような条件で乗入れ付与処理の実行を制限するかを遊技場が設定することができないという問題が有る。
【０００５】
本発明は、このような背景のもとになされたものであり、その目的は、乗入れ付与処理の実行の制限について、遊技場が条件を設定できるような、遊技用システムを提供することにある。
【課題を解決するための手段】
【０００６】
本発明は、前記課題を解決するために、次のような手段を採る。なお後述する発明を実施するための形態の説明及び図面で使用した符号を参考のために括弧書きで付記するが、本発明の構成要素は該付記したものには限定されない。
【０００７】
まず手段１に係る発明は、
遊技機（パチンコ機２）に対応して設けられる遊技用装置（第４実施形態に係るカードユニット３）を含む遊技用システム（１）であって、
前記遊技用装置は、
遊技者が所有する複数種類の付与レート毎（例えば４円と１円）の所有価値（貯玉数）を特定する所有価値特定手段（会員管理装置１５０との通信により会員カードの会員番号に対応した各口座の貯玉数を特定する制御ユニット３２８）と、
当該遊技用装置に対応する一の付与レート以外の他の付与レートの前記所有価値を使用して、遊技機での遊技に使用可能な該一の付与レートに対応する遊技用価値を付与するための乗入れ付与処理（Ｓ１３４の貯玉払出処理、Ｓ２０７０又はＳ３０３０の乗入れ払出）を実行する乗入れ付与処理手段（制御ユニット３２８）と、を備え、
前記遊技用システムは、
過去の乗入れ付与処理に使用された他の付与レートの所有価値の累積値に、今回の乗入れ付与処理に使用される当該他の付与レートの所有価値を仮加算した、第１仮加算後累積値が第１の上限値に達する（Ｓ５１１２でＮの）場合に乗入れ付与処理の実行を制限する一方、前記第１仮加算後累積値が前記第１の上限値に達する場合であっても前記第１の上限値を超えない範囲での部分乗入れ処理を実行可能とする第１の制限手段（Ｓ５１１５又はＳ５１１６の処理を行うカードユニット３の制御ユニット３２８）と、
過去の乗入れ付与処理により付与された一の付与レートに対応する遊技用価値の累積値に、今回の乗入れ付与処理により付与される当該一の付与レートの所有価値を仮加算した、第２仮加算後累積値が第２の上限値に達する（Ｓ５１２２でＮの）場合に乗入れ付与処理の実行を制限する一方、前記第２仮加算後累積値が前記第２の上限値に達する場合であっても前記第２の上限値を超えない範囲での部分乗入れ処理を実行可能とする第２の制限手段（Ｓ５１２５又はＳ５１２６の処理を行うカードユニット３の制御ユニット３２８）と、を少なくとも含み、
前記第１の制限手段及び前記第２の制限手段を含む複数の制限手段のうちのいずれにより乗入れ付与処理の実行の制限を行うかを設定する制限種別設定手段（Ｄ５００１を表示する会員管理装置１５０の表示装置１５７）をさらに含むことを特徴とする遊技用システムである。
これによれば、乗入れ付与処理の実行の制限について、遊技場が条件を設定できるので、好適に営業を行うことを可能にできる。
【０００８】
また手段２に係る発明は、
手段１に記載した遊技用システムであって、
前記付与レートの種類毎に、前記第１の上限値又は前記第２の上限値を設定する上限値設定手段（Ｄ５００２を表示する会員管理装置１５０の表示装置１５７）をさらに含むことを特徴とする遊技用システムである。
これによれば、遊技の幅が広がり、興趣の向上が見込まれるので、遊技機の稼働を向上できる。
【０００９】
また手段３に係る発明は、
手段１に記載した遊技用システムであって、
前記付与レートの種類にかかわらず共通に適用される、前記第１の上限値又は前記の第２上限値を設定する上限値設定手段（Ｄ５００２を表示する会員管理装置１５０の表示装置１５７）をさらに含むことを特徴とする遊技用システムである。
これによれば、付与レートの種類毎に累積値を管理して上限値に達するかを判定しなくてよいので、該判定の負担を軽減できる。
【００１０】
また手段４に係る発明は、
手段１〜３のいずれか１つに記載した遊技用システムであって、
前記累積値が前記第１の上限値又は前記第２の上限値に達する場合に、該上限値に達するまでの範囲内で前記乗入れ付与処理を実行する部分乗入れ付与処理（Ｓ５１１５，Ｓ５１２５，Ｓ５１３５，Ｓ５２１５，Ｓ５２２５，Ｓ５２３５）を、前記乗入れ付与処理手段により実行することを特徴とする遊技用システムである。
これによれば、上限値に達するまでの範囲内で前記乗入れ付与処理を実行するので、遊技者が不利益を被ることなく遊技をさせることができる。
【００１１】
また手段５に係る発明は、
手段４に記載した遊技用システムであって、
前記遊技用装置は、前記部分乗入れ付与処理の実行を特定可能に報知する第１報知手段をさらに備えることを特徴とする遊技用システムである。
これによれば、遊技者に不信感を与えることを防止できる。
【００１２】
また手段６に係る発明は、
手段１〜５のいずれか１つに記載した遊技用システムであって、
前記遊技用装置は、前記上限値に達するまでに実行可能な乗入れ付与処理の回数を特定可能に報知する第２報知手段をさらに備えることを特徴とする遊技用システムである。
これによれば、遊技者に不信感を与えることを防止できる。
【００１３】
また手段７に係る発明は、
手段１〜６のいずれか１つに記載した遊技用システムであって、
複数種類の付与レートの所有価値のうち、前記乗入れ付与処理において乗入れ元とする付与レートの所有価値の優先順位を設定可能な優先順位設定手段（持玉管理装置１４０の共通優先順位テーブル）をさらに含み、
前記優先順位設定手段は、前記乗入れ付与処理を実行する前記遊技用装置に対応する付与レートが異なる場合であっても共通に、前記優先順位を設定可能であることを特徴とする遊技用システムである。
これによれば、乗入れ付与処理において乗入れ元とする付与レートの所有価値の優先順位を好適に設定可能である。
【００１４】
また手段８に係る発明は、
手段１〜６のいずれか１つに記載した遊技用システムであって、
前記遊技用装置は、複数種類の付与レートの所有価値のうち、前記乗入れ付与処理において乗入れ元とする付与レートの所有価値の優先順位を設定するための操作を受け付ける操作手段（カードユニット３の透明タッチパネル３１４）をさらに備え、
前記操作手段は、前記乗入れ付与処理を実行する前記遊技用装置に対応する付与レートが異なる場合であっても共通に、前記優先順位を設定するための操作を受付可能であることを特徴とする遊技用システムである。
これによれば、乗入れ付与処理において乗入れ元とする付与レートの所有価値の優先順位を好適に設定可能となる。
【００１５】
また手段９に係る発明は、
手段１〜８のいずれか１つに記載した遊技用システムであって、
前記遊技用装置は、
遊技媒体を計数する計数手段（計数・端数払出ユニット３４０）と、
計数された遊技媒体数（持玉数）の範囲内で遊技媒体を付与するための計数付与処理（Ｓ１１１０の持玉払出）を実行する計数付与処理手段（制御ユニット３２８）と、
前記乗入れ付与処理を実行するための乗入れ操作（Ｓ２０３０，Ｓ２０４０，及びＳ２０６０の手順からなる操作）を受け付ける乗入れ操作受付手段（タッチパネル３１４）と、
前記乗入れ操作の途中に遊技媒体が計数されたことに基づいて、前記計数付与処理が実行可能となることを特定可能に報知する報知手段（計数の発生に伴い「持玉を使用できます。」を表示する表示部３１２）と、をさらに備えることを特徴とする遊技用システムである。
これによれば、乗入れ付与処理を実行せずとも遊技媒体の付与が可能となることを把握できるため遊技者の利便性を高めることができる。
これによれば、。
【００１６】
さらに手段１０に係る発明は、
手段１〜９のいずれか１つに記載した遊技用システムであって、
前記遊技用装置は、
遊技媒体を計数する計数手段（計数・端数払出ユニット３４０）と、
計数された遊技媒体数（持玉数）の範囲内で遊技媒体を付与するための計数付与処理（Ｓ１１１０の持玉払出）を実行する計数付与処理手段（制御ユニット３２８）と、
前記遊技媒体の計数に基づく所有価値（貯玉数）を特定する所有価値特定手段（会員管理装置１５０との通信により会員カードの会員番号に対応した各口座の貯玉数を特定する制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、をさらに備え、
前記乗入れ付与処理手段は、当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理を実行可能であり、
前記遊技用装置は、
操作（タッチ操作）を受け付ける操作受付手段（タッチパネル３１４）と、
所定操作（Ｓ４１１０の貯玉移行ボタンの操作）を受け付けたときに、計数された遊技媒体数（持玉数）の少なくとも一部（例えば１２０玉計数されたうちの５５玉）を当該遊技用装置に対応する付与レートの所有価値（制御ユニット３２８が記憶する基本単価に対応した口座の貯玉数）に移行させるための移行処理（Ｓ４１１１の貯玉移行通知の送信）を実行可能な移行処理手段（制御ユニット３２８）と、をさらに備えることを特徴とする遊技用システムである。
これによれば、遊技者の操作により、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【図面の簡単な説明】
【００１７】
【図１】遊技用システムの全体像を示すシステム構成図である。
【図２】遊技用システムに用いたパチンコ機、カードユニットを示す正面図である。
【図３】カードユニットの構成を示すブロック図である。
【図４】残額管理装置の構成を示すブロック図である。
【図５】残額管理テーブルの一例を示す図である。
【図６】持玉管理装置の構成を示すブロック図である。
【図７】持玉管理テーブルの一例を示す図である。
【図８】ＣＵ管理テーブルの一例を示す図である。
【図９】会員管理装置の構成を示すブロック図である。
【図１０】貯玉管理テーブルの一例を示す図である。
【図１１】持玉管理装置の表示装置に表示される優先順位設定画面の一例を示す図である。
【図１２】持玉管理装置の表示装置に表示される制限設定画面の一例を示す図である。
【図１３】持玉管理装置の記憶装置で記憶される共通優先順位テーブルの一例を示す図である。
【図１４】持玉管理装置の記憶装置で記憶される会員毎優先順位テーブルの一例を示す図である。
【図１５】カードユニットが実行するメインルーチンの一例を示す図である。
【図１６】カードユニットが実行するサブルーチンである持玉払出処理（またがり乗入れ無し）の一例を示す図である。
【図１７】カードユニットが実行するサブルーチンである持玉払出処理（またがり乗入れ有り）の一例を示す図である。
【図１８】カードユニットの液晶表示器に表示される画面の一例を示す図であり、（ａ）は基本表示画面（またがり乗入れ無し），（ａ’）は基本表示画面（またがり乗入れ有り），（ｂ）は優先順位表示画面，（ｃ）は乗入れ払出中表示画面である。
【図１９】持玉管理装置の記憶装置で記憶される乗入れ履歴テーブルの一例を示す図である。
【図２０】遊技用システムで貯玉払出及び持玉払出が実行される場合の動作の流れを示す図である。
【図２１】遊技用システムで１回目の乗入れ払出が実行される場合の動作の流れを示す図である。
【図２２】遊技用システムで２回目の乗入れ払出が実行された後に会員カードが返却される場合の動作の流れを示す図である。
【図２３】必要計数玉数算出処理を示すフローチャートである。
【図２４】遊技用システムで計数処理が行われる場合の動作の流れを示す図である。
【図２５】遊技用システムで貯玉移行処理が行われる場合の動作の流れを示す図である。
【図２６】貯玉移行数算出処理を示すフローチャートである。
【図２７】遊技用システムで貯玉払出及び持玉払出、並びに乗入れ払出が実行される場合の表示情報を示す図である。
【図２８】遊技用システムで貯玉移行処理及び乗入れ払出が実行される場合の表示情報を示す図である。
【図２９】貯玉移行処理による貯玉数及び持玉数の変化の例を示す図である。
【図３０】第３実施形態の遊技用システムで計数処理が行われる場合の動作の流れを示す図である。
【図３１】第３実施形態の遊技用システムで貯玉移行処理が行われる場合の動作の流れを示す図である。
【図３２】貯玉移行処理による貯玉数及び持玉数の変化の例を示す図である。
【図３３】第４実施形態に係る遊技用システムにおいて、会員管理装置の記憶装置が記憶している、再プレイ消費玉数管理テーブルの一例を示す図であり、（ａ）は累計ver.，（ｂ）は減算ver.である。
【図３４】第４実施形態に係る遊技用システムにおいて、会員管理装置の表示装置に表示される、乗入れ再プレイ設定画面の一例を示す図である。
【図３５】第４実施形態に係る遊技用システムにおいて、再プレイが行われた場合における、カードユニットが記憶している再プレイ消費玉数の、累計ver.の更新を示す図である。
【図３６】第４実施形態に係る遊技用システムにおいて、カードユニットが実行する上限判定処理の、累計ver.を示すフローチャートである。
【図３７】第４実施形態に係る遊技用システムにおいて、部分乗入れ処理が行われた場合における、カードユニットが記憶している再プレイ消費玉数の、累計ver.の更新を示す図である。
【図３８】第４実施形態に係る遊技用システムにおいて、カードユニットが実行する上限判定処理の、累計ver.の変形例を示すフローチャートである。
【図３９】第４実施形態に係る遊技用システムにおいて、再プレイが行われた場合における、カードユニット３が記憶している再プレイ消費玉数の、減算ver.の更新を示す図である。
【図４０】第４実施形態に係る遊技用システムにおいて、カードユニットが実行する上限判定処理の、減算ver.を示すフローチャートである。
【図４１】第４実施形態に係る遊技用システムにおいて、部分乗入れ処理が行われた場合における、カードユニットが記憶している再プレイ消費玉数の、減算ver.の更新を示す図である。
【図４２】第４実施形態に係る遊技用システムにおいて、カードユニットが実行する上限判定処理の、減算ver.の変形例を示すフローチャートである。
【発明を実施するための形態】
【００１８】
以下、図面を参照して、本発明に係る遊技用装置及び遊技用システムを実施するための形態を説明する。以下においては、遊技用システムの構成について説明した後に、第１実施形態〜第４実施形態について説明する。
【００１９】
［遊技用システムの構成］
まず、図１は、本発明の実施の形態に係る遊技用システム１の全体像を示すシステム構成図である。遊技用システム１は、遊技場内に複数配置される各遊技島（図示略）に並設される遊技機であるカードリーダ式パチンコ機（以下パチンコ機と略称する）２と、パチンコ機２の所定側の側方位置に該パチンコ機２に対して１対１に対応設置され、会員登録をしていない一般の遊技者に対して発行される遊技用記録媒体でありプリペイド機能を備えるビジターカードや、該遊技場に会員登録した会員遊技者に対して発行される遊技用記録媒体でありプリペイド機能を備える会員カードを受け付けて、遊技機における遊技に使用される遊技媒体であるパチンコ玉を貸し出したり払い出すための処理や、対応するパチンコ機２における遊技にて獲得されたパチンコ玉を計数すると共に、該計数済みのパチンコ玉数の範囲内のパチンコ玉の払出（返却）を行うカードユニット３と、カードユニット３にて使用されるビジターカードや会員カードのプリペイド残額の管理等を行う残額管理装置１００と、各カードユニット３において計数された計数済玉数を持玉数として管理する持玉数管理を行う持玉管理装置１４０や、会員カードを所持する会員遊技者が再度の遊技に使用可能に所有する所有価値としての貯玉数の管理を行う会員管理装置１５０と、遊技場内の景品カウンタに設けられて景品交換を行うための景品交換用ＰＯＳ端末１７０と、から主に構成されている。
【００２０】
ここで計数済玉数は、カードユニット３にて計数された後、未だ持玉管理装置１４０において管理されておらず、計数の当日のみ使用可能な玉数であり、持玉数は、前記計数された当日に、持玉管理装置１４０において管理されており、該管理された当日のみ使用可能な玉数であり、貯玉数は、前記計数済玉数又は前記持玉数が貯玉管理装置１５０において管理され、翌日以降も使用可能な玉数である。そして第１実施形態では、一の遊技者における計数済玉数と持玉数の合算値を当日玉数と称する。
【００２１】
これら本実施の形態の遊技用システム１を構成する各装置は、図１に示すように、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ＬＡＮに接続されているこれら各装置には、当該装置を個々に識別可能な装置ＩＤが付与されている。なお、カードユニット３は遊技機と１対１に対応して設けられており、カードユニット３を識別することによって対応する遊技機も識別可能となるため、以下の説明において、カードユニット３の装置ＩＤを「台番号」と称する場合がある。
【００２２】
この実施の形態において、各カードユニット３と会員管理装置１５０とは、持玉管理装置１４０を介して通信を行うものとする。即ち、持玉管理装置１４０は、カードユニット３と会員管理装置１５０との間の通信を中継するものである。また、持玉管理装置１４０には、通信可能に接続された各カードユニット３の装置ＩＤ（台番号）とローカルＩＰアドレスとが対応付けられた不図示のＩＰアドレステーブルが記憶されている。これにより、カードユニット３のローカルＩＰアドレスから当該カードユニット３の装置ＩＤを特定可能であり、カードユニット３の装置ＩＤから当該カードユニット３のローカルＩＰアドレスを特定可能である。
【００２３】
なお、本実施の形態の残額管理装置１００は、上述したように、各会員カード並びに各ビジターカードに残存するプリペイド残額（遊技用価値）を管理していると共に、通信回線１１を介して、これら会員カードやビジターカードを管理する遊技場外のカード管理会社に設置された残額管理サーバ１２と双方向のデータ通信を実施できるように接続されていて、これら残額管理サーバ１２に対して残額管理装置１００から、各種の管理情報が送信されることにより、カード管理会社は、該残額管理サーバ１２にて各遊技場の会員カード及びビジターカードによる売上等を把握できるようになっている。
【００２４】
また、本実施の形態の会員管理装置１５０は、上述したように、各会員カードから読み取られる情報（カードＩＤ及び会員番号）に関連付けられた貯玉数（所有価値）を管理していると共に、通信回線１１を介して、各遊技場に対応した口座に預け入れられている貯玉数を管理する遊技場外の貯玉管理機関に設置された貯玉管理サーバ１５と双方向のデータ通信を実施できるように接続されていて、これら貯玉管理サーバ１５に対して会員管理装置１５０から、各種の管理情報が送信されることにより、貯玉管理機関は、該貯玉管理サーバ１５にて各遊技場に対応した口座に預け入れられている貯玉数等を把握できるようになっている。
【００２５】
また、カードユニット３とパチンコ機２とは、図３に示すように、払出単位として予め定められた一単位数（本実施の形態では２５）のパチンコ玉の払出に伴う各種の信号を送受可能に接続されていて、具体的には、後述するＰＲＤＹ信号線、ＢＲＤＹ信号線、ＢＲＱ信号線、及びＥＸＳ信号線が接続されている。
【００２６】
（パチンコ機）
はじめに、本実施の形態に用いた遊技機であるパチンコ機２について、以下に簡単に説明する。パチンコ機２は、図２に示すように、その前面に遊技領域２６、上皿２３、下皿２４及び発射ハンドル２５等を備えると共に、上皿に払出ボタン２１及び返却ボタン２２を備え、図３に示すように、その内部に遊技制御基板２７、払出制御基板２８、及び玉払出装置２９等を備えており、これらの各構成要素は図３に示すように接続されている。
【００２７】
遊技制御基板２７は、遊技領域２６に設けられた各入賞口へのパチンコ玉の入賞を検出してパチンコ機２における遊技（例えば、特別図柄の可変表示や特別可変入賞装置の開放制御等）及び遊技状態（例えば、特別図柄の停止表示結果が特定表示結果となる確率が高められる確変状態や特別図柄の可変表示時間が短縮される時短状態等）を制御するものである。
【００２８】
払出制御基板２８は、カードユニット３の制御ユニット３２８と通信可能に接続されており、パチンコ機２とカードユニット３との間における通信を司るものである。プリペイド残額、持玉数、及び貯玉数のいずれかを減算して、予め定められた一単位数（２５）の倍数に相当する個数のパチンコ玉を払い出すときに、払出制御基板２８と制御ユニット３２８との間で信号の送受信が行われる。
【００２９】
また払出制御基板２８は、玉払出装置２９と接続され、該玉払出装置２９を制御するものである。玉払出装置２９は、払出制御基板２８と制御ユニット３２８との通信に基づいて予め定められた一単位数（２５）の整数倍のパチンコ玉を払い出すと共に、遊技領域２７に設けられた入賞口へのパチンコ玉の入賞に基づいて遊技者に付与されるパチンコ玉（いわゆる賞球）を払い出すものである。
【００３０】
払出ボタン２１は、対応するカードユニット３のカードリーダライタ３２７（以下カードＲ／Ｗ３２７と略記する）にて受け付けたビジターカード又は会員カードから読み取られるカードＩＤに対応付けて残額管理装置１００で管理されているプリペイド残額を減算してパチンコ玉を払い出すプリペイド払出を行うための払出操作を受け付けるボタンである。この払出ボタン２１が操作されたことを払出ボタンスイッチ２１ａが検出すると、制御ユニット３２８との間に設けられている払出入力信号線を介して制御ユニット３２８に払出入力信号が入力され、制御ユニット３２８が払出ボタン２１が操作された旨を認識して、プリペイド残額を使用して一単位数（２５）の整数倍のパチンコ玉を払い出すための払出制御基板２８との通信を実行する。
【００３１】
返却ボタン２２は、対応するカードユニット３のカードＲ／Ｗ３２７にて受け付けたビジターカード又は会員カードを返却するための返却操作を受け付けるボタンである。この返却ボタン２２が操作されたことを返却ボタンスイッチ２２ａが検出すると、制御ユニット３２８との間に設けられている返却入力信号線を介して制御ユニット３２８に返却入力信号が入力され、制御ユニット３２８が返却ボタン２２が操作された旨を認識して、カードＲ／Ｗ３２７にて受付中のビジターカード又は会員カードを返却する。
【００３２】
このパチンコ機２では、発射ハンドル２５が操作されると、上皿２３から発射位置に供給されたパチンコ玉が遊技領域２６に打ち込まれて遊技が行われる。パチンコ玉が遊技領域２６に設けられた各入賞口に入賞した場合には、各入賞口に応じた数の賞球が玉払出装置２９により払い出される。パチンコ玉が始動入賞口に入賞すると、可変表示装置において特別図柄の可変表示（変動表示）が開始され、その停止表示結果が予め定められた特定表示結果となった場合には、特定遊技状態（大当り遊技状態）が発生して特別可変入賞装置が開放制御されることにより、大入賞口へのパチンコ玉の入賞が可能となる。
【００３３】
遊技制御基板２７に搭載されている遊技制御用マイクロコンピュータ（図示せず）は、入賞検出に応じて、払出制御基板２８に搭載されている払出制御用マイクロコンピュータ（図示せず）に、賞球個数を示す払出制御コマンドとしての賞球個数コマンド（賞球個数信号）を出力する。払出制御用マイクロコンピュータは、賞球個数コマンドが示す賞球個数に応じて駆動信号を供給することで、玉払出装置２９を駆動する。玉払出装置２９には、賞球を払出す払出モータが備えられている。払出制御用マイクロコンピュータにより払出モータが回転駆動制御されることにより、払出制御用マイクロコンピュータにより指定された個数の賞球が玉払出装置２９から払出される。
【００３４】
払出制御基板２８の制御により入賞口（始動入賞口，一般入賞口，又は大入賞口等）に応じた数の賞球が玉払出装置２９から払い出されると、該払い出された賞球は、まず上皿２３に導かれ、該上皿が満タンになると下皿２４に導かれる。下皿２４の前面には、下皿２４の底板に固定されたレバー２４ａが設けられている。遊技者がレバー２４ａを操作する（図２の例では左側に引く）ことにより、下皿２４の底板がスライドして下皿２４の底面が開放され、下皿２４に導かれた賞球は、下皿２４から落下して計数・端数払出ユニット３４０に投入される。
【００３５】
（記録媒体）
次に、本実施の形態にて使用される記録媒体（遊技用記録媒体）であるビジターカードと会員カードとについて、簡潔に説明する。本実施の形態に使用されるビジターカード並びに会員カードには、種々のデータを記憶するための不揮発性メモリと、これら記録情報の書き換えや読み出しを実施すると共に、外部のリーダライタ装置との非接触通信を実施する制御部とを有するＩＣチップが搭載されたＩＣカードを使用している。これらビジターカード並びに会員カードには、個々のカードを識別可能なカードＩＤ、具体的には、ビジターカードにはＶＣで始まるカードＩＤが、会員カードには、ＫＣで始まるカードＩＤが予め書換不能に記憶されていて、その種別がカードＩＤから識別可能とされていると共に、プリペイド残額を特定可能なプリペイド残額データ等の各種データが記憶されている。
【００３６】
なお、会員カードは、遊技場に会員登録を実施した会員遊技者に対して発行されるものであり、該会員に対して付与される会員番号が書換不能に記憶されている。また、該会員カードを使用して会員遊技者は、後述するように、一度獲得して計数したパチンコ玉を、当日再度遊技に使用できる持玉として、あるいはその翌日以降においても再度遊技に使用できる貯玉として、遊技場に預けることができるようになっているが、これら会員カードには、該持玉のデータである持玉数及び貯玉のデータである貯玉数は直接記録されておらず、これら持玉数及び貯玉数は、後述するように、持玉管理装置１４０及び会員管理装置１５０において、カードＩＤ及び会員番号に対応付けて記憶されることで、該カードＩＤや会員番号から特定されるようになっている。
【００３７】
また、ビジターカードは、カードユニット３において発行される。なお、ビジターカードには、該ビジターカードを所有する遊技者が計数したパチンコ玉数（計数玉数）に基づく持玉数と該持玉数が計数された日付とが記憶されており、該持玉数をその当日においてのみ、遊技場内の各カードユニット３において使用できるようになっている。
【００３８】
なお、本実施の形態では、上述したように、ビジターカードのみに持玉数を書き込み記録するようにしているが、本発明はこれに限定されるものではなく、これら持玉数や貯玉数のデータを、ビジターカードと同じく、会員カードに記録するようにしても良い。また、会員カードと同様に、ビジターカードに持玉数を書き込み記録しないようにしても良い。また、プリペイド残額は、会員カード及びビジターカードに記録させることなく、残額管理装置１００がカードＩＤに対応付けて記憶し、カードに対応するプリペイド残額を当該カードのカードＩＤから検索できるように管理してもよい。
【００３９】
（カードユニット）
次に、本実施の形態のカードユニット３について、図２及び図３に基づいて以下に説明すると、本実施の形態のカードユニット３の前面には、図２及び図３に示すように、フルカラーＬＥＤ３０１ａにより構成されて複数の色に点灯することでカードユニット３の状態等を報知可能とされた多機能ランプ３０１等の各種表示部と、紙幣を挿入するための紙幣挿入口３０２と、装置前面より装置前方側に突出形成された突出部３０５と、ボタン３１９と、会員カードやビジターカードを挿入するためのカード挿入口３０９とが設けられている。
【００４０】
カードユニット３の前面に設けられたカード挿入口３０９は、該カード挿入口３０９に対応する位置に内蔵されるカードＲ／Ｗ３２７（図３参照）のカードスロット（図示略）に連設されており、このカード挿入口３０９を介してビジターカードや会員カードをカードスロットに挿入可能とされている。
【００４１】
カードユニット３の前面には、前方に突出する態様にて突出部３０５が設けられている。該突出部３０５において、遊技者と対向する面には、図２に示すように、各種情報を表示可能な表示部３１２と、ボタン３１９が設けられている。表示部３１２の表面には、表示部３１２に表示された各表示項目を指触により入力可能とするための透明タッチパネル３１４が設けられている。また、ボタン３１９は透光性を有するプラスチック製のケースにより構成されている。
【００４２】
このボタン３１９は、第１実施形態においては、計数済玉数，持玉数，及び貯玉数を払い出すための再プレイ操作を受け付けるための「再プレイボタン」として機能し、第２，第３実施形態においては、計数玉数（持玉数）を払い出すための計数払出操作を受け付けるための「計数プレイボタン」として機能する。
【００４３】
持玉払出は、ビジターカード又は会員カードを受け付けた場合において、該ビジターカード又は会員カードに記録されているカードＩＤ及び会員番号（会員カードのみ）に対応付けて持玉管理装置１４０で管理されている、遊技媒体の単価に対応した各口座の持玉数のうち、当該カードユニット３が記憶している基本単価に対応した口座の持玉数を減算して遊技媒体を払い出す処理である。
【００４４】
ここで基本単価とは、複数種類の付与レート（例えば４円，２円，１円）のうち、当該カードユニット３に対応する付与レートであり、該基本単価は、当該カードユニットにおいて行われるプリペイド払出，持玉払出，及び貯玉払出に適用される。具体的には、プリペイド払出においては、基本単価×基本払出玉数のプリペイド残額が減算され、持玉払出においては、後述する乗入れ払出を除き、基本単価の口座から基本払出玉数の持玉数が減算され、貯玉払出においては、基本単価の口座から基本払出玉数の貯玉数が減算される。
【００４５】
本実施の形態では、ビジターカード又は会員カードがカードユニット３に挿入されると、持玉管理装置１４０から取得した持玉数（受け付けたカードＩＤに対応付けて管理されている各口座の持玉数）が制御ユニット３２８に記憶される。そして、持玉払出が実行されると、制御ユニット３２８で記憶されている基本単価の持玉数から払い出された玉数が減算され、計数・端数払出ユニット３４０で計数が実行されると、制御ユニット３２８で記憶されている基本単価の持玉数に計数された玉数が加算される。
【００４６】
また、カード貯留部のビジターカードがカードＲ／Ｗ３２７に供給され（このとき制御ユニット３２８で記憶されている基本単価の持玉数は０となっている）、計数・端数払出ユニット３４０で計数が実行されると、制御ユニット３２８で記憶されている基本単価の持玉数に、計数された玉数が加算される。そして、持玉払出が実行されると、制御ユニット３２８で記憶されている基本単価の持玉数から、払い出された玉数が減算される。
【００４７】
持玉管理装置１４０で管理されている持玉数は、ビジターカード又は会員カードがカードユニット３から返却される際に更新され、持玉払出が実行される際や遊技媒体の計数が実行される際には、カードユニット３で記憶されている持玉数は更新されるが、持玉管理装置１４０で管理されている持玉数は更新されないものとする。
【００４８】
貯玉払出は、会員カードを受け付けた場合において、該会員カードに記録されているカードＩＤ及び会員番号に対応付けて会員管理装置１５０で管理されている、遊技媒体の単価に対応した各口座の貯玉数のうち、当該カードユニット３が記憶している基本単価に対応した口座の貯玉数のみを減算して遊技媒体を払い出す処理である。
【００４９】
貯玉払出を実行する場合には、第１実施形態においては、ボタン３１９を操作し、第２，第３実施形態においては、タッチパネル３１４を有する表示部３１２にメイン画面が表示され、メイン画面の貯玉払出操作領域３１２ａに貯玉払出ボタンが有効態様（後述する無効態様よりも濃い表示態様）で表示されているときに（例えば図２７（１）の状態で）、該貯玉払出ボタンを操作する。
【００５０】
また、第１実施形態では、前記持玉払出の一形態として、ビジターカード又は会員カードを受け付けた場合において、該ビジターカード又は会員カードに記録されているカードＩＤに対応付けて持玉管理装置１４０で管理されている、遊技媒体の単価に対応した各口座の持玉数のうち、当該カードユニット３が記憶している基本単価に対応した口座以外の他口座（基本単価とは異なる単価に対応した口座）の持玉数を減算して基本単価の遊技媒体を払い出す乗入れ払出（乗入れ付与処理）を実行可能なものであり、第２，第３実施形態では、会員カードを受け付けた場合において、該会員カードに記録されているカードＩＤ及び会員番号に対応付けて会員管理装置１５０で管理されている、遊技媒体の単価に対応した各口座の貯玉数のうち、当該カードユニット３が記憶している基本単価に対応した口座以外の他口座（基本単価とは異なる単価に対応した口座）の貯玉数を減算して基本単価の遊技媒体を払い出す乗入れ払出（乗入れ付与処理）を実行可能なものである。
【００５１】
なお、前記乗入れ払出が実行される場合において、当該基本単価に対応した口座を「乗入れ先口座」と称し、当該基本単価を「乗入れ先単価」と称し、当該他口座を「乗入れ元口座」と称し、当該他口座に対応した単価（当該基本単価とは異なる単価）を「乗入れ元単価」と称する。
【００５２】
また、突出部３０５内部には、表示部３１２を成す液晶表示器３１３が設けられており、液晶表示器３１３及び透明タッチパネル３１４が、図３に示すように、表示制御基板３２９に接続されることで、液晶表示器３１３の表示制御や、透明タッチパネル３１４による入力位置検出等が、該表示制御基板３２９によって実施される。
【００５３】
また、表示制御基板３２９には、ボタン３１９が操作されたことを検出するスイッチ３１９ａと、前述した持玉払出や貯玉払出が可能なときに点灯するＬＥＤ３１９ｂとが接続されている。このスイッチ３１９ａは、第１実施形態では、再プレイボタンの操作を検出する「再プレイスイッチ」として機能し、第２，第３実施形態では、計数プレイボタンの操作を検出する「計数プレイスイッチ」として機能する。またＬＥＤ３１９ｂは、第１実施形態では「再プレイＬＥＤ」として機能し、第２，第３実施形態では「計数プレイＬＥＤ」として機能する。
【００５４】
カードユニット３内の上部位置には、紙幣挿入口３０２に連設され、該紙幣挿入口３０２に投入された紙幣を取り込んでその真贋や紙幣種別の識別を実施し、その識別結果を装置略中央部に設けられている後述する制御ユニット３２８に出力する紙幣識別ユニット３２１が設けられており、該紙幣識別ユニット３２１にて各種紙幣（１万円、５千円、２千円、千円の各紙幣）の受付が可能とされている。
【００５５】
また、カードユニット３の略中央部位置には、該カードユニット３を構成する各部と接続しやすいように該カードユニット３の動作を制御する制御ユニット３２８が設けられており、後述するように、該制御ユニット３２８によって該カードユニット３の各種の動作が制御されている。
【００５６】
また、カードユニット３の前面下方端部位置には、パチンコ機２の下皿２４の下方位置に配置されることで、該下皿２４から排出されるパチンコ玉を計数すると共に、払出単位として予め定められた一単位数（本実施の形態では２５）未満の端数のパチンコ玉の払出を行う箱状の計数・端数払出ユニット３４０から排出されるパチンコ玉をカードユニット３内に流入させるための連結樋３４４が装着される。該連結樋３４４を流下して図示しない回収流路ボックスに流入してきたパチンコ玉が、回収流路ボックスをカードユニット３の前方側から後方（島内部）側に流下していき、カードユニット３の後方下端から遊技島内の図示しない回収樋に排出される。
【００５７】
図３は、本実施の形態のカードユニット３の構成を示すブロック図である。カードユニット３は、上述したように、主には、紙幣識別ユニット３２１と、カードＲ／Ｗ３２７と、表示制御基板３２９と、計数・端数払出ユニット３４０と、カードユニット３の各部の制御を制御プログラムにより実施して該カードユニット３の各種の機能を提供する制御ユニット３２８とから構成されており、紙幣識別ユニット３２１、カードＲ／Ｗ３２７、計数・端数払出ユニット３４０及び表示制御基板３２９は制御ユニット３２８と接続されて各種データの送受が可能とされている。
【００５８】
カードＲ／Ｗ３２７は、カード挿入口３０９から挿入される会員カード又はビジターカードに記録されているカードＩＤ、会員番号（会員カードのみ）、持玉数及び日付（ビジターカードのみ）、プリペイド残額等の記録情報の読み出し、並びに、持玉数及び日付（ビジターカードのみ）、プリペイド残額等の書き込みを行う。カードユニット３の内方側終端部位置には、ビジターカードを最大１０枚まで貯留できる不図示のカード貯留部が設けられており、新規のビジターカードを発行可能とされている。カード貯留部のビジターカードはカード貯留部及びカードＲ／Ｗ３２７に設けられた搬送機構によりデータの読み出し及び書き込みが可能な所定位置まで搬送される。
【００５９】
カードの挿入が挿入センサにより検出されると、挿入されたカードがカードＲ／Ｗ３２７に設けられた搬送機構により所定位置まで搬送される。該所定位置に停止されたカードを対象とした給電やデータ通信を行うことにより、受付中のカードを対象としたデータの読み出し及び書き込みが可能となっている。制御ユニット３２８が返却ボタン２２の操作を検知すると、カードＲ／Ｗ３２７に対して所定位置にある受付中のカードの排出を指示する。このとき、カードＲ／Ｗ３２７に設けられた搬送機構により、所定位置にあるカードがカード挿入口３０９から排出され遊技者に返却される。
【００６０】
ここで、この実施の形態では、（１）カードＲ／Ｗ３２７の所定位置に会員カードが存在する状態、（２）カードＲ／Ｗ３２７の所定位置にビジターカードが存在し、且つ、制御ユニット３２８で記憶されているプリペイド残額（表示部３１２に表示されているプリペイド残額）及び各口座の持玉数のうち少なくとも１以上が０ではない状態では、不図示のシャッタ用ソレノイドの動作により、カード挿入口３０９を水平方向に横切る棒状のシャッタが出現してカードの挿入が阻止される。即ち、会員カードが受け付けられている期間、及び受付中のビジターカードについてプリペイド残額又は持玉数が残存している期間は、新たなカードの挿入が禁止される。
【００６１】
一方、（３）カードＲ／Ｗ３２７の所定位置にビジターカードが存在しており、制御ユニット３２８で記憶されているプリペイド残額（表示部３１２に表示されているプリペイド残額）及び各口座の持玉数がいずれも０となっている状態では、カード挿入口３０９のシャッタが解除されており、新たなカードの挿入が可能となっている。即ち、カードＲ／Ｗ３２７のビジターカードについてプリペイド残額及び持玉数がいずれも残存していない期間は、新たなカードの挿入が許容される。
【００６２】
（３）の状態において、新たなカードの挿入が検出されると、カードＲ／Ｗ３２７の所定位置に存在するビジターカードに記録されているプリペイド残額及び各口座の持玉数が０にクリアされると共に、カードユニット３から持玉管理装置１４０に対して当該ビジターカードのカードＩＤ及び制御ユニット３２８で記憶されている各口座の持玉数（いずれも０である）を含む擬似的なカード排出通知が送信される（実際にはビジターカードは排出されずにカード貯留部に収納されることになるため「擬似的」としている）。
【００６３】
そして、挿入検出されたカードがカードＲ／Ｗ３２７の所定位置に搬送されることに伴い、該所定位置に存在していたビジターカードは、カードＲ／Ｗ３２７及びカード貯留部に設けられた搬送機構によりカード貯留部に搬送されて収納される。持玉管理装置１４０では、受信した擬似的なカード排出通知に含まれるカードＩＤに対応付けて管理している各口座の持玉数を、受信した各口座の持玉数（擬似的なカード排出通知に含まれる各口座の持玉数）に更新する。
【００６４】
前述した（１）及び（２）のいずれかの状態において、返却ボタン２２が操作されると、カード挿入口のシャッタが解除され、カードＲ／Ｗ３２７の所定位置に存在するカードが返却されると共に、カード貯留部からカードＲ／Ｗ３２７の所定位置にビジターカードが搬送される。該所定位置に搬送されたビジターカードに記録されているプリペイド残額及び各口座の持玉数は０であり、該ビジターカードのカードＩＤに関連付けて持玉管理装置１４０で管理されている各口座の持玉数も０である。返却ボタン２２の操作により返却されるカードが会員カードである場合には、該会員カードに制御ユニット３２８で記憶されているプリペイド残額が記録され、返却されるカードがビジターカードである場合には、該ビジターカードに制御ユニット３２８で記憶されているプリペイド残額並びに各口座の持玉数及び日付が記録される。
【００６５】
次に、本実施の形態の制御ユニット３２８について説明する。制御ユニット３２８は、図３に示すように、制御プログラムを実行可能な中央演算処理回路（ＣＰＵ）３２８ａや、カードリーダライタ３２７に受付中のビジターカード及び会員カードのカードＩＤや、会員番号（会員カードのみ）、並びにプリペイド残額や、持玉数、貯玉数等の各種のデータを記憶可能なＲＡＭ３２８ｂや、中央演算処理回路（ＣＰＵ）３２８ａが実行する制御プログラムや、当該カードユニット３の装置ＩＤを含む設定情報や、各種のデータを書換記憶可能な不揮発性メモリであるＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００６６】
本実施の形態の制御ユニット３２８は、前述したようにパチンコ玉の貸出に伴う各種の信号の送受を、パチンコ機２に設けられている払出制御基板２８との間において実施可能に接続されている。
【００６７】
また、制御ユニット３２８は、計数・端数払出ユニット３４０と接続されており、後述するように、該計数・端数払出ユニット３４０から出力されてくる計数情報の受信に応じて、表示部３１２に表示する当日玉数（計数済玉数と持玉数の合算値）や計数玉数（持玉数）の値を更新する。
【００６８】
また、制御ユニット３２８は、前述したように、パチンコ機１の上皿２３に設けられた払出ボタン２１が操作されたことを検知するための払出ボタンスイッチ２１ａに接続されており、払出ボタン２１の操作に応じた信号が、該払出ボタンスイッチ２１ａから入力されることにより、払出ボタン２１の操作の有無を把握し、払出ボタン２１の操作があったときにはプリペイド払出を実施することで、一単位数（２５）の整数倍のパチンコ玉の払出を対応するパチンコ機２から実施させる。
【００６９】
ここでカードユニット３とパチンコ機２との間で行われる信号のやりとりについて説明する。本例では、ＲＡＭ３２８ａに基本払出玉数として１２５（一単位数である２５の５倍に相当）が記憶されているものとする。本実施の形態では、プリペイド払出のみならず、持玉払出、貯玉払出、及び、乗入れ払出においても、カードユニット３（制御ユニット３２８）とパチンコ機２との間で通信が行われ、一単位数の整数倍のパチンコ玉が払い出されるものとしている。
【００７０】
まずパチンコ機２及びカードユニット３の電源投入時に、両者の間における接続確認が行われると、パチンコ機２の払出制御基板２８は、ＰＲＤＹをＬＯＷとすることにより、ＰＲＤＹ信号線を介して、カードユニット３の制御部ユニット３２８に払出可能信号を送信して（Ｓ１）、スタンバイ状態となる。
【００７１】
次にカードユニット３の制御ユニット３２８は、ＰＲＤＹのＬＯＷ（払出可能信号）を受信しているスタンバイ状態において払出ボタン２１（又は、ボタン３１９、メイン画面の貯玉払出操作領域３１２ａに有効態様で表示される貯玉払出ボタン、若しくは乗入れ画面の乗入れ操作領域３１２ｂに有効態様で表示される乗入れ払出ボタン）の操作を検出すると、ＢＲＤＹをＬＯＷとすることにより、ＢＲＤＹ信号線を介して、パチンコ機２の払出制御基板２８に払出可能信号を送信する（Ｓ２）。
【００７２】
この状態において、カードユニット３の制御ユニット３２８は、ＢＲＱをＬＯＷとすることにより、ＢＲＱ信号線を介して、パチンコ機２の払出制御基板２８に単位払出要求信号を送信する（Ｓ３）。次にパチンコ機２の払出制御基板２８は、ＢＲＤＹのＬＯＷ（払出可能信号）を受信した状態においてＢＲＱのＬＯＷ（単位払出要求信号）を受信すると、玉確認センサ（図示せず）により一単位数（２５）のパチンコ玉を払い出す準備（払出準備）が整っているか否かを確認し、該払出準備が整っていることを条件として、ＥＸＳをＬＯＷとすることにより、ＥＸＳ信号線を介して、カードユニット３の制御ユニット３２８に単位払出準備信号を送信する（Ｓ４）。
【００７３】
次に該ＥＸＳのＬＯＷ（単位払出準備信号）を受信したカードユニット３の制御ユニット３２８は、ＢＲＱをＨＩＧＨとすることにより、ＢＲＱ信号線を介して、パチンコ機２の払出制御基板２８に単位払出指令信号を送信する（Ｓ５）。次に該ＢＲＱのＨＩＧＨ（単位払出指令信号）を受信したパチンコ機２の払出制御基板２８は、玉払出装置２９に対して払出信号を出力し、これに基づいて一単位数（２５）のパチンコ玉の払出が行われると共に、該払出の完了に基づいて、ＥＸＳをＨＩＧＨとすることにより、ＥＸＳ信号線を介して、カードユニット３の制御ユニット３２８に単位払出完了信号を送信する（Ｓ６）。
【００７４】
これらＳ３〜Ｓ６の制御を、５回繰り返すことにより、１２５玉をパチンコ機２から払い出し、これらの制御の終了に基づいて、ＢＲＤＹをＨＩＧＨとすることにより、ＢＲＤＹ信号線を介して、パチンコ機２の払出制御基板２８に払出終了信号を送信し（Ｓ７）、１２５玉の払出を終了する。このように、パチンコ玉が払い出されるときのＳ３〜Ｓ６の制御の繰り返し回数を「払出度数」と称する。この実施の形態では、払出度数の１度数（Ｓ３〜Ｓ６の制御１回）あたり２５玉のパチンコ玉が払い出されるようになっており、１度数あたりの払出玉数を一単位数としている。
【００７５】
また、制御ユニット３２８は、通信部３３４並びにＨＵＢ７を介して、ローカルエリアネットワーク（ＬＡＮ）に接続されている前述の残額管理装置１００、持玉管理装置１４０、及び会員管理装置１５０等とデータ通信可能に接続されており、これらの各コンピュータと各種データの送受が該通信部３３４を通じて可能とされている。
【００７６】
また、制御ユニット３２８に接続された表示制御基板３２９は、表示部３１２を構成する液晶表示器３１３、透明タッチパネル３１４、並びに、ボタン３１９に対応するスイッチ３１９ａ及びＬＥＤ３１９ｂ等の電子部品が接続されており、これら透明タッチパネル３１４の操作情報や、ボタン３１９の操作情報が、表示制御基板３２９を介して制御ユニット３２８に出力される。
【００７７】
本実施の形態の表示制御基板３２９には、液晶表示器３１３の表示駆動を行う表示駆動回路（図示略）や、前記透明タッチパネル３１４からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類や透明タッチパネル等の入力に伴う判断や処理を処理プログラムに基づいて実施する表示制御マイコン等が実装されており、制御ユニット３２８から出力される表示データ（ページデータ）等に基づいて、各種の表示画面を、表示部３１２を構成する液晶表示器３１３に表示可能とされている。
【００７８】
また、制御ユニット３２８は、持玉管理装置１４０から定期的（本実施の形態では約１０秒毎）に送信されてくるオンライン確認要求の受信の有無により、持玉管理装置１４０との通信状態がオンライン状態であるかオフライン（通信不能）状態であるかを検知できるようになっていると共に、これらオンライン確認要求の受信に応じてオンライン確認応答を持玉管理装置１４０に返信することで、持玉管理装置１４０においても各カードユニット３のオンライン・オフライン状態を検知できるようになっている。なお、これらオンライン確認要求としては、他のデータ送信要求にて代用される場合がある。
【００７９】
この実施の形態では、カードユニット３は、持玉管理装置１４０を介して会員管理装置１５０と通信を行う。ここで、カードユニット３と持玉管理装置１４０との間でオンライン状態が成立している場合であっても、持玉管理装置１４０と会員管理装置１５０との間ではオフライン状態となっている場合がある。このような場合には、持玉管理装置１４０は、会員管理装置１５０とのオフライン状態を通知するためのオフライン情報をカードユニット３に送信する。オフライン情報を受信したカードユニット３では、持玉管理装置１４０との間ではオンライン状態であるが、会員管理装置１５０との間ではオフライン状態であることを把握することができるため、例えば、持玉数の更新を可能とし、貯玉数の更新（貯玉払出や乗入れ払出）を禁止するといった制御を行うことが可能となる。
【００８０】
また、この実施の形態では、カードユニット３がオンライン確認要求を受信しており、且つオフライン情報を受信していないとき、即ち、持玉管理装置１４０と通信可能であり、且つ会員管理装置１５０と通信可能である場合にのみ、貯玉数の更新（後述する乗入れ払出も含む）が許容される。
【００８１】
また、制御ユニット３２８は、計数・端数払出ユニット３４０と計数情報や端数払出要求等の各種のデータを、少ない通信線数にてデータの送受が可能なシリアル通信により送受可能に接続されている。
【００８２】
ここで、本実施の形態の計数・端数払出ユニット３４０について説明する。本実施の形態の計数・端数払出ユニット３４０は、図２に示すように、パチンコ機２の下皿２４の直下に配置された横長の箱状物であり、カードユニット３の最も下方位置に設けられている不図示の回収流路ボックスに連結樋３４４を介して連結されている。
【００８３】
そして、計数・端数払出ユニット３４０の上面には、下皿２４から排出されるパチンコ玉が投入されるホッパ形状とされた不図示の投入部が形成されていて、その前面のカードユニット３本体側（向かって左側）には、払出（返却）された端数のパチンコ玉が取り出し可能に貯留される返却貯留部３４２が設けられている。
【００８４】
計数・端数払出ユニット３４０の内部には、計数・端数払出ユニット３４０の制御を行う制御マイコン等が搭載された制御基板により構成される制御部３５０が内蔵されている。この制御部３５０には、図３に示すように、流路変更シャッタ３５１、払出モータ３５３、払出センサ３５４、計数センサ３５６、及び貯留玉センサ３５７等が接続されていて、該制御部３５０にて計数・端数払出ユニット３４０の各機能が形成されるように制御される。また、制御部３５０は、カードユニット３の本体と連結樋３４４を介して電気的に接続されている。
【００８５】
計数・端数払出ユニット３４０の投入部に投入されたパチンコ玉は不図示の計数流路に流入して該計数流路上を連結樋３４４の方向に向けて流下し、該計数流路の下流部に設けられている計数センサ３５６にて検出されるようになっている。計数センサ３５６にて検出されたパチンコ玉の流下方向は流路変更シャッタ３５１により変更可能となっている。該流路変更シャッタ３５１が出没することによって、パチンコ玉の流下方向を、連結樋３４４側或いはパチンコ玉を貯留する不図示の貯留部側に切り替えることが可能とされている。
【００８６】
ここで、計数センサ３５６によりパチンコ玉が検出される毎に、制御部３５０から制御ユニット３２８に対して計数信号が入力され、制御ユニット３２８のＲＡＭ３２８ｂに記憶されている計数玉数の値が加算される。そして、所定のタイミング（例えば、計数玉数が更新されることなく５秒が経過したタイミング）で、ＲＡＭ３２８ｂに記憶されている当該カードユニット３に対応した口座（ＲＡＭ３２８ｂに記憶している基本単価に対応した口座）の持玉数に、計数玉数の値が加算されて持玉数が加算更新されると共に、計数玉数の値は０にリセットされる。
【００８７】
貯留部に流入するパチンコ玉は、貯留玉センサ３５７により検出されていき、貯留部内がパチンコ玉により満たされることにより、貯留玉センサ３５７によってパチンコ玉が所定時間以上連続して検出された場合には、流路変更シャッタ３５１による貯留部側への流路変更が解除されることで、計数センサ３５６により検出された計数済みのパチンコ玉は全て、連結樋３４４を流下してカードユニット３内部の回収流路ボックスを介して遊技島内に回収される。
【００８８】
また、貯留部に貯留されたパチンコ玉は、払出モータ３５３によって１つずつ返却貯留部３４２に払出可能となる。このとき、払出センサ３５４により、遊技者に払出（返却）するパチンコ玉数を計数可能となっている。
【００８９】
貯留部にパチンコ玉が貯留されている状態において、一単位数未満の端数のパチンコ玉数、例えば、端数として２０玉の払出（返却）がなされる場合、つまり、制御部３５０が制御ユニット３２８から払出（返却）する端数である２０玉を含む端数払出要求を受信した場合には、該受信した端数払出要求に含まれる払出玉数（端数）である２０の検出信号が払出センサ３５４から入力されてくるまで払出モータ３５３を作動させることにより、該払出玉数（端数）である２０個のパチンコ玉が、返却貯留部３４２に返却されて貯留されるようになる。
【００９０】
なお、端数のパチンコ玉の払出は、貯留部に貯留されているパチンコ玉を払い出すものには限られず、例えば遊技島からパチンコ玉を取り込んで払い出すものでもよく、該払い出したパチンコ玉をノズルによりパチンコ機２の上皿に導くものであってもよい。また、ノズルのみで払い出すものには限られず、ノズルからの払出とパチンコ機２からの払出とを併用するものであってもよい。
【００９１】
制御部３５０は、端数に相当する数の検出信号が払出センサ３５４から入力されてきた際には、端数払出要求の応答として、端数払出完了通知を制御ユニット３２８に対して送信することにより、制御ユニット３２８は、端数払出要求で指定した端数の払出が完了したことを認識する。
【００９２】
この実施の形態では、各カードユニット３において設定される基本払出玉数はいずれも一単位数（２５）の整数倍であるため、プリペイド残額が基本払出玉数に相当する金額（例えば４．００円×１２５＝５００円）以上のときにプリペイド払出を実行する場合、当該カードユニット３が記憶する基本単価に対応した口座の持玉数が基本払出玉数以上のときに持玉払出を実行する場合、当該カードユニット３が記憶する基本単価に対応した口座の貯玉数が基本払出玉数以上のときに貯玉払出を実行する場合には、前述した払出制御基板２８と制御ユニット３２８との通信によって、基本払出玉数に相当する全数を払出可能となっている。
【００９３】
また、プリペイド払出において、プリペイド残額が基本払出玉数に相当する金額（例えば４．００円×１２５＝５００円）未満であるが一単位数に相当する金額（例えば４．００円×２５＝１００円）以上の場合には、［一単位数×ｎ≦（プリペイド残額／基本単価）］となる最大のｎを払出度数として設定し、前述した払出制御基板２８と制御ユニット３２８との通信によって、設定された払出度数に相当する数のパチンコ玉を払い出す。
【００９４】
また、プリペイド払出において、プリペイド残額が一単位数に相当する金額（例えば４．００円×２５＝１００円）未満である場合には、［基本単価×ｎ≦プリペイド残額］となる最大のｎを端数として設定し、制御ユニット３２８から計数・端数払出ユニット３４０に対して、設定した端数を含む端数払出要求が送信され、計数・端数払出ユニット３４０の返却貯留部３４２に端数相当のパチンコ玉が払い出される。
【００９５】
また、持玉払出において、当該カードユニット３が記憶する基本単価に対応した口座の持玉数が基本払出玉数未満であるが一単位数以上の場合には、［一単位数×ｎ≦持玉数］となる最大のｎを払出度数として設定し、前述した払出制御基板２８と制御ユニット３２８との通信によって、設定された払出度数に相当する数のパチンコ玉を払い出す。
【００９６】
また、持玉払出において、当該カードユニット３が記憶する基本単価に対応した口座の持玉数が一単位数未満である場合には、当該持玉数を端数として設定し、制御ユニット３２８から計数・端数払出ユニット３４０に対して、設定した端数を含む端数払出要求が送信され、計数・端数払出ユニット３４０の返却貯留部３４２に端数相当のパチンコ玉が払い出される。
【００９７】
なお、基本払出玉数として一単位数の整数倍ではない払出玉数が設定されている場合には、前述した払出制御基板２８と制御ユニット３２８と通信による払出と、計数・端数払出ユニット３４０による払出の両方が実行されることにより、該基本払出玉数のパチンコ玉が払い出されるようにすると良い。例えば、基本払出玉数として１１６が設定されている場合には、払出度数が４に設定され、前述した払出制御基板２８と制御ユニット３２８との通信によって１００玉がパチンコ機２から払い出され、計数・端数払出ユニット３４０の返却貯留部３４２に端数の１６玉が払い出される。
【００９８】
なお、この実施の形態では、計数・端数払出ユニット３４０の内部に設けられた貯留部に端数払出用のパチンコ玉を貯留するようにしているが、このような形態に限らず、端数相当のパチンコ玉を払い出す場合に、遊技島の玉供給経路から計数・端数払出ユニット３４０に供給されたパチンコ玉を払い出すようにしても良い。例えば、カードユニット３から上皿２３にパチンコ玉を供給するためのノズルを設けて、玉供給経路から供給されたパチンコ玉をノズルを通じて上皿２３に供給するようにしても良い。
【００９９】
このような構成において、持玉払出、貯球払出、及び乗入れ払出が実行される場合には、制御ユニット３２８と払出制御基板２８との間の通信によらず、払い出されるパチンコ玉は全てノズルから供給するようにしても良く、払い出されるパチンコ玉のうち一単位数の整数倍は制御ユニット３２８と払出制御基板２８との間の通信に基づいて払い出し、一単位数未満の端数のみをノズルから供給するようにしても良い。
【０１００】
（残額管理装置）
次に、本実施の形態の残額管理装置１００について、図４に基づき説明する。まず、本実施の形態に用いた残額管理装置１００は、図４に示すように、コンピュータ内部にてデータの送受を行うデータバス１０１に、該残額管理装置１００が実施する各種処理を行うＣＰＵ１０２、ワークメモリ等として使用されるＲＡＭ１０３、時刻情報やカレンダ情報を出力するＲＴＣ１０４、ハードディスク等からなる記憶装置１０５、キーボードやマウス等の入力装置１０６、各種の画面を表示出力する表示装置１０７、各種情報をプリント出力するプリンタ１０８、ローカルエリアネットワーク（ＬＡＮ）に接続されたカードユニット３（制御ユニット３２８）やカード発行・入金機等の各装置とのデータ通信を行う通信部１０９、カード会社に設置された残額管理サーバ１２とのデータ通信を行うデジタルサービスユニット（ＤＳＵ）１１０が接続された通常のコンピュータである。
【０１０１】
記憶装置１０５には、残額管理装置１００において実施される各種処理を行うための処理内容が記述された処理プログラムに加えて、会員カード及びビジターカードに残存するプリペイド残額を管理するための残額管理テーブル（図５参照）が記憶されている。
【０１０２】
残額管理テーブルには、図５に示すように、各ビジターカード及び各会員カードを個々に識別可能なカードＩＤに対応付けて、当該会員カードの発行を受けた会員遊技者の会員番号（会員カードのみ）と、プリペイド残額とが記憶されており、会員カードに記憶されているカードＩＤ若しくは会員番号、ビジターカードに記憶されているカードＩＤから、プリペイド残額を特定できるようになっている。
【０１０３】
カードユニット３の紙幣識別ユニット３２１により紙幣が受け付けられたときには、該カードユニット３と残額管理装置１００との間で通信が行われ、該受け付けた紙幣に応じた識別額が、カードユニット３にて受付中の会員カード又はビジターカードのカードＩＤに対応付けて残額管理テーブルで管理されているプリペイド残額に加算される。また、カードユニット３の制御ユニット３２８に記憶されているプリペイド残額も加算後のプリペイド残額に更新される。
【０１０４】
払出ボタン２１が操作され、受付中の会員カード又はビジターカードのプリペイド残額を使用したプリペイド払出が実行されるときには、該カードユニット３と残額管理装置１００との間で通信が行われ、カードユニット３にて受付中の会員カード又はビジターカードのカードＩＤに対応付けて残額管理テーブルで管理されているプリペイド残額から、使用金額（払出玉数×当該カードユニット３に記憶されている基本単価に相当）が減算される。また、カードユニット３の制御ユニット３２８に記憶されているプリペイド残額も減算後のプリペイド残額に更新される。
【０１０５】
（持玉管理装置）
次に、本実施の形態の持玉管理装置１４０について、図６に基づき説明する。まず、本実施の形態に用いた持玉管理装置１４０は、図６に示すように、コンピュータ内部にてデータの送受を行うデータバス１４１に、該管理コンピュータ１４０が実施する各種処理を行う中央演算処理装置（ＣＰＵ）１４２、ワークメモリ等として使用されるＲＡＭ１４３、時刻情報やカレンダ情報を出力するリアルタイムクロック（ＲＴＣ）１４４、ハードディスク等からなる記憶装置１４５、キーボードやマウス等の入力装置１４６、各種の画面を表示出力する表示装置１４７、各種情報をプリント出力するプリンタ１４８、ローカルエリアネットワーク（ＬＡＮ）に接続されたカードユニット３及び会員管理装置１５０、並びに景品交換用ＰＯＳ端末１７０等とのデータ通信を行う通信部１４９が接続された通常のコンピュータである。
【０１０６】
また、ＣＰＵ１４２は、前述したように、通信部１４９から各カードユニット３に対して定期的にオンライン確認要求を送信し、各カードユニットから装置ＩＤを含むオンライン確認応答を受信することにより、各カードユニット３とオンライン状態であるかオフライン状態であるかを検知可能である。また、会員管理装置１５０に対しても、定期的にオンライン確認要求を送信し、会員管理装置１５０からオンライン確認応答を受信することにより、会員管理装置１５０とオンライン状態であるかオフライン状態であるかを検知可能である。会員管理装置１５０とオフライン状態である場合には、カードユニット３に対してオフライン情報を送信する。
【０１０７】
ここで、会員管理装置１５０と持玉管理装置１４０との間でオンライン状態が成立している場合であっても、持玉管理装置１４０とカードユニット３との間ではオフライン状態となっている場合がある。このような場合には、持玉管理装置１４０は、カードユニット３とのオフライン状態を通知するためのオフライン情報を会員管理装置１５０に送信する。オフライン情報を受信した会員管理装置１５０では、持玉管理装置１４０との間ではオンライン状態であるが、カードユニット３との間ではオフライン状態であることを把握することができるため、例えば、カードユニット３に対してのコマンドの送信を中断するといった制御を行うことが可能となる。
【０１０８】
記憶装置１４５には、持玉管理装置１４０において実施される各種処理を行うための処理内容が記述された処理プログラムに加えて、遊技者（会員カードを使用する会員遊技者及びビジターカードを使用するビジター遊技者）の所有価値である、当日において獲得された持玉数を管理するための持玉管理テーブル（図７参照）と、各カードユニット３の基本単価及び基本払出玉数、並びに各カードユニット３で受付中の会員カード又はビジターカードのカードＩＤを管理するためのＣＵ管理テーブル（図８参照）とが記憶されている。
【０１０９】
持玉管理テーブルには、図７に示すように、各カードＩＤ及び各会員番号（会員カードのみ）に対応付けて、当該会員カード又はビジターカードを使用した遊技者がその当日において獲得した獲得玉数の合計であって遊技や景品交換に未使用の玉数である持玉数が記憶されており、ビジターカードや会員カードに記憶されているカードＩＤ若しくは会員番号（会員カードのみ）から、当該遊技者が所有する持玉数を特定できるようになっている。
【０１１０】
なお、持玉管理テーブルに管理されている持玉数は、その当日のみ持玉数として管理されており、遊技場の営業終了後に遊技用システム１で実行される営業終了時処理において、会員カードのカードＩＤ及び会員番号に対応する持玉数は、会員管理装置１５０（貯玉管理テーブル）にて管理される当該会員カードのカードＩＤ及び会員番号に対応する貯玉数に加算された後、全て０にクリアされる。また、営業終了時処理においてビジターカードのカードＩＤに対応する持玉数は、全て０にクリアされる。
【０１１１】
また、営業終了時処理と同様に、後述する景品交換用ＰＯＳ端末１７０に会員カードが挿入されたとき（持玉管理装置１４０又は会員管理装置１５０が、景品交換用ＰＯＳ端末１７０に挿入された会員カードのカードＩＤ及び会員番号を景品交換用ＰＯＳ端末１７０から受信したとき）にも、当該会員カードのカードＩＤ及び会員番号に対応する持玉数が、当該会員カードのカードＩＤ及び会員番号に対応する貯玉数に加算された後、全て０にクリアされる。
【０１１２】
ここで、図７に示すように、持玉数は、遊技機での遊技に使用可能な遊技媒体の単価毎に管理されている。この例では、４円口座は単価４円の遊技媒体の持玉数、２円口座は単価２円の遊技媒体の持玉数、１円口座は単価１円の遊技媒体の持玉数を管理するための記憶領域であり、各口座の持玉数は、当該口座に対応した単価の遊技媒体を使用する遊技機での遊技で獲得した持玉数である。
【０１１３】
営業終了時処理が実行されたとき、及び、景品交換用ＰＯＳ端末１７０に会員カードが挿入されたときには、持玉管理テーブルにおける各口座の持玉数が、後述する貯玉管理テーブルにおける当該口座に対応した口座（同じ単価の口座）の貯玉数に加算されると共に、持玉管理テーブルにおける各口座の持玉数が全て０にクリアされる。カードＩＤがＫＣ−００００１（会員番号がＫ−００００１）の例では、図７に示すように、４円口座、２円口座、１円口座の持玉数が、それぞれ０、２００、３００となっており、図１０に示すように、４円口座、２円口座、１円口座の貯玉数が、それぞれ０、２０００、３０００となっている。この例では、営業終了時処理が実行されたとき、及び景品交換用ＰＯＳ端末１７０に会員カードが挿入されたときに、４円口座、２円口座、１円口座の貯玉数が、それぞれ０（０＋０）、２２００（２０００＋２００）、３３００（３０００＋３００）に更新され、４円口座、２円口座、１円口座の持玉数が、いずれも０にクリアされる。
【０１１４】
ＣＵ管理テーブルには、図８に示すように、各カードユニット３の装置ＩＤ（台番号）に対応付けて、当該カードユニットに対応して設けられる遊技機において使用可能な遊技媒体の単価である基本単価と、前述したプリペイド払出、持玉払出、貯玉払出、及び乗入れ払出で払い出されるパチンコ玉の数である基本払出玉数と、当該カードユニットにおいて受付中の会員カード又はビジターカードのカードＩＤである受付中カードＩＤと、が記憶されている。
【０１１５】
ここで記憶されている基本単価及び基本払出玉数は、遊技場の営業開始前に遊技用システム１で実行される営業開始時処理において、持玉管理装置１４０から各装置ＩＤのカードユニット３に送信され、制御ユニット３２８のＲＡＭ３２８ｂに記憶される。そして、パチンコ玉の払出（前述したプリペイド払出、持玉払出、貯玉払出、及び乗入れ払出）を実行するときに、各カードユニット３で記憶される基本払出玉数のパチンコ玉が払い出される。例えば、基本単価が４．００円の場合の基本払出玉数は１２５となっているため、制御ユニット３２８とパチンコ機２との間で通信が実行され、５度数相当の１２５玉が払い出されることになる。また、基本単価が２．００円及び１．００円の場合の基本払出玉数は２００となっているため、制御ユニット３２８とパチンコ機２との間で通信が実行され、８度数相当の２００玉が払い出されることになる。
【０１１６】
なお、本実施の形態では、プリペイド払出、持玉払出、貯玉払出、及び乗入れ払出の各種別の払出について共通の払出玉数（基本払出玉数である１２５）が設定されているが、このような形態に限らず、払出の種別に応じて異なる払出玉数を設定するようにしても良い。例えば、乗入れ払出についてのみ払出玉数を２００と設定して、算出される払出可能な玉数が２００以上となる場合にのみ乗入れ払出を実行可能としても良い。また、基本払出玉数未満の乗入れ払出を実行可能としても良い。例えば、乗入れ払出を持玉払出と同様に１玉から可能とし、算出される払出可能な玉数が１以上であれば乗入れ払出を実行可能としても良い。また、算出される払出可能な玉数が基本払出玉数未満であるが一単位数以上である場合には、一単位数の整数倍であって該払出可能な玉数を超えない最大数を乗入れ払出によって払い出すようにすると良い。
【０１１７】
（会員管理装置）
次に、本実施の形態の会員管理装置１５０について、図９に基づき説明する。まず、本実施の形態に用いた会員管理装置１５０は、図９に示すように、コンピュータ内部にてデータの送受を行うデータバス１５１に、該会員管理装置１５０が実施する各種処理を行うＣＰＵ１５２、ワークメモリ等として使用されるＲＡＭ１５３、時刻情報やカレンダ情報を出力するＲＴＣ１５４、ハードディスク等からなる記憶装置１５５、キーボードやマウス等の入力装置１５６、各種の画面を表示出力する表示装置１５７、各種情報をプリント出力するプリンタ１５８、ローカルエリアネットワーク（ＬＡＮ）に接続された持玉管理装置１４０及び景品交換用ＰＯＳ端末１７０等の各装置とのデータ通信を行う通信部１５９、貯玉管理期間に設置された貯玉管理サーバ１５とのデータ通信を行うデジタルサービスユニット（ＤＳＵ）１６０が接続された通常のコンピュータである。
【０１１８】
記憶装置１５５には、会員管理装置１５０において実施される各種処理を行うための処理内容が記述された処理プログラムに加えて、会員カードを所持する会員遊技者が所有する当日前に当該会員遊技者により獲得された貯玉数を管理するための貯玉管理テーブル（図１０参照）と、前述した持玉管理装置１４０から取得可能であり、乗入れ払出を実行する場合に選択される乗入れ元口座の優先順位を管理する乗入れ優先順位テーブル（後述する図１３，図１４参照）と、前述した持玉管理装置１４０から取得可能なＣＵ管理テーブルとが記憶されている。
【０１１９】
貯玉管理テーブルには、図１０に示すように、会員カードの各カードＩＤに対応付けて、当該会員カードの発行を受けた会員遊技者を個々に識別可能な会員識別情報である会員番号と、当該会員遊技者が当日前（ただし当日に景品交換用ＰＯＳ端末１７０の使用によって持玉数が貯玉数に移行された場合には、当該貯玉数も含まれる）において獲得した獲得玉数の合計であって遊技や景品交換に未使用の玉数である貯玉数とが記憶されており、会員カードに記憶されている会員カードＩＤ若しくは会員番号から、当該会員遊技者が所有する所有価値である貯玉数を特定できるようになっている。
【０１２０】
ここで、図１０に示すように、貯玉数は、遊技機での遊技に使用可能な遊技媒体の単価毎に管理されている。この例では、４円口座は単価４円の遊技媒体の貯玉数、２円口座は単価２円の遊技媒体の貯玉数、１円口座は単価１円の遊技媒体の貯玉数を管理するための記憶領域であり、各口座の貯玉数は、当該口座に対応した単価の遊技媒体を使用する遊技機での遊技で獲得した所有価値である。
【０１２１】
また、カードユニット３において表示部３１２に表示された貯玉払出ボタンが操作され、貯玉払出が実行されるときには、該カードユニット３と会員管理装置１５０との間で通信が行われ、カードユニット３にて受付中の会員カードの会員番号に対応付けて貯玉管理テーブルで管理されている各口座の貯玉数のうち、当該カードユニット３の装置ＩＤに対応した基本単価に対応した口座の貯玉数から、払出玉数が減算される。
【０１２２】
また、記憶装置１５５には不図示の会員情報管理テーブルも記憶されており、該会員情報記憶テーブルでは、会員カードに記録されているカードＩＤ及び会員番号に対応付けて、当該会員番号により識別される会員遊技者が会員登録時に登録した氏名及び暗証番号が記憶されている。
【０１２３】
（景品交換用ＰＯＳ端末）
景品交換用ＰＯＳ端末１７０（以下、景品ＰＯＳ１７０と略記する）は、マイクロコンピュータが設けられ、このマイクロコンピュータには、制御中枢としてのＣＰＵ、ＣＰＵの制御動作プログラムを格納しているＲＯＭ、ＣＰＵのワークエリアとしてのＲＡＭ、外部機器との信号の入出力を行なうための入出力インターフェイスが設けられている。ＣＰＵは、入出力インターフェイスを介して、持玉管理装置１４０との間での情報の入出力、会員管理装置１５０との間での情報の入出力がそれぞれ可能となっている。また、景品ＰＯＳ１７０には、マイクロコンピュータに接続されるカードリーダライタ、表示装置、キーボード等の入力装置、バーコードリーダ等が設けられている。
【０１２４】
カードリーダライタにビジターカードが挿入されることにより、景品ＰＯＳ１７０と持玉管理装置１４０との間で通信が行われ、カードリーダライタで読み取られたビジターカードのカードＩＤに対応付けて持玉管理装置１４０で記憶されている各口座の持玉数が表示装置に表示される。この状態で、景品に付された景品価値（例えば１０００円相当）を示すバーコードをバーコードリーダで読み取ることにより、あるいは入力装置によって景品価値を入力することにより、該景品価値に相当する交換玉数（例えば４円なら２５０玉、２円なら５００玉、１円なら１０００玉）が、選択された口座（例えば４円口座、２円口座、及び１円口座のいずれか）の持玉数から減算される（これに伴い該交換玉数が、読み取られたカードＩＤに対応付けて持玉管理装置１４０で記憶されている当該口座の持玉数から減算される）ことで、持玉と景品とを交換可能となっている。
【０１２５】
また、カードリーダライタに会員カードが挿入されることにより、景品ＰＯＳ１７０と持玉管理装置１４０及び持玉管理装置１４０と貯玉管理装置１５０との間で通信が行われ、カードリーダライタで読み取られた会員カードのカードＩＤに対応付けて持玉管理装置１４０で記憶されている各口座（４円口座、２円口座、１円口座）の持玉数が、カードリーダライタで読み取られた会員カードの会員番号に対応付けて貯玉管理措置１５０で記憶されている対応する各口座（４円口座、２円口座、１円口座）の貯玉数に加算されると共に、持玉管理装置１４０で記憶されている各口座（４円口座、２円口座、１円口座）の持玉数が０に更新される。そして、該更新後の各口座の貯玉数が表示装置に表示される。
【０１２６】
この状態で、景品に付された景品価値を示すバーコードをバーコードリーダで読み取ることにより、あるいは入力装置によって景品価値を入力することにより、該景品価値に相当する交換玉数（例えば４円なら２５０玉、２円なら５００玉、１円なら１０００玉）が、選択された口座（例えば４円口座、２円口座、及び１円口座のいずれか）の貯玉数から減算される（これに伴い該交換玉数が、読み取られた会員番号に対応付けて会員管理装置１５０で記憶されている当該口座の貯玉数から減算される）ことで、貯玉と景品とを交換可能となっている。なお、更新後の貯玉数の一部のみを景品交換に使用し、残りの貯玉数は次回の遊技に使用することも可能であり、更新後の貯玉数の全てを次回の遊技に使用することも可能である。
【０１２７】
［第１実施形態］
第１実施形態は、乗入れ払出における優先順位を設定可能なものである。
【０１２８】
ここで乗入れ払出には、一の他口座のみの持玉数を減算して基本単価の遊技媒体を払い出すものと、複数の他口座の持玉数を減算して基本単価の遊技媒体を払い出すもの（いわば複数の他口座にまたがって持玉数を減算可能なもの）とがあり、前者を「またがり乗入れ無し」、後者を「またがり乗入れ有り」と称する。なお、またがり乗入れ有りの場合には、基本単価の口座及び一の他口座にまたがって持玉数を減算可能なものや、基本単価の口座及び複数の他口座にまたがって持玉数を減算可能なもの、即ち基本単価の口座にもまたがる乗入れも可能である。
【０１２９】
この乗入れ払出において、またがり乗入れ無しとするか、またがり乗入れ有りとするかや、またがり乗入れ有りの場合に、基本単価の口座にもまたがる乗入れを可とするか不可とするかは、各カードユニット３において予め設定され記憶されている。この設定は、例えば持玉管理装置１４０から設定内容を受信すること、図示しないリモコンから設定内容を受信すること、図示しないスイッチの操作により設定を受け付けること、等により記憶される。なお、またがり乗入れの有無や基本単価の口座へのまたがりの可不可は、全てのカードユニット３について一律に設定するのではなく、各カードユニット３について個別に設定できるようにしてもよい。
【０１３０】
この第１実施形態では、カードユニット３において、制御ユニット３２８により持玉数及び貯玉数が確認され、持玉払出又は貯玉払出が可能な状態であれば、再プレイＬＥＤ３１９ｂの点灯制御が行われる。再プレイＬＥＤ３１９ｂは、再プレイボタン３１９により覆われており、再プレイＬＥＤ３１９ｂが点灯すると、ＬＥＤから発せられる可視光が再プレイボタン３１９を透過する。これにより、遊技者は、持玉払出及び貯玉払出を実行する際に操作する操作領域が点灯していることを認識して、持玉払出又は貯玉払出が実行可能である（再プレイボタン３１９の操作が有効である）ことを把握する。再プレイボタン３１９が操作されたことを再プレイスイッチ３１９ａが検出すると制御ユニット３２８に再プレイ操作信号が入力される。
【０１３１】
また第１実施形態では、持玉管理装置１４０の記憶装置１４５において、後述する共通優先順位テーブル（図１３参照），会員毎優先順位テーブル（図１４参照），及び乗入れ履歴テーブル（図１９参照）が記憶されている。
【０１３２】
（乗入れ払出における優先順位の設定）
以下、図１１〜図１４を参照して、乗入れ払出における優先順位の設定について説明する。
【０１３３】
本実施の形態では、前述の如く、持玉払出において、一のカードユニットに対応する付与レート（基本単価）以外の付与レートの所有価値（持玉数）に応じて、当該一のカードユニットの付与レートに対応するパチンコ玉を付与（払出）するための「乗入れ付与処理（乗入れ払出）」が行われるが、複数種類の付与レート（例えば４円，２円，１円）の所有価値のうち、いずれの付与レートの所有価値から優先して供するかを設定しておかないと乗入れ付与処理が実行できないため、該乗入れ付与処理において乗入れ元とする付与レートの所有価値の優先順位を設定可能としている。
【０１３４】
即ち、基本単価の持玉数は基本払出玉数に満たないために当該基本単価の持玉数のみを使用した払出はできないが、該基本単価以外の付与レートの持玉数を使用すれば払出ができるときに、複数種類の付与レートの持玉数を該払出に使用可能な場合には、いずれかの付与レートの持玉数から優先して使用する必要があるので、その優先順位を予め設定しておくのである。
【０１３５】
図１１は、持玉管理装置１４０の表示装置１４７に表示される優先順位設定画面の一例を示す図である。この優先順位設定画面は、複数種類の付与レートの所有価値のうち、乗入れ付与処理において乗入れ元とする付与レートの所有価値の優先順位を設定するための画面である。この持玉管理装置１４０の表示装置１４７に表示される優先順位設定画面では、遊技場の店員が操作可能なので、遊技場の意向に応じて、優先順位を好適に設定可能である。
【０１３６】
なお、本例では、自台レート（基本単価）も含めて優先順位を設定可能な例について説明しているが、自台レートについては優先順位を設定不能（例えば自動的に優先順位が第１位となる）とし、該自台レート以外の付与レートについてのみ優先順位を設定可能なものであってもよい。
【０１３７】
持玉管理装置１４０において、優先順位設定モードが実行されると、まずＤ０１の画面が表示される。このＤ０１では、「高レート優先」，「低レート優先」，又は「任意設定」のいずれかを選択するためのラジオボタンと、次画面に進むための「次へ」ボタンが表示される。ここで「高レート優先」は、複数種類の付与レートのうち、高レートの持玉数から順に、前記優先順位が自動的に設定される選択肢であり、「低レート優先」は、複数種類の付与レートのうち、低レートの持玉数から順に、前記優先順位が自動的に設定される選択肢であり、「任意設定」、前記優先順位を任意に設定可能となる選択肢である。
【０１３８】
このＤ０１で、「高レート優先」のラジオボタンが選択されて「次へ」ボタンが操作されると、Ｄ０２で、自台レート優先を「する」か「しない」かを選択するためのラジオボタンと、該選択された内容で前記優先順位を設定するための「設定」ボタンが表示される。ここで「自台レート優先」とは、乗入れ先単価と同じ乗入れ元単価が、前記優先順位の第１位に自動的に設定される選択肢である。
【０１３９】
このＤ０２で、「する」のラジオボタンが選択されて「次へ」ボタンが操作されると、後述する図１３（ａ）に示すように、共通優先順位テーブルにおいて、「高レート優先」かつ「自台レート優先する」の優先順位が、自動的に設定される。一方、Ｄ０２で、「しない」のラジオボタンが選択されて「次へ」ボタンが操作されると、同図１３（ｂ）に示すように、共通優先順位テーブルにおいて、「高レート優先」かつ「自台レート優先しない」の優先順位が、自動的に設定される。
【０１４０】
なお、図示しないが、前記Ｄ０１で、「低レート優先」のラジオボタンが選択されて「次へ」ボタンが操作された場合にも、前記Ｄ０２が表示される。そしてＤ０２で、「する」のラジオボタンが選択されて「次へ」ボタンが操作されると、後述する図１３（ｃ）に示すように、共通優先順位テーブルにおいて、「低レート優先」かつ「自台レート優先する」の優先順位が、自動的に設定される。一方、Ｄ０２で、「しない」のラジオボタンが選択されて「次へ」ボタンが操作されると、同図１３（ｄ）に示すように、共通優先順位テーブルにおいて、「低レート優先」かつ「自台レート優先しない」の優先順位が、自動的に設定される。
【０１４１】
これら高レート優先や低レート優先を設定するのは、例えば高レートや低レートの一方のみが、乗入れの際の手数料が掛かる場合や、キャンペーンの対象である場合が有るので、高レートや低レートの一方を優先する意義がある。
【０１４２】
前記Ｄ０１で、「任意設定」のラジオボタンが選択されて「次へ」ボタンが操作されると、Ｄ０３で、「一括設定」又は「個別設定」のいずれかを選択するためのラジオボタンと、次画面に進むための「次へ」ボタンが表示される。ここで「一括設定」は、複数種類の乗入れ先単価のすべてについて、乗入れ元単価の優先順位を一括で設定可能となる選択肢であり、「個別設定」は、複数種類の乗入れ元単価の各々について、乗入れ元単価の優先順位を個別に設定可能となる選択肢である。
【０１４３】
このＤ０３で、「一括設定」のラジオボタンが選択されて「次へ」ボタンが操作されると、Ｄ０４で、乗入れ先単価のすべてについて共通に乗入れ元単価の優先順位を入力可能な入力欄と、該入力された内容で前記優先順位を設定するための「設定」ボタンが表示される。このＤ０４で、各乗入れ元単価（ここでは４円，２円，１円）の入力欄に所望の優先順位（第１位を示す「１」，第２位を示す「２」，又は第３位を示す「３」）を入力して「設定」ボタンが操作されると、後述する図１３（ｅ）に示すように、共通優先順位テーブルにおいて、「任意一括」の優先順位が、該入力された内容で設定される。
【０１４４】
一方、Ｄ０３で、「個別設定」のラジオボタンが選択されて「次へ」ボタンが操作されると、Ｄ０５で、複数種類の乗入れ先単価の各々について個別に乗入れ元単価の優先順位を入力可能な入力欄と、該入力された内容で前記優先順位を設定するための「設定」ボタンが表示される。このＤ０５で、第１の乗入れ先単価（４円），第２の乗入れ先単価，第３の乗入れ先単価（１円）の各々について、各乗入れ元単価（ここでは４円，２円，１円）の入力欄に所望の優先順位（第１位を示す「１」，第２位を示す「２」，又は第３位を示す「３」）を入力して「設定」ボタンが操作されると、後述する図１３（ｆ）に示すように、共通優先順位テーブルにおいて、「任意個別」の優先順位が、該入力された内容で設定される。
【０１４５】
このように、優先順位設定画面において、共通に優先順位を設定できるので、乗入れ付与処理において乗入れ元とする付与レートの所有価値の優先順位を好適に設定可能である。ここで「共通に」とは、自台レート優先とするか否かを含め、各乗入れ先レートについて、一括で又は個別に、優先順位を設定できることである。
【０１４６】
図１２は、持玉管理装置１４０の表示装置１４７に表示される制限設定画面の一例を示す図である。この制限設定画面は、複数種類の付与レートの所有価値のうち、乗入れ元とする付与レートの所有価値の制限（乗入れ禁止）を設定するための画面である。この持玉管理装置１４０の表示装置１４７に表示される制限設定画面では、遊技場の店員が操作可能なので、制限を所望する遊技場の意向に沿った乗入れが可能である。
【０１４７】
持玉管理装置１４０において、制限設定モードが実行されると、まずＤ１１の画面が表示される。このＤ１１では、複数種類の乗入れ先単価（ここでは４円，２円，１円）の各々について、乗入れを制限する乗入れ元単価を設定可能な入力欄と、該入力された内容で制限を設定するための「設定」ボタンが表示される。ここでＤ１２に示すように、制限を所望する箇所（本例では、乗入れ先単価４円について乗入れ元単価１円と、乗入れ先単価１円について乗入れ元単価４円の、２箇所）に、該制限を示す「×」印を入力して、「設定」ボタンを操作すると、後述する図１３（ａ’），（ｂ’），（ｃ’），（ｄ’），（ｅ’），（ｆ’）に示すように、共通優先順位テーブルにおいて、該入力された制限の内容が反映される。
【０１４８】
なお本例では、付与レートが（自台レートと２つの他レートの）３レートである例について説明したので、制限が１レートについてのみ設定される例について説明した。一の乗入れ先単価に対して２レート以上の制限を設定することも可能であるが、３レート中の２レートに制限を設定すると優先順位の意味が無くなってしまうからである。ただし付与レートが４レート以上である場合には、一の乗入れ先単価に対して２レート以上の制限を設定することも可能である。
【０１４９】
そして図１２に示す例では、乗入れ元としての制限と乗入れ先としての制限の両方を設定可能な制限設定画面が表示される例について説明したが、この他に、例えば乗入れ元としての制限のみを設定可能な制限設定画面と、乗入れ先としての制限のみを設定可能な制限設定画面とが、さらに表示されるものであってもよい。
【０１５０】
以上の説明では、図１１に示す優先順位設定を行ってから、図１２に示す制限設定を行う例について説明したが、逆に制限設定を行ってから、該制限が設定されていないレートについて優先順位設定を行うものであってもよい。
【０１５１】
図１３は、持玉管理装置１４０の記憶装置１４５で記憶される共通優先順位テーブルの一例を示す図である。
【０１５２】
なお本例では、優先順位の制限として、乗入れ先単価４円について乗入れ元単価１円と、乗入れ先単価１円について乗入れ元単価４円の、２箇所が設定されている例について説明するが、各共通優先順位の各々について独自に制限が設定されるものも当然に含まれる。そして、制限が設定されると、第３位が無くなり、第１位と第２位のみとなる。
【０１５３】
（ａ）は、自動的に設定される、「高レート優先」かつ「自台レート優先する」の優先順位である。具体的には、乗入れ先単価４円については、自台レート優先なので、該乗入れ先単価と同じ乗入れ元単価４円が第１位であり、高レート優先なので、残り２レートのうち、レートが高い乗入れ元単価２円が第２位であり、レートが低い乗入れ元単価１円が第３位である。また、乗入れ先単価２円については、自台レート優先なので、該乗入れ先単価と同じ乗入れ元単価２円が第１位であり、高レート優先なので、残り２レートのうち、レートが高い乗入れ元単価４円が第２位であり、レートが低い乗入れ元単価１円が第３位である。また、乗入れ先単価１円については、自台レート優先なので、該乗入れ先単価と同じ乗入れ元単価１円が第１位であり、高レート優先なので、残り２レートのうち、レートが高い乗入れ元単価４円が第２位であり、レートが低い乗入れ元単価２円が第３位である。
【０１５４】
（ａ’）は、（ａ）に制限を反映させたものである。具体的には、乗入れ先単価４円については、乗入れ元単価１円が制限されるので、乗入れ元単価４円がそのまま第１位，乗入れ元単価２円がそのまま第２位となる。また、乗入れ先単価２円については、制限が無いので、乗入れ元単価２円がそのまま第１位，乗入れ元単価４円がそのまま第２位，乗入れ元単価１円がそのまま第３位となる。また、乗入れ先単価１円については、乗入れ元単価４円が制限されるので、乗入れ元単価１円がそのまま第１位，乗入れ元単価２円が繰り上がって第２位となる。
【０１５５】
（ｂ）は、自動的に設定される、「高レート優先」かつ「自台レート優先しない」の優先順位である。具体的には、いずれの乗入れ先単価についても、自台レートを優先せず、高レート優先なので、最もレートが高い乗入れ元単価４円が第１位であり、次にレートが高い乗入れ元単価２円が第２位であり、最もレートが低い乗入れ元単価１円が第３位である。
【０１５６】
（ｂ’）は、（ｂ）に制限を反映させたものである。具体的には、乗入れ先単価４円については、乗入れ元単価１円が制限されるので、乗入れ元単価４円がそのまま第１位，乗入れ元単価２円がそのまま第２位となる。また、乗入れ先単価２円については、制限が無いので、乗入れ元単価４円がそのまま第１位，乗入れ元単価２円がそのまま第２位，乗入れ元単価１円がそのまま第３位となる。また、乗入れ先単価１円については、乗入れ元単価４円が制限されるので、乗入れ元単価２円が繰り上がって第１位，乗入れ元単価１円が繰り上がって第２位となる。
【０１５７】
（ｃ）は、自動的に設定される、「低レート優先」かつ「自台レート優先する」の優先順位である。具体的には、乗入れ先単価４円については、自台レート優先なので、該乗入れ先単価と同じ乗入れ元単価４円が第１位であり、低レート優先なので、残り２レートのうち、レートが低い乗入れ元単価１円が第２位であり、レートが高い乗入れ元単価２円が第３位である。また、乗入れ先単価２円については、自台レート優先なので、該乗入れ先単価と同じ乗入れ元単価２円が第１位であり、低レート優先なので、残り２レートのうち、レートが低い乗入れ元単価１円が第２位であり、レートが高い乗入れ元単価４円が第３位である。また、乗入れ先単価１円については、自台レート優先なので、該乗入れ先単価と同じ乗入れ元単価１円が第１位であり、低レート優先なので、残り２レートのうち、レートが低い乗入れ元単価２円が第２位であり、レートが高い乗入れ元単価４円が第３位である。
【０１５８】
（ｃ’）は、（ｃ）に制限を反映させたものである。具体的には、乗入れ先単価４円については、乗入れ元単価１円が制限されるので、乗入れ元単価４円がそのまま第１位，乗入れ元単価２円が繰り上がって第２位となる。また、乗入れ先単価２円については、制限が無いので、乗入れ元単価２円がそのまま第１位，乗入れ元単価１円がそのまま第２位，乗入れ元単価４円がそのまま第３位となる。また、乗入れ先単価１円については、乗入れ元単価４円が制限されるので、乗入れ元単価１円がそのまま第１位，乗入れ元単価２円がそのまま第２位となる。
【０１５９】
（ｄ）は、自動的に設定される、「低レート優先」かつ「自台レート優先しない」の優先順位である。具体的には、いずれの乗入れ先単価についても、自台レートを優先せず、低レート優先なので、最もレートが低い乗入れ元単価１円が第１位であり、次にレートが低い乗入れ元単価２円が第２位であり、最もレートが高い乗入れ元単価４円が第３位である。
【０１６０】
（ｄ’）は、（ｄ）に制限を反映させたものである。具体的には、乗入れ先単価４円については、乗入れ元単価１円が制限されるので、乗入れ元単価２円が繰り上がって第１位，乗入れ元単価４円が繰り上がって第２位となる。また、乗入れ先単価２円については、制限が無いので、乗入れ元単価１円がそのまま第１位，乗入れ元単価２円がそのまま第２位，乗入れ元単価４円がそのまま第３位となる。また、乗入れ先単価１円については、乗入れ元単価４円が制限されるので、乗入れ元単価１円がそのまま第１位，乗入れ元単価２円がそのまま第２位となる。
【０１６１】
（ｅ）は、任意に設定される、「任意一括」の優先順位である。本例では、いずれの乗入れ先単価についても、一括に、乗入れ元単価４円が第１位，乗入れ元単価１円が第２位，乗入れ元単価２円が第３位と設定されている。なお、（ｅ）は任意に設定されるので、設定内容は本例に限定されない。
【０１６２】
（ｅ’）は、（ｅ）に制限を反映させたものである。具体的には、乗入れ先単価４円については、乗入れ元単価１円が制限されるので、乗入れ元単価４円がそのまま第１位，乗入れ元単価２円が繰り上がって第２位となる。また、乗入れ先単価２円については、制限が無いので、乗入れ元単価４円がそのまま第１位，乗入れ元単価１円がそのまま第２位，乗入れ元単価２円がそのまま第３位となる。また、乗入れ先単価１円については、乗入れ元単価４円が制限されるので、乗入れ元単価１円が繰り上がって第１位，乗入れ元単価２円が繰り上がって第２位となる。
【０１６３】
（ｆ）は、任意に設定される、「任意個別」の優先順位である。本例では、乗入れ先単価４円について、乗入れ元単価２円が第１位，乗入れ元単価１円が第２位，乗入れ元単価４円が第３位と設定され、乗入れ先単価２円について、乗入れ元単価４円が第１位，乗入れ元単価２円が第２位，乗入れ元単価１円が第３位と設定され、乗入れ先単価１円について、乗入れ元単価２円が第１位，乗入れ元単価１円が第２位，乗入れ元単価４円が第３位と設定されている。なお、（ｆ）は任意に設定されるので、設定内容は本例に限定されない。
【０１６４】
（ｆ’）は、（ｆ）に制限を反映させたものである。具体的には、乗入れ先単価４円については、乗入れ元単価１円が制限されるので、乗入れ元単価２円がそのまま第１位，乗入れ元単価４円が繰り上がって第２位となる。また、乗入れ先単価２円については、制限が無いので、乗入れ元単価４円がそのまま第１位，乗入れ元単価１円がそのまま第２位，乗入れ元単価２円がそのまま第３位となる。また、乗入れ先単価１円については、乗入れ元単価４円が制限されるので、乗入れ元単価２円がそのまま第１位，乗入れ元単価１円がそのまま第２位となる。
【０１６５】
ここで、各乗入れ先単価について図１３（ａ）〜（ｆ）又は（ａ'）〜（ｆ’）のいずれかで設定された優先順位は、図８に示すＣＵ管理テーブルで記憶されている基本単価の各カードユニット３に対して送信される。具体的には、基本単価４円のカードユニット３に対しては、乗入れ先単価４円について設定された優先順位が送信され、基本単価２円のカードユニット３に対しては、乗入れ先単価２円について設定された優先順位が送信され、基本単価２円のカードユニット３に対しては、乗入れ先単価２円について設定された優先順位が送信される。そして、該送信された優先順位は、各カードユニット３の制御ユニット３２８で、共通優先順位として記憶される。
【０１６６】
以上の説明では、遊技場の店員が操作可能な持玉管理装置１４０において、各カードユニット３に対応する基本単価が異なる場合であっても共通に優先順位が設定される例について説明したが、図示しないが、遊技者が操作可能なカードユニット３において、会員毎に優先順位を設定することも可能である。
【０１６７】
具体的には、いずれかのカードユニット３において、会員カードの受付中に、優先順位設定モードが実行されると、前記図１１と同じ画面が表示部３１２に表示され、遊技者が透明タッチパネル３１４を操作することより、同様にして優先順位の設定を行うと、図１４に示すように、持玉管理装置１４０の記憶装置１４５が記憶している会員毎優先順位テーブルにおいて、前記会員カードの会員番号に対応付けて、該設定された優先順位が記憶される。また、当該会員番号に対応付けて優先順位が記憶されている状態で、いずれかのカードユニット３において、当該会員カードの受付中に、制限設定モードが実行されると、前記図１２に同じ画面が表示部３１２に表示され、遊技者が透明タッチパネル３１４を操作することより、同様にして制限の設定を行うと、会員毎優先順位テーブルにおいて、当該会員番号に対応付けて記憶されている優先順位に、該設定された制限が反映される。なお、優先順位や制限は、カードユニット３における設定時に、持玉管理装置１４０にデータが送信されて記憶されるものでもよく、またカードユニット３における会員カードの返却時に、持玉管理装置１４０にデータが送信されて記憶されるものでもよい。
【０１６８】
図１４は、持玉管理装置１４０の記憶装置１４５で記憶される会員毎優先順位テーブルの一例を示す図である。この会員毎優先順位テーブルでは、会員番号に対応付けて、会員毎に設定されている優先順位が記憶される。持玉管理装置１４０は、会員カードを受け付けたカードユニット３から、当該会員カードの会員番号を受信すると、該会員番号に対応付けて記憶している会員毎優先順位がある場合には、当該会員毎優先順位をカードユニット３に対して返信する。そして、該送信された会員毎優先順位は、会員カードの受付中に限り、各カードユニット３の制御ユニット３２８で記憶され、該制御ユニット３２８が記憶している前記共通優先順位よりも、持玉乗入れにおいて優先して適用される。従って、台移動をした場合にも、当該会員カードで記憶されている会員毎優先順位は、該移動先のカードユニット３でも適用される。
【０１６９】
なお会員毎優先順位テーブルは、持玉管理装置１４０で記憶されるものには限られず、各会員毎に設定された優先順位が当該会員の会員カードに記憶されるものであってもよい。この場合には、カードユニット３が会員カードを受け付けると、会員毎優先順位が記憶されている場合には、該会員毎優先順位を読み取って、制御ユニット３２８で記憶し、該制御ユニット３２８が記憶している前記共通優先順位よりも、持玉乗入れにおいて優先して適用する。従って、台移動をした場合にも、当該会員カードで記憶されている会員毎優先順位は、該移動先のカードユニット３でも適用される。
【０１７０】
なお、このように会員カードで会員毎優先順位を記憶する場合にも、持玉管理装置１４０でも会員毎優先順位を記憶しておけば、会員カードを紛失しても、該持玉管理装置１４０で記憶されている会員毎優先順位を新規の会員カードに記憶させることにより、該会員毎優先順位を引き継ぐことができるので、好ましい。また、会員カードが他店舗でも使える（例えば全国共通の）場合には、持玉管理装置１４０が記憶している会員毎優先順位や会員カードで記憶している会員毎優先順位が、該他店舗でも適用されるものであってもよい。
【０１７１】
なお、これら図１３及び図１４の内容は、遊技場の店員が操作可能な持玉管理装置１４０において、優先順位表示モードが実行されると、表示装置１４７に表示される。例えば、図１３や図１４の内容をそのまま表示させたり、乗入れ先のレートを指定することにより当該乗入れ先について設定されている乗入れ元の共通優先順位を表示させたり、乗入れ元のレートを指定することにより当該乗入れ元について設定されている乗入れ先の共通優先順位を表示させたり、会員番号を指定することにより当該会員番号について設定されている会員毎優先順位表示させたりすることができる。この優先順位を表示する表示装置１４７は、優先順位設定手段による設定内容を出力する出力手段として機能するものであり、これによれば、遊技場の店員が優先順位の設定内容を知ることができるので、遊技場の利便性を向上できる。
【０１７２】
（カードユニットの処理）
図１５〜図１８を参照して、カードユニット３の処理について説明する。カードユニット３では、ＣＰＵ３２８ａが各デバイスを制御することにより、各種の処理が行われる。なお、以下においては、まず図１５及び図１６を参照して、前記またがり乗入れ無しの場合について説明し、次に図１７を参照して、前記またがり乗入れ有りの場合について説明する。
【０１７３】
図１５は、カードユニット３が実行するメインルーチンの一例を示す図である。
【０１７４】
カードユニット３は、カードの受付を待機し（Ｓ１０１）、カードの受付が有ると（ＹＥＳ）、該受け付けたカードが会員カードであるか否かを判定する（Ｓ１０２）。
【０１７５】
このＳ１０２で、受け付けたカードが会員カードでない（ＮＯ）、即ち受け付けたカードがビジターカードであると判定した場合には、ビジター情報取得処理を行う（Ｓ１０３）。このＳ１０３では、受け付けたビジターカードから読み取ったカードＩＤを残額管理装置１００，及び持玉管理装置１４０に対して送信し、残額管理装置１００からは、当該カードＩＤに対応付けて残額管理テーブル（図５）で記憶されているプリペイド残額を取得し、持玉管理装置１４０からは、当該カードＩＤに対応付けて持玉管理テーブル（図７）で記憶されている各口座の持玉数を取得して、それらを制御ユニット３２８で記憶する。
【０１７６】
一方、Ｓ１０２で、受け付けたカードが会員カードである（ＹＥＳ）と判定した場合には、会員情報取得処理を行う（Ｓ１０４）。このＳ１０４では、受け付けた会員カードから読み取ったカードＩＤ及び会員番号を残額管理装置１００，持玉管理装置１４０，及び貯玉管理装置１５０に対して送信し、残額管理装置１００からは、当該カードＩＤに対応付けて残額管理テーブル（図５）で記憶されているプリペイド残額を取得し、持玉管理装置１４０からは、当該カードＩＤに対応付けて持玉管理テーブル（図７）で記憶されている各口座の持玉数と、当該会員番号に対応付けて会員毎優先順位テーブル（図１４）で記憶されている会員毎優先順位があれば該会員毎優先順位を取得し、貯玉管理装置１５０からは、当該カードＩＤに対応付けて貯玉管理テーブル（図１０）で記憶されている各口座の貯玉数を取得して、それらを制御ユニット３２８で記憶する。
【０１７７】
Ｓ１０３又はＳ１０４の処理後、表示部３１２に基本表示を表示する（Ｓ１０５）。この基本表示では、図１８（ａ）に示すように、当該カードユニット３の基本単価及び基本払出玉数と、Ｓ１０３又はＳ１０４で取得したプリペイド残額と、Ｓ１０３又はＳ１０４で取得した持玉数と計数・端数払出ユニット３４０で計数された計数済玉数とに基づく当日玉数と、該当日玉数に基づいて算出される払出可能数と、会員カードを受け付けた場合にＳ１０４で取得した貯玉数と、該該貯玉数に基づいて算出される再プレイ可能数とが表示されると共に、「優先順位表示」ボタンが表示される。
【０１７８】
ここで「当日玉数」は、Ｓ１０３又はＳ１０４で取得した各レート（４円，２円，１円）の持玉数と、計数・端数払出ユニット３４０で計数された計数済玉数との、単純合計である。また「払出可能数」は、計数済玉数と各レートの持玉数を基本単価の持玉数に換算し、該換算した数のうちの基本払出玉数の倍数の最大値を、各レートについて合計した値である。また「貯玉数」は、Ｓ１０４で取得した各レートの貯玉数のうちの基本単価の貯玉数である。また「再プレイ可能数」は、該基本単価の貯玉数のうちの基本払出玉数の倍数の最大値である。
【０１７９】
具体的に、ＣＵ００１のカードユニット３（基本単価４円，基本払出玉数１２５玉）が、ＫＣ−００００１の会員カード（４円持玉数０玉，２円持玉数４００玉，１円持玉数８００玉、４円貯玉数６３４玉，２円貯玉数２０００玉，１円貯玉数３０００玉）を受け付けた場合における、基本表示について説明する。なお、計数済玉数は０とする。
【０１８０】
まず「当日玉数」の表示は、０（計数済玉数）＋０（４円持玉数）＋４００（２円持玉数）＋８００（１円持玉数）＝１２００である。また「払出可能数」の表示は、１２５（２円持玉数４００玉を４円持玉数に換算した２００玉のうちの基本払出玉数１２５玉の倍数の最大値）＋１２５（１円持玉数８００玉を４円持玉数に換算した２００玉のうちの基本払出玉数１２５玉の倍数の最大値）＝２５０である。また「貯玉数」は、６３４（４円貯玉数）である。また「再プレイ可能数」は、６２５（４円貯玉数６３４玉のうちの基本払出玉数１２５玉の倍数の最大値）である。
【０１８１】
Ｓ１０５の処理後は、優先順位表示ボタン（Ｓ１１１），払出ボタン２１（Ｓ１２１），再プレイボタン３１９（Ｓ１３１），又は返却ボタン２２（Ｓ１４１）の操作を待機する。
【０１８２】
このＳ１１１で優先順位表示ボタンの操作が有ると（ＹＥＳ）、表示部３１２に優先順位表示を表示して（Ｓ１１２）、Ｓ１１１に戻る。この優先順位表示では、図１８（ｂ）に示すように、制御ユニット３２８が記憶している優先順位が表示される。この優先順位は、前述の如く、会員カードの受付中で、当該会員カードの会員番号に対応付けて前記会員毎優先順位が設定されている場合には、当該会員毎優先順位であり、それ以外の場合には、当該カードユニット３について設定されている共通優先順位である。この優先順位を表示する表示部３１２は、優先順位設定手段による設定内容を出力する出力手段として機能するものであり、これによれば、遊技者が優先順位の設定内容を知ることができるので、遊技者の利便性を向上できる。
【０１８３】
またＳ１２１で払出ボタン２１の操作が有ると（ＹＥＳ）、前記プリペイド払出を行って（Ｓ１２２）、Ｓ１１１に戻る。このプリペイド払出では、プリペイド残額が基本払出玉数分（基本単価が４円ならば５００円、基本単価が２円ならば４００円、基本単価が１円ならば２００円）以上の場合には、該基本払出玉数分のプリペイド残額を使用して、基本払出玉数がパチンコ機２から払い出され、プリペイド残額が基本払出玉数分未満の場合には、１００円の整数倍を使用して、払出単位である２５玉×該整数倍のパチンコ玉がパチンコ機２から払い出されて、前記基本表示（図１８（ａ））のプリペイド残額が減算更新される。なおプリペイド残額が０の場合には、プリペイド払出は行われない。
【０１８４】
またＳ１３１で再プレイボタン３１９の操作が有ると（ＹＥＳ）、持玉有りか否かを判定し（Ｓ１３２）、持玉有りならば（ＹＥＳ）、持玉払出処理を行って（Ｓ１３３）、Ｓ１１１に戻り、持玉無しならば（ＮＯ）、貯玉払出処理を行って（Ｓ１３４）、Ｓ１１１に戻る。この持玉払出処理については、図１６を参照して後述する。また貯玉払出処理では、基本単価の貯玉数が基本払出玉数以上の場合には、該基本単価の貯玉数を使用して、基本払出玉数がパチンコ機２から払い出され、制御ユニット３２８で記憶している基本単価の貯玉数から該基本払出玉数を減算すると共に、貯玉管理テーブルで記憶している基本単価の貯玉数から該基本払出玉数を減算するための通信を貯玉管理装置１５０との間で行い、前記基本表示（図１８（ａ））の貯玉数及び再プレイ可能数が減算更新される。なお基本単価の貯玉数が基本払出玉数未満の場合には、貯玉払出処理は行われない。
【０１８５】
またＳ１４１で返却ボタン２２の操作が有ると（ＹＥＳ）、受付中のカードを返却して（Ｓ１４２）、処理を終了し、返却ボタン２２の操作が無ければ（ＮＯ）、Ｓ１１１に戻る。
【０１８６】
図１６は、カードユニット３が実行するサブルーチンである持玉払出処理（またがり乗入れ無し）の一例を示す図である。
【０１８７】
この持玉払出処理では、まず制御ユニット３２８で記憶している計数済玉数（即ち当該カードユニット３で計数され、未だ持玉管理装置１４０で管理されていない玉数）が基本払出玉数以上であるか否かを判定する（Ｓ２０１）。このＳ２０１で計数済玉数が基本払出玉数以上である（ＹＥＳ）と判定した場合には、該基本払出玉数分の計数済玉数を使用して、基本払出玉数がパチンコ機２から払い出され、制御ユニット３２８で記憶している計数済玉数から該基本払出玉数を減算する（Ｓ２０２）。そして前記基本表示（図１８（ａ））の持玉数及び払出可能数を減算更新して（Ｓ２４０）、持玉払出処理を終了する。このように、持玉払出処理においては、持玉管理装置１４０や貯玉管理装置１５０と通信を行う必要が無い、計数済玉数を使用した払出が最優先されるので、通信負荷を軽減できる。一方、Ｓ２０１で計数済玉数が基本払出玉数未満である（ＮＯ）と判定した場合には、Ｓ２１１に進む。
【０１８８】
Ｓ２１１では、制御ユニット３２８が記憶している優先順位の第１位レートが基本単価であるか否かを判定する。このＳ２１１で第１位レートが基本単価である（ＹＥＳ）と判定した場合には、計数済玉数＋該第１位レートの持玉数が基本払出玉数以上であるかを判定する（Ｓ２１２）。このＳ２１２でＹＥＳと判定した場合には、該計数済玉数＋第１位レートの持玉数を使用して、基本払出玉数がパチンコ機２から払い出され、制御ユニット３２８で記憶している計数済玉数及び第１位レートの持玉数から該基本払出玉数を減算すると共に、持玉管理テーブルで記憶している該第１位レートの持玉数を減算するための通信を持玉管理装置１４０との間で行う（Ｓ２１３）。そして前記基本表示（図１８（ａ））の持玉数及び払出可能数を減算更新して（Ｓ２４０）、持玉払出処理を終了する。なお基本払出玉数の減算は、計数済玉数から優先して行われ、該計数済玉数から減算しきれない分が、第１位レートの持玉数から減算される。一方、Ｓ２１２でＮＯと判定した場合、即ち計数済玉数＋第１位レートの持玉数での払出ができない場合には、Ｓ２２１に進む。
【０１８９】
前記Ｓ２１１で第１位レートが基本単価ではない（ＮＯ）と判定した場合には，第１位レートの持玉数を基本単価の持玉数に換算して（Ｓ２１４）、該換算した玉数が基本払出玉数以上であるか否かを判定する（Ｓ２１５）。このＳ２１５でＹＥＳと判定した場合には、基本単価ではない第１位レートの持玉数を使用して、基本払出玉数がパチンコ機２から払い出される乗入れ払出が行われ、制御ユニット３２８で記憶している第１位レートの持玉数から該基本払出玉数分の換算玉数を減算すると共に、持玉管理テーブルで記憶している該第１位レートの持玉数を減算するための通信を持玉管理装置１４０との間で行う（Ｓ２１６）。そして前記基本表示（図１８（ａ））の持玉数及び払出可能数を減算更新して（Ｓ２４０）、持玉払出処理を終了する。一方、Ｓ２１５でＮＯと判定した場合、即ち第１位レートの持玉数での乗入れ払出ができない場合には、Ｓ２２１に進む。
【０１９０】
Ｓ２２１では、制御ユニット３２８が記憶している優先順位の第２位レートが基本単価であるか否かを判定する。このＳ２２１で第２位レートが基本単価である（ＹＥＳ）と判定した場合には、計数済玉数＋該第２位レートの持玉数が基本払出玉数以上であるかを判定する（Ｓ２２２）。このＳ２２２でＹＥＳと判定した場合には、該計数済玉数＋第２位レートの持玉数を使用して、基本払出玉数がパチンコ機２から払い出され、制御ユニット３２８で記憶している計数済玉数及び第２位レートの持玉数から該基本払出玉数を減算すると共に、持玉管理テーブルで記憶している該第２位レートの持玉数を減算するための通信を持玉管理装置１４０との間で行う（Ｓ２２３）。そして前記基本表示（図１８（ａ））の持玉数及び払出可能数を減算更新して（Ｓ２４０）、持玉払出処理を終了する。なお基本払出玉数の減算は、計数済玉数から優先して行われ、該計数済玉数から減算しきれない分が、第２位レートの持玉数から減算される。一方、Ｓ２２２でＮＯと判定した場合、即ち計数済玉数＋第２位レートの持玉数での払出ができない場合には、Ｓ２３０に進む。
【０１９１】
前記Ｓ２２１で第２位レートが基本単価ではない（ＮＯ）と判定した場合には，第２位レートの持玉数を基本単価の持玉数に換算して（Ｓ２２４）、該換算した玉数が基本払出玉数以上であるか否かを判定する（Ｓ２２５）。このＳ２２５でＹＥＳと判定した場合には、基本単価ではない第２位レートの持玉数を使用して、基本払出玉数がパチンコ機２から払い出される乗入れ払出が行われ、制御ユニット３２８で記憶している第２位レートの持玉数から該基本払出玉数分の換算玉数を減算すると共に、持玉管理テーブルで記憶している該第２位レートの持玉数を減算するための通信を持玉管理装置１４０との間で行う（Ｓ２２６）。そして前記基本表示（図１８（ａ））の持玉数及び払出可能数を減算更新して（Ｓ２４０）、持玉払出処理を終了する。一方、Ｓ２２５でＮＯと判定した場合、即ち第２位レートの持玉数での乗入れ払出ができない場合には、Ｓ２３０に進む。
【０１９２】
Ｓ２３０では、制御ユニット３２８が記憶している優先順位の第３位レートに制限が有るか否か、即ち第３位レートが有るか否かを判定する。このＳ２３０でＹＥＳと判定した場合には、表示部３１２に「払出できません」と表示して（Ｓ２３７）、処理を終了する。一方、Ｓ２３０でＮＯと判定した場合には、Ｓ２３１に進む。
【０１９３】
Ｓ２３１では、制御ユニット３２８が記憶している優先順位の第３位レートが基本単価であるか否かを判定する。このＳ２３１で第３位レートが基本単価である（ＹＥＳ）と判定した場合には、計数済玉数＋該第３位レートの持玉数が基本払出玉数以上であるかを判定する（Ｓ２３２）。このＳ２３２でＹＥＳと判定した場合には、該計数済玉数＋第３位レートの持玉数を使用して、基本払出玉数がパチンコ機２から払い出され、制御ユニット３２８で記憶している計数済玉数及び第３位レートの持玉数から該基本払出玉数を減算すると共に、持玉管理テーブルで記憶している該第３位レートの持玉数を減算するための通信を持玉管理装置１４０との間で行う（Ｓ２３３）。そして前記基本表示（図１８（ａ））の持玉数及び払出可能数を減算更新して（Ｓ２４０）、持玉払出処理を終了する。なお基本払出玉数の減算は、計数済玉数から優先して行われ、該計数済玉数から減算しきれない分が、第３位レートの持玉数から減算される。一方、Ｓ２３２でＮＯと判定した場合、即ち計数済玉数＋第３位レートの持玉数での払出ができない場合には、前記Ｓ２３７に進む。
【０１９４】
前記Ｓ２３１で第３位レートが基本単価ではない（ＮＯ）と判定した場合には，第３位レートの持玉数を基本単価の持玉数に換算して（Ｓ２３４）、該換算した玉数が基本払出玉数以上であるか否かを判定する（Ｓ２３５）。このＳ２３５でＹＥＳと判定した場合には、基本単価ではない第３位レートの持玉数を使用して、基本払出玉数がパチンコ機２から払い出される乗入れ払出が行われ、制御ユニット３２８で記憶している第３位レートの持玉数から該基本払出玉数分の換算玉数を減算すると共に、持玉管理テーブルで記憶している該第３位レートの持玉数を減算するための通信を持玉管理装置１４０との間で行う（Ｓ２３６）。そして前記基本表示（図１８（ａ））の持玉数及び払出可能数を減算更新して（Ｓ２４０）、持玉払出処理を終了する。一方、Ｓ２３５でＮＯと判定した場合、即ち第３位レートの持玉数での乗入れ払出ができない場合には、前記Ｓ２３７に進む。
【０１９５】
ここでＳ２１６，Ｓ２２６，及びＳ２３６の乗入れ払出（乗入れ付与処理）では、パチンコ玉の払出中において、図１８（ｃ）に示す乗入れ払出中表示が表示部３１２に表示される。この乗入れ払出中表示では、どのレートの持玉を何個使用して乗入れ払出が行われているかが表示されるので、どのような乗入れ払出が行われているかを遊技者が容易に把握できる。
【０１９６】
なお本例では、前述の如く、自台レートを含めて乗入れ払出が行われる例について説明したが、これに限らず、まず自台レートについて払出を行い、該自台レートの計数済玉数及び持玉数が基本払出玉数未満になったら、他レートの持玉数で乗入れ払出を行うものであってもよい。
【０１９７】
以上、図１５及び図１６を参照して、またがり乗入れ無しの場合の持玉払出処理について説明したが、以下、またがり乗入れ有りの場合の持玉払出処理について、またがり乗入れ無しの場合との相違点１，２，３について説明する。
【０１９８】
相違点１は、基本表示における「払出可能数」の算出方法である。またがり乗入れ無しの場合には、計数済玉数と各レートの持玉数を基本単価の持玉数に換算し、該換算した数のうちの基本払出玉数の倍数の最大値を、各レートについて合計した値が払出可能数であったが、またがり乗入れ有りの場合には、計数済玉数と各レートの持玉数（ただし制限されているレートの持玉数は除く）を基本単価の持玉数に換算し、該換算した数を合計し、該合計した数のうちの基本払出玉数の倍数の最大値が払出可能数である。
【０１９９】
具体的に、またがり乗入れ無しの前記図１８（ａ）での払出可能数は２５０であったが、同様の例におけるまたがり乗入れ有りの払出可能数は、図１８（ａ’）にしめすように、３７５（２円持玉数４００玉を４円持玉数に換算した２００＋１円持玉数８００玉を４円持玉数に換算した２００＝４００のうちの基本払出玉数１２５玉の倍数の最大値）である。このように、またがり乗入れ有りの場合には、またがり乗入れ無しで払出可能数に算入されなかった各レートの持玉数の端数を寄せ集めることで、該払出可能数が増える場合があるので、乗入れ払出において使用されない持玉数を減少させることができる。
【０２００】
相違点２は、持玉払出処理である。またがり乗入れ有りの場合には、前記図１６のＳ２０１でＮＯの場合において、制御ユニット３２８で記憶している優先順位が高いレートの持玉数から順に、基本払出玉数相当分の当該レートの持玉数を減算していくことになる。以下、図１７（ａ）〜（ｄ）を参照して、具体的に４つの例を説明する。なお、カードユニット３は、基本単価が４円で基本払出玉数が１２５玉のものであるとする。
【０２０１】
図１７（ａ）では、初期状態において、優先順位第１位の計数済玉数が０玉で４円持玉数が０玉，第２位の２円持玉数が４００玉，第３位の１円持玉数が８００玉である。
【０２０２】
持玉払出の１回目は、第１位の計数済玉数及び４円持玉数が０なので、第２位の２円持玉数４００玉から、基本払出玉数１２５玉相当分の２円持玉数２５０玉を減算して、該２円持玉数は１５０玉となる。この持玉払出の１回目は、１つのレート（２円）の持玉数からの乗入れ払出である。
【０２０３】
持玉払出の２回目は、第２位の２円持玉数１５０玉から、基本払出玉数１２５玉相当分の２円持玉数２５０玉を減算しきれないので、該２円持玉数を減算して０にすると共に、第３位の１円持玉数８００玉から、該減算しきれなかった２円持玉数１００玉相当分の１円持玉数２００玉を減算して、該１円持玉数は６００玉となる。この持玉払出の２回目は、自台レートを含まない２つのレート（２円と１円）の持玉数にまたがった乗入れ払出（またがり乗入れ）である。
【０２０４】
持玉払出の３回目は、第３位の１円持玉数６００玉から、基本払出玉数１２５玉相当分の１円持玉数５００玉を減算して、該１円持玉数は１００玉となる。この持玉払出の３回目は、１つのレート（１円）の持玉数からの乗入れ払出である。なお第３位の１円持玉数１００玉では、基本払出玉数１２５玉相当分の１円持玉数５００玉に満たないので、持玉払出は終了する。
【０２０５】
図１７（ｂ）では、初期状態において、優先順位第１位の計数済玉数が１５０玉で４円持玉数が５０玉，第２位の２円持玉数が３５０玉，第３位の１円持玉数が５００玉である。
【０２０６】
持玉払出の１回目は、第１位の計数済玉数１５０玉から、基本払出玉数１２５玉を減算して、該計数済玉数は２５玉となる。この持玉払出の１回目は、乗入れを伴わない払出である。
【０２０７】
持玉払出の２回目は、第１位の計数済玉数２５玉及び４円持玉数５０玉から基本払出玉数１２５玉を減算しきれないので、該計数済玉数２５玉及び４円持玉数５０玉を減算して０にすると共に、第２位の２円持玉数３５０玉から、該減算しきれなかった４円持玉数５０玉相当分の２円持玉数１００玉を減算して、該２円持玉数は２５０玉となる。この持玉払出の２回目は、自台レートを含む２つのレート（４円と２円）の持玉数にまたがった乗入れ払出（またがり乗入れ）である。
【０２０８】
持玉払出の３回目は、第２位の２円持玉数２５０玉から、基本払出玉数１２５玉相当分の２円持玉数２５０玉を減算して、該２円持玉数は０となる。この持玉払出の３回目は、１つのレート（２円）の持玉数からの乗入れ払出である。
【０２０９】
持玉払出の４回目は、第３位の１円持玉数５００玉から、基本払出玉数１２５玉相当分の１円持玉数５００玉を減算して、該１円持玉数は０となる。この持玉払出の４回目は、１つのレート（１円）の持玉数からの乗入れ払出である。なお第３位の１円持玉数が０玉なので、持玉払出は終了する。
【０２１０】
図１７（ｃ）では、初期状態において、優先順位第１位の計数済玉数が５０玉で４円持玉数が５０玉，２円持玉数が１００玉だが制限，第２位の１円持玉数が３００玉である。
【０２１１】
持玉払出の１回目は、第１位の計数済玉数５０玉及び４円持玉数５０玉から基本払出玉数１２５玉を減算しきれないので、該計数済玉数５０玉及び４円持玉数５０玉を減算して０にすると共に、第２位の１円持玉数３００玉から、該減算しきれなかった４円持玉数２５玉相当分の１円持玉数１００玉を減算して、該１円持玉数は２００玉となる。この持玉払出の１回目は、自台レートを含む（ただし制限レートは含まない）２つのレート（４円と１円）の計数済玉数及び持玉数にまたがった乗入れ払出（またがり乗入れ）である。なお第３位の１円持玉数２００玉では、基本払出玉数１２５玉相当分の１円持玉数５００玉に満たないので、持玉払出は終了する。
【０２１２】
図１７（ｄ）では、初期状態において、優先順位第１位の計数済玉数が４０玉で４円持玉数が４０玉，第２位の２円持玉数が４０玉，第３位の１円持玉数が３００玉である。
【０２１３】
持玉払出の１回目は、第１位の計数済玉数４０玉及び４円持玉数４０玉から基本払出玉数１２５玉を減算しきれないので、該計数済玉数４０玉及び４円持玉数４０玉を減算して０にし、第２位の２円持玉数４０玉からも、前記減算しきれなかった基本払出玉数４５玉相当分の９０玉を減算しきれないので、該２円持玉数４０玉を減算して０にすると共に、第３位の１円持玉数３００玉から、該減算しきれなかった基本払出玉数２５玉相当分の１００玉を減算して、該１円持玉数は１００玉となる。この持玉払出の１回目は、自台レートを含む３つのレート（４円と２円と１円）の計数済玉数及び持玉数にまたがった乗入れ払出（またがり乗入れ）である。なお第３位の１円持玉数２００玉では、基本払出玉数１２５玉相当分の１円持玉数５００玉に満たないので、持玉払出は終了する。
【０２１４】
この図１７に示す例では、複数の他レートにまたがって乗入れ可能な例について説明したが、一の他レートのみにまたがって乗入れ可能としてもよい。そして、複数の他レートにまたがって乗入れ可能とするか、一の他レートのみにまたがって乗入れ可能とするかを、予め設定できるようにしてもよい。
【０２１５】
相違点３は、乗入れ払出中表示である。１つのレートの持玉数からの乗入れ払出の場合には、図１８（ｃ）に示すように、どのレートの持玉を何個使用して乗入れ払出が行われているかが表示されるが、２つのレートの持玉数にまたがった乗入れ払出の場合には、図示しないが、一のレートの持玉を何個，及び他のレートの持玉を何個使用して乗入れ払出が行われているかが表示され、また３つのレートの持玉数にまたがった乗入れ払出の場合にも、一のレートの持玉を何個，他のレートの持玉を何個，さらに他のレートの持玉を何個使用して乗入れ払出が行われているかが表示される。
【０２１６】
このまたがり乗入れ有りの場合には、前記「高レート優先」で優先順位を設定しておくことにより、特に乗入れの利便性を向上できる。低レートの持玉数を優先して使用すると、基本払出玉数相当分を満たすための穴埋めができなくなるからである。
【０２１７】
（持玉管理装置の処理）
図１９は、持玉管理装置１４０の記憶装置１４５で記憶される乗入れ履歴テーブルの一例を示す図である。この乗入れ履歴テーブルでは、乗入れの履歴として、会員カード又はビジターカードのカードＩＤに対応付けて、乗入れが行われた乗入れ時刻と、乗入れしたカードユニットの装置ＩＤと、乗入れ元の持玉数の種別（４円，２円，又は１円）及び乗入れに使用された玉数と記憶する、この乗入れ履歴テーブルは、図１６のＳ２１６，Ｓ２２６，Ｓ２３６でカードユニット３から送信されてくる情報（カードＩＤ，乗入れ時刻，装置ＩＤ，乗入れ元持玉数の種別及び玉数）に基づいて更新される。なお、図示しないが、乗入れの履歴として、またがりの有無や、自台レートを含むまたがりであるか否かを記憶するようにしてもよい。
【０２１８】
そして、該乗入れ履歴テーブルに基づいて、カード毎の乗入れ履歴，時間帯毎の乗入れ履歴，乗入れ先のカードユニット３毎の乗入れ履歴，乗入れ先のカードユニット３の基本単価毎の乗入れ履歴などを集計して出力できるので、該乗入れが行われたか否かを確認でき、該乗入れの履歴を遊技場での営業等に活かすことができる。
【０２１９】
（第１実施形態の変形例）
上記の実施形態では、遊技機が、複数種類のレート（４円，２円，１円）のパチンコ玉を遊技媒体（所有価値及び遊技用価値）とするパチンコ機２である例について説明したが、これに限らず、該遊技機は例えば、複数種類のレートのメダル（２０円，１０円，５円）を遊技媒体とするスロットマシンや、複数種類のレートの仮想コイン（５００円，１００円，５０円）を遊技媒体とするゲーム機等であってもよく、これらの遊技機に対応する遊技用装置においても、当該遊技用装置に対応する付与レート以外の付与レートの所有価値に応じて、当該遊技用装置の付与レートに対応する遊技用価値を付与するための乗入れ付与処理（乗入れ払出）を実行可能である。ここで乗入れ払出は、遊技媒体の種類が異なっても可能としてもよく、具体的には、メダルの価値に相当するパチンコ玉が払い出されるものや、パチンコ玉の価値に相当する仮想コインが付与されるものであってもよい。またパチンコ機２は、パチンコ玉が指触不能に封入された封入式のパチンコ機であってもよい。
【０２２０】
上記の実施形態では、持玉払出のみに乗入れ払出が適用される例について説明したが、これに限らず、貯玉払出のみに乗入れ払出が適用されるものであってもよく、また持玉払出に乗入れ払出が適用されると共に貯玉払出にも乗入れ払出が適用されるものであってもよい。さらに持玉数と貯玉数の合算値に乗入れ払出が適用されるものであってもよく、この場合には、図１８に示す基本表示でも、持玉数と貯玉数の合算値を表示したり、払出可能数と再プレイ可能数の合算値を表示してもよい。なお、貯玉払出に乗入れ払出が適用される場合には、持玉払出の場合と同様に、貯玉管理装置１５０において、優先順位設定や制限設定を受け付け、貯玉に関する共通優先順位テーブルや会員毎優先順位テーブルを記憶すればよい。なお持玉に関する優先順位と貯玉に関する優先順位は、共通でもよく、別個でもよい。
【０２２１】
上記の実施形態では、図１１のＤ０１に示すように、優先順位設定において、高レート優先や低レート優先が可能な例について説明したが、これに限らず、例えば持玉数が多い方（又は少ない方）を優先する旨や、持玉数×レートの式で算出される持玉額が多い方（又は少ない方）を優先する旨を設定可能としてもよい。この場合には、持玉数や持玉額が減少する毎に、優先順位が変動することになる。
【０２２２】
上記の実施形態では、遊技者が優先順位を設定可能な遊技者操作手段がカードユニット３である例について説明したが、これに限らず、該遊技者操作手段は、例えば遊技場内に設けられ遊技者が情報を取得可能なキオスク端末や、遊技者が所持する情報端末等であってもよい。
【０２２３】
上記の実施形態では、カードユニット３において、会員毎優先順位を設定可能な例について説明したが、これに限らず、該カードユニット３においても、持玉管理装置１４０と同様に、共通優先順位を設定可能としてもよい。
【０２２４】
上記の実施形態では、図１４に示すように、会員毎に優先順位を設定可能な例について説明したが、これに限らず、会員カード及び／又はビジターカードのカードＩＤ毎に優先順位を設定可能なものであってもよい。
【０２２５】
上記の実施形態において、図１３や図１４の内容を、持玉管理装置１４０と通信可能であり、遊技場外の管理機関に設けられる上位管理装置において、遊技場毎に記憶するものであってもよい。
【０２２６】
上記の実施形態では、図１５のＳ１３１に示すように、持玉払出と貯玉払出が、１つの再プレイボタン３１９の操作で行われる例について説明したが、これに限らず、持玉払出と貯玉払出とは別個のボタンであってもよく、またもっと細分化して、計数玉払出，持玉乗入れが別個のボタンであってもよい。そしてこれらのボタンは、実際のボタンではなく、画面に表示されるボタンであってもよい。
【０２２７】
例えば、当日玉払出ボタンと、乗入れ払出ボタンとを設けるようにしてもよい。この場合には、当日玉払出ボタンが操作されると、計数済玉数及び自台レート持玉数を使用した払出が行われる。また乗入れ払出ボタンが操作されると、予め設定された内容に応じて、またがり乗入れ無し（図１６を参照）、自台レートを含まないまたがり乗入れ有り（図１８（ａ）を参照）、又は自台レートを含むまたがり乗入れ有り（図１８（ｂ）（ｃ）（ｄ）を参照）の、いずれかの乗入れ払出が実行される。なお、「またがり乗入れ有り」には、一の他レートのみにまたがり可能な場合と、複数の他レートにまたがり可能な場合とが含まれる。
【０２２８】
上記の実施形態では、図１６のＳ２１６，Ｓ２２６，及びＳ２３６において乗入れ払出が行われると、持玉管理装置１４０の持玉管理テーブルの記憶内容が即座に更新される例について説明したが、これに限らず、該乗入れ払出が行われても持玉管理装置１４０とは通信せずにカードユニット３でのみ持玉数を減算更新し、所定のタイミング（例えばカード返却時）で、カードユニット３での減算更新を持玉管理装置１４０に反映させるものであってもよい。
【０２２９】
［第２実施形態］
第２実施形態は、第１実施形態において、乗入れ操作の途中に遊技媒体が計数されたことに基づいて、計数された遊技媒体数の範囲内で遊技媒体を付与するための計数付与処理が実行可能となることを報知するもの、及び、カードユニット３において所定操作（Ｓ４１１０の貯玉移行ボタンの操作）を受け付けたときに、計数された遊技媒体数の少なくとも一部を当該カードユニット３に対応する付与レートの所有価値に移行させるための移行処理を実行可能なものである。
【０２３０】
この第２実施形態では、制御ユニット３２８により持玉数が確認され、持玉払出が可能な状態であれば、計数プレイＬＥＤ３１９ｂの点灯制御が行われる。計数プレイＬＥＤ３１９ｂは、計数プレイボタン３１９により覆われており、計数プレイＬＥＤ３１９ｂが点灯すると、ＬＥＤから発せられる可視光が計数プレイボタン３１９を透過する。これにより、遊技者は、持玉払出を実行する際に操作する操作領域が点灯していることを認識して、持玉払出が実行可能である（計数プレイボタン３１９の操作が有効である）ことを把握する。計数プレイボタン３１９が操作されたことを計数プレイスイッチ３１９ａが検出すると制御ユニット３２８に計数プレイ信号が入力される。
【０２３１】
また、貯玉払出において、当該カードユニット３が記憶する基本単価に対応した口座の貯玉数が基本払出玉数未満であるが一単位数以上の場合には、［一単位数×ｎ≦貯玉数］となる最大のｎを払出度数として設定し、前述した払出制御基板２８と制御ユニット３２８との通信によって、設定された払出度数に相当する数のパチンコ玉を払い出す。
【０２３２】
また、本例では、当該カードユニット３が記憶する基本単価に対応した口座の貯玉数が一単位数未満である場合には、メイン画面の貯玉払出操作領域３１２ａに表示される貯玉払出ボタンの表示態様を無効態様（前述した有効態様よりも薄い表示態様）とし、仮に無効態様の貯玉払出ボタンが操作されたとしても貯玉払出を実行しないことにより、一単位数未満の貯玉払出の実行を禁止するようにしている。
【０２３３】
ここで、この実施の形態においては、乗入れ払出が行われる場合には、基本払出玉数のパチンコ玉が払い出されるものとする。即ち、当該カードユニット３が記憶する基本単価に対応した口座の貯玉数が一単位数未満の場合には、当該口座の貯玉数のみを減算してパチンコ玉を払い出す貯玉払出は実行されないが、当該基本単価とは異なる単価に対応した他口座の貯玉数を減算して基本払出玉数のパチンコ玉を払い出す乗入れ払出は実行可能となる場合がある。
【０２３４】
例えば、カードユニット３に記憶されている基本単価が４円である場合において、会員管理装置１５０における４円口座の貯玉数が一単位数未満のときには、４円口座の貯玉数のみを減算する貯玉払出は実行されない。ただし、４円口座の他に２円口座と１円口座が存在しており、乗入れ先口座を４円口座、乗入れ元口座を２円口座及び１円口座とする乗入れ払出が許容されている場合には、［４円口座の貯玉数＋（２円口座の貯玉数×２円÷４円）＋（１円口座の貯玉数×１円÷４円）］が基本払出玉数以上となるときに、乗入れ払出を実行可能となり、乗入れ払出によって基本払出玉数のパチンコ玉が払い出される。一方、［４円口座の貯玉数＋（２円口座の貯玉数×２円÷４円）＋（１円口座の貯玉数×１円÷４円）］が基本払出玉数未満となるときには、乗入れ払出は実行されない。
【０２３５】
なお、乗入れ優先順位テーブルは、図１３（ａ）に示すものが適用されるものとする。本例では、４円口座を乗入れ先口座として乗入れ払出を実行するときは、優先順位１の４円口座、優先順位２の２円口座、優先順位３の１円口座の順序で貯玉数を減算する。また、２円口座を乗入れ先口座として乗入れ払出を実行するときは、優先順位１の２円口座、優先順位２の４円口座、優先順位３の１円口座の順序に貯玉数を減算する。また、１円口座を乗入れ先口座として乗入れ払出を実行するときは、優先順位１の１円口座、優先順位２の４円口座、優先順位３の２円口座の順序に貯玉数を減算する。
【０２３６】
即ち、本例では、乗入れ払出において減算対象とする乗入れ元口座の優先順位は、遊技媒体の単価が高い順序に従って設定されている。このような形態に限らず、乗入れ元口座の優先順位は、遊技媒体の単価が低い順序に従って設定されるようにしても良く、貯玉数が多い順序（又は少ない順序）に従って設定されるようにしても良い。
【０２３７】
また、乗入れ払出が実行されるときに減算対象とならない口座（優先順位を設定しない口座）を設けるようにしても良く、例えば、乗入れ先口座の貯玉数（基本単価に対応した口座の貯玉数）が残存している場合であっても、該乗入れ先口座の貯玉数は減算せずに、乗入れ元口座の貯玉数（基本単価とは異なる単価に対応した口座の貯玉数）のみを減算する乗入れ払出を実行するようにしても良い。また、乗入れ元口座の優先順位は、遊技場の管理者が会員管理装置１５０の入力装置１５６等を操作して設定するようにしても良く、遊技者がカードユニット３のタッチパネル３１４等を操作して設定するようにしても良い。
【０２３８】
図１３（ａ）の乗入れ優先順位テーブルにおいて、各乗入れ先口座に対応した乗入れ元口座の優先順位は、持玉管理装置１４０を経由して、各乗入れ先口座に対応したカードユニット３に送信され、送信された優先順位は制御ユニット３２８に記憶される。この例では、ＣＵ管理テーブルにおける基本単価４円に対応した装置ＩＤのカードユニット３に対して、４円口座が優先順位１、２円口座が優先順位２、１円口座が優先順位３であることを指定する情報を送信する。また、ＣＵ管理テーブルにおける基本単価２円に対応した装置ＩＤのカードユニット３に対して、２円口座が優先順位１、４円口座が優先順位２、１円口座が優先順位３であることを指定する情報を送信する。また、ＣＵ管理テーブルにおける基本単価１円に対応した装置ＩＤのカードユニット３に対して、１円口座が優先順位１、４円口座が優先順位２、２円口座が優先順位３であることを指定する情報を送信する。
【０２３９】
なお、乗入れ払出を実行する場合の乗入れ元口座は複数に限らず１つのみであっても良い。例えば、４円口座が乗入れ先口座である場合に、２円口座のみを乗入れ元口座として選択可能としても良く、１円口座のみを乗入れ元口座として選択可能としても良い。また、乗入れ元口座として選択された１の口座（例えば２円口座又は１円口座のいずれか一方）の貯玉数のみを減算する乗入れ払出を実行するようにしても良く、乗入れ先口座（例えば４円口座）と乗入れ元口座として選択された１の口座（例えば２円口座又は１円口座のいずれか一方）の貯玉数を減算する乗入れ払出を実行するようにしても良い。
【０２４０】
以下、第２実施形態に係る遊技用システム１の動作、特にカードユニット３、持玉管理装置１４０、及び会員管理装置１５０において実行される処理について説明する。
【０２４１】
まず、会員遊技者は、遊技を行う遊技機に対応したカードユニット３のカード挿入口に会員カードを挿入する。挿入された会員カードがカードＲ／Ｗ３２７により受け付けられると、制御ユニット３２８は、残額管理装置１００との通信により、受け付けた会員カードのカードＩＤに対応付けて残額管理装置１００で管理されているプリペイド残額を取得し、持玉管理装置１４０との通信により、該カードＩＤに対応付けて持玉管理装置１４０で管理されている各口座（４円口座、２円口座、１円口座）の持玉数を取得し、会員管理装置１５０との通信により、当該会員カードのカードＩＤ及び会員番号に対応付けて会員管理装置１５０で管理されている各口座（４円口座、２円口座、１円口座）の貯玉数及び暗証番号を取得して、取得したデータをＲＡＭ３２８ｂに記憶する。
【０２４２】
次いで、制御ユニット３２８は、表示部３１２に、０〜９の各数字に対応した数字キーを含む暗証番号入力画面（図示せず）を表示し、遊技者に暗証番号の入力を促す。遊技者が、暗証番号の各桁の数字に対応する数字キーをタッチして、４桁の暗証番号の入力が完了すると、制御ユニット３２８は、ＲＡＭ３２８ｂに記憶している暗証番号と入力された暗証番号との照合を実行する。
【０２４３】
会員管理装置１５０から取得した暗証番号と入力された暗証番号が一致しなければ（照合ＮＧならば）、暗証番号入力画面を再度表示する。一方、会員管理装置１５０から取得した暗証番号と入力された暗証番号が一致すれば（照合ＯＫならば）、暗証番号入力画面から図２７（１）のメイン画面に移行する。
【０２４４】
メイン画面（図２７（１）を参照）には、持玉管理装置１４０から送信されて記憶されている当該カードユニット３に対応する基本単価及び基本払出玉数に基づいて、当該カードユニット３が実行する払出処理（プリペイド払出、持玉払出、貯玉払出）により払い出される遊技媒体の単価（「１玉４円コーナー」）と、基本払出玉数（「１２５玉払出」）が表示部３１２の最上部に表示される。
【０２４５】
また、その下方には、残額管理装置１００から送信されてＲＡＭ３２８ｂに記憶されているプリペイド残額（本例では１０００円）が表示されている。なお、制御ユニット３２８は、受け付けた会員カードのカードＩＤに対応付けて残額管理装置１００で管理されているプリペイド残額と、受け付けた会員カードから読み取ったプリペイド残額の照合を実行し、一致すれば（照合ＯＫならば）残額管理装置１００から受信した（会員カードから読み取った）プリペイド残額を表示し、一致しなければ（照合ＮＧならば）、プリペイド残額を表示せず、多機能ランプ３０１を所定の発光態様とすることによりエラー報知を行う。
【０２４６】
また、その下方には、持玉管理装置１４０から送信されてＲＡＭ３２８ｂに記憶されている各口座（４円口座、２円口座、１円口座）の持玉数のうち、当該カードユニット３に対応した基本単価（本例では４円）に対応した口座の持玉数（本例では１００玉）が表示されている。また、その下方には、貯玉管理装置１５０から送信されてＲＡＭ３２８ｂに記憶されている各口座（４円口座、２円口座、１円口座）の貯玉数のうち、当該カードユニット３に対応した基本単価（本例では４円）に対応した口座の貯玉数（本例では１４０玉）が表示されている。
【０２４７】
さらに、その下方の貯玉払出操作領域３１２ａには、基本単価に対応した口座の貯玉数が一単位数以上であり、貯玉払出が実行可能となっていることに基づいて貯玉払出ボタンが有効態様（無効態様よりも濃い表示態様）で表示されている。なお、基本単価に対応した口座の貯玉数が一単位数未満であり、貯玉払出を実行できないときには、貯玉払出操作領域３１２ａに貯玉払出ボタンが無効態様（有効態様よりも薄い表示態様）で表示され（例えば、図２７（３）を参照）、該無効態様の貯玉払出ボタンが操作されたとしても貯玉払出は実行されない。
【０２４８】
さらに、その下方の乗入れ操作領域３１２ｂには、表示部３１２の表示画面をメイン画面から乗入れ画面に移行させるときに操作する乗入れ画面移行ボタンが表示される。乗入れ画面移行ボタンが操作されると、表示画面がメイン画面から乗入れ払出操作を実行可能な乗入れ画面（例えば、図２７（６）を参照）に移行する。
【０２４９】
会員カード挿入時の処理が完了した状態において、図２０に示すように、会員管理装置１５０で管理される４円口座の貯玉数が１４０、２円口座の貯玉数が１００、１円口座の貯玉数が８００であり（Ｓ１０００）、持玉管理装置１４０で管理される４円口座の持玉数が１００、２円口座の持玉数が０、１円口座の持玉数が０であるものとする（Ｓ１０１０）。そして、会員カードが挿入されたカードユニット３の基本単価が４円であり、基本払出玉数が１２５玉に設定されているものとする。
【０２５０】
このとき、図２７（１）に示すように、持玉数として１００、貯玉数として１４０が表示されている（図２０のＳ１０２０）。また、持玉数が０ではなく、持玉払出が可能な状態であることに基づいて、計数プレイＬＥＤ３１９ｂが点灯している（図２０のＳ１０２５）。そのため遊技者は、乗入れ払出を行わずとも、持玉払出によって遊技媒体が付与されることを認識できる。
【０２５１】
また、図２７（１）において、基本単価に対応した口座の貯玉数（１４０）が一単位数以上であることに基づいて、貯玉払出操作領域３１２ａに貯玉払出ボタンが有効態様で表示されている（図２０のＳ１０３０）。そのため遊技者は、乗入れ払出を行わずとも、貯玉払出によって遊技媒体が付与されることを認識できる。
【０２５２】
この状態で貯玉払出ボタンが操作されると（図２０のＳ１０４５）、４円口座の貯玉数（１４０）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される貯玉払出が実行される（Ｓ１０５０）。このとき、図２７（２）に示すように、表示部３１２には、「払出中」と表示される。
【０２５３】
そして、図２７（３）に示すように、貯玉払出の実行に伴い、ＲＡＭ３２８ｂで記憶している基本単価に対応した４円口座の貯玉数（１４０）から基本払出玉数（５度数相当の１２５）が減算されて１５になると共に、表示部３１２に表示される当該口座の貯玉数も減算後の貯玉数に更新される（Ｓ１０６５）。
【０２５４】
ここで、本実施の形態において、貯玉払出が実行される場合には、持玉払出が実行される場合と異なり、カードユニット３から持玉管理装置１４０に対しては、貯玉管理装置１５０で管理されている貯玉数を減算するための貯玉更新要求が送信される（図２０のＳ１０４６）。貯玉更新要求には、受け付けた会員カードから読み取られた会員番号と、各口座の貯玉数から減算する玉数と、が情報として含まれる。
【０２５５】
本例では、カードユニット３の基本単価に対応した口座（優先順位１）の貯玉数のみを減算する貯玉払出が実行されているため、貯玉更新要求に含まれる４円引き落とし数（４円口座から減算する玉数）が１２５、２円引き落とし数（２円口座から減算する玉数）が０、１円引き落とし数（１円口座から減算する玉数）が０、となっている。持玉管理装置１４０のＣＰＵ１４２は、受信した貯玉更新要求を会員管理装置１５０に対して送信する（Ｓ１０４７）。
【０２５６】
カードユニット３から送信され、持玉管理装置１４０により中継された貯玉更新要求を受信した会員管理装置１５０では、ＣＰＵ１５２が、該貯玉更新要求に含まれる会員番号に対応付けて貯玉管理テーブルで記憶している各口座の貯玉数から、指定された引き落とし数を減算する（Ｓ１０６０）。本例では、会員番号に対応する４円口座の貯玉数から基本払出玉数（４円引き落とし数１２５）を減算し、２円引き落とし数及び１円引き落とし数が０であることにより、２円口座の貯玉数及び１円口座の貯玉数は減算しない。減算後の貯玉数は、４円口座が１５、２円口座が１００、１円口座が８００となる。
【０２５７】
次いで、会員管理装置１５０のＣＰＵ１５２は、会員管理装置１５０により管理されている貯玉数の更新が完了したことを示す貯玉更新応答を持玉管理装置１４０に対して送信する（Ｓ１０６１）。持玉管理装置１４０のＣＰＵ１４２は、受信した貯玉更新応答をカードユニット３に対して送信する（Ｓ１０６２）。
【０２５８】
会員管理装置１５０から送信され、持玉管理装置１４０により中継された貯玉更新応答を受信したカードユニット３では、会員管理装置１５０において管理されている貯玉数が更新されたことを確認する。そして、制御ユニット３２８は、図２７（３）に示すように、記憶している基本単価（当該カードユニット３の装置ＩＤに対応する基本単価）に対応した口座の貯玉数が一単位数未満であることに基づいて、貯玉払出操作領域３１２ａに貯玉払出ボタンを無効態様で表示する（Ｓ１０７０）。そのため遊技者は、貯玉払出によって遊技媒体の付与を受けることができないことを認識できる。
【０２５９】
ただし、図２７（３）において、貯玉払出が実行された後の貯玉数は一単位数未満の１５となったが、基本単価に対応した口座の持玉数（１００）が１以上であることに基づいて、計数プレイＬＥＤ３１９ｂは点灯状態のままである。そのため遊技者は、乗入れ払出を行わずとも、持玉払出によって遊技媒体が付与されることを認識できる。
【０２６０】
計数プレイボタン３１９が操作されると（図２０のＳ１１００）、４円口座の持玉数（１００）が基本払出玉数（１２５）未満であり、［一単位数（２５）×ｎ≦持玉数（１００）］となる最大のｎが４であることに基づいて、制御ユニット３２８と払出制御基板２８との間で通信が行われ、４度数相当のパチンコ玉が対応するパチンコ機２から払い出される持玉払出が実行される（Ｓ１１１０）。このとき、図２７（４）に示すように、表示部３１２には、「払出中」と表示され、乗入れ操作領域３１２ｂには乗入れ画面移行ボタンが表示されず、乗入れ払出を実行するための操作を行うことができない状態となる。
【０２６１】
このように、計数・端数払出ユニット３４０により計数された持玉数を減算する持玉払出が実行されている期間は、乗入れ操作領域３１２ｂを操作しても乗入れ払出を実行させないようにすることで、遊技者の混乱を防止するようにしている。そして、図２７（５）に示すように、持玉払出の実行に伴い、ＲＡＭ３２８ｂで記憶している基本単価に対応した４円口座の持玉数（１００）から払出玉数（４度数相当の１００）が減算されて０になると共に、表示部３１２に表示される当該口座の持玉数も減算後の持玉数に更新される（Ｓ１１２０）。そして、制御ユニット３２８は、持玉数が０となり、持玉払出を実行できないことに基づいて、計数プレイＬＥＤ３１９ｂを消灯する（Ｓ１１２５）。
【０２６２】
ここで、本実施の形態において、持玉払出が実行される場合には、貯玉払出や乗入れ払出が実行される場合と異なり、カードユニット３から持玉管理装置１４０に対しては、持玉管理装置１４０で管理されている持玉数を減算するための情報が送信されず、持玉払出の実行に伴うカードユニット３と持玉管理装置１４０との通信処理が発生しない。また、計数・端数払出ユニット３４０により遊技媒体の計数が行われ、ＲＡＭ３２８ｂに記憶している持玉数（表示部３１２に表示されている持玉数）が更新されたときにも、カードユニット３から持玉管理装置１４０に対しては、持玉管理装置１４０で管理されている持玉数を加算するための情報が送信されず、計数処理の実行に伴うカードユニット３と持玉管理装置１４０との通信処理が発生しない。
【０２６３】
即ち、持玉管理装置１４０において管理されている持玉数は、カードユニット３からビジターカード又は会員カードが返却されるとき、営業終了時処理において持玉数が貯玉数に加算されるとき、及び、後述する貯玉移行処理が実行されるときにのみ更新されるようになっている。カードユニット３での持玉払出及び計数処理が実行されるときには、持玉管理装置１４０において管理されている持玉数は更新されないため、カードユニット３と持玉管理装置１４０との間での通信は不要となっている。
【０２６４】
このように、持玉数が更新されたときには、カードユニット３で記憶されている持玉数は更新されるものの、持玉管理装置１４０で管理されている持玉数は更新されないようにすることで、持玉数の更新に伴う通信量の増加を抑制し、遊技用システムの処理負担を軽減するようにしている。後述するように、持玉管理装置１４０で管理されている持玉数の更新は、会員カードがカードＲ／Ｗ３２７から返却されるときに行われるようにしている。
【０２６５】
Ｓ１０４６〜Ｓ１０６２における貯玉払出及びこれに伴う処理の完了後、図２１に示すように、会員管理装置１５０で管理されている４円口座の貯玉数は１５、２円口座の貯玉数は１００、１円口座の貯玉数は８００となっている（Ｓ２０００）。また、持玉管理装置１４０で管理されている持玉数は、会員カード受付時から更新されておらず、４円口座の持玉数は１００、２円口座の持玉数は０、１円口座の持玉数は０となっている（Ｓ２０１０）。このとき、図２７（５）に示すように、持玉数の表示（カードユニット３で記憶している４円口座の持玉数）は０であり、貯玉数の表示（カードユニット３で記憶している４円口座の貯玉数）は１５である（図２１のＳ２０２０）。
【０２６６】
遊技者は、計数プレイＬＥＤ３１９ｂが点灯していないことにより、計数プレイボタン３１９を操作したとしても、持玉払出が実行されないことを把握して、乗入れ払出により遊技媒体の付与を受けるべく、メイン画面の乗入れ操作領域３１２ｂに表示された乗入れ画面移行ボタンを操作して、表示画面をメイン画面から図２７（６）の乗入れ画面に切り替える（図２１のＳ２０３０）。乗入れ画面では、メイン画面における持玉数及び貯玉数に代えて、乗入れ先口座（本例では４円口座）及び乗入れ元口座（本例では２円口座及び１円口座）の各口座の貯玉数と、乗入れ払出可能玉数が表示される。
【０２６７】
なお、図２７（６）の乗入れ画面の最下部に表示される「戻る」ボタンを操作すると、図２７（５）のメイン画面に戻る。図２７（６）の乗入れ画面には、乗入れ払出によって払出可能な玉数である乗入れ払出可能玉数が表示される。この乗入れ払出可能玉数は以下のようにして算出される。
【０２６８】
ここで、乗入れ元口座として、乗入れ元口座１、乗入れ元口座２、…、乗入れ元口座ｍ、のｍ個の口座を選択可能であるものとし、乗入れ元口座１に対応する乗入れ元単価を乗入れ元単価１、乗入れ元口座２に対応する乗入れ元単価を乗入れ元単価２、…、乗入れ元口座ｍに対応する乗入れ元単価を乗入れ元単価ｍとする。このとき、［乗入れ先口座の貯玉数＋（乗入れ元口座１の貯玉数×乗入れ元単価１÷乗入れ先単価）＋（乗入れ元口座２の貯玉数×乗入れ元単価２÷乗入れ先単価）＋…＋（乗入れ元口座ｍの貯玉数×乗入れ元単価ｍ÷乗入れ先単価）］以下となる基本払出玉数の倍数の最大値が乗入れ払出可能玉数となる。
【０２６９】
制御ユニット３２８は、算出した乗入れ払出可能玉数をＲＡＭ３２８ｂに記憶すると共に、乗入れ操作領域３１２ｂの上方に表示する。本例では、４円口座を乗入れ先口座とした場合に、２円口座及び１円口座の２つの口座を乗入れ元口座として選択可能であるため、上記の式が［１５玉＋（１００玉×２円÷４円）＋（８００玉×１円÷４円）］＝２６５玉となる。これを超えない基本払出玉数の倍数（１２５×ｎ）は２５０となる（ｎ＝２）。従って、図２７（６）に表示されている乗入れ払出可能玉数は２５０となっている（Ｓ２０５５）。
【０２７０】
このように、乗入れ払出によって払出可能な玉数を表示して遊技者に把握させることで、乗入れ払出によって遊技媒体の付与を受けようとする遊技者の利便性を向上させることができる。なお、この実施の形態のように、１回の乗入れ払出によって払い出される玉数がカードユニット３毎に固定されている（本例ではカードユニット３が記憶する基本払出玉数相当の１２５である）場合には、乗入れ払出を実行可能な回数（本例では２５０÷２＝２回）を表示するようにしても良い。
【０２７１】
また、乗入れ払出可能玉数が基本払出玉数以上であることに基づいて、乗入れ操作領域３１２ｂには、乗入れ払出ボタンが有効態様（後述する無効態様よりも濃い表示態様）で表示される（図２１のＳ２０５６）。遊技者は乗入れ払出ボタンが有効態様で表示されていることにより、乗入れ払出ボタンを操作することにより乗入れ払出が実行されることを把握することができる。
【０２７２】
そして、図２７（６）の乗入れ画面において、乗入れ払出ボタンが操作されると（図２１のＳ２０６０）、乗入れ払出可能玉数（２５０）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される乗入れ払出が実行される（Ｓ２０７０）。このとき、図２７（７）に示すように、表示部３１２には、「払出中」と表示され、乗入れ操作領域３１２ｂには乗入れ払出ボタンが表示されず、乗入れ払出を実行するための乗入れ操作を行うことができない（仮に乗入れ操作領域３１２ｂを操作したとしても乗入れ払出は連続して実行されない）状態となる。
【０２７３】
そして、図２７（８）に示すように、乗入れ払出の実行に伴い、ＲＡＭ３２８ｂで記憶している乗入れ払出可能玉数（２５０）から基本払出玉数（５度数相当の１２５）が減算されて１２５になると共に、表示部３１２に表示される乗入れ払出可能玉数も、減算後の乗入れ払出可能玉数に更新される（Ｓ２０８５）。また、制御ユニット３２８で記憶している優先順位１〜３の各口座（４円口座，２円口座，１円口座）の貯玉数から、以下のようにして算出された各引き落とし数（１５，１００，２４０）を減算する。
【０２７４】
なお、図２７（７）や後述する図２７（９）等に示す乗入れ払出が実行されているときの画面あるいはその前後の画面において、各口座（４円，２円，１円）から減算される玉数を表示するようにしても良い。
【０２７５】
ここで、本実施の形態において、乗入れ払出が実行される場合には、貯玉払出が実行される場合と同様に、カードユニット３から持玉管理装置１４０に対しては、貯玉管理装置１５０で管理されている貯玉数を減算するための貯玉更新要求が送信される（図２１のＳ２０６５）。貯玉更新要求には、受け付けた会員カードから読み取られた会員番号と、各口座の貯玉数から減算する玉数と、が情報として含まれる。各口座の貯玉数から減算すべき玉数（引き落とし数）は以下のようにして算出される。
【０２７６】
本例では、優先順位１（乗入れ先口座）である４円口座の貯玉数２５玉が基本払出玉数１２５玉未満であるため、４円口座の貯玉数は全数使用され、４円口座からの減算玉数（４円引き落とし数）は４円口座の貯玉数（１５玉）となる。そして、優先順位２（最優先の乗入れ元口座）である２円口座の貯玉数１００玉を乗入れ先単価４円の玉数に換算すると、［（１００玉×２円÷４円）＝５０玉］であり、払い出すべき残り玉数である［１２５玉−１５玉＝１１０玉］未満であるため、２円口座の貯玉数は全数使用され、２円口座からの減算玉数（２円引き落とし数）は２円口座の貯玉数（１００玉）となる。そして、優先順位３（次に優先される乗入れ元口座）である１円口座の貯玉数８００玉を乗入れ先単価４円の玉数に換算すると、［（８００玉×１円÷４円）＝２００玉］であり、払い出すべき残り玉数である［１２５玉−１５玉−５０玉＝６０玉］以上であるため、１円口座の貯玉数から、払い出すべき残り玉数に相当する玉数が使用され、１円口座からの減算玉数（１円引き落とし数）は［（１２５玉−１５玉−５０玉）×４円÷１円＝２４０玉］となる。
【０２７７】
このようにして、カードユニット３に記憶されている優先順位に基づいて各貯玉口座から減算されるべき玉数が算出され、またがり有りの乗入れ払出が行われる。なお、本実施の形態においては、当該カードユニット３に記憶されている基本単価に対応した口座の持玉数が１以上である場合であっても、メイン画面から乗入れ画面への切り替え操作（Ｓ２０３０における乗入れ画面移行ボタンの操作）及び乗入れ画面における乗入れ払出を実行させる操作（Ｓ２０６０における乗入れ払出ボタンの操作）の受付が可能となっている。
【０２７８】
従って、計数プレイＬＥＤ３１９ｂが点灯しており持玉払出が可能であると共に、乗入れ払出ボタンが有効態様で表示されており乗入れ払出が可能となる場合がある。このような場合には、計数プレイボタン３１９が操作されたときに持玉払出が実行され、乗入れ払出ボタンが操作されたときには乗入れ払出が実行される。従って、遊技者は、持玉払出及び乗入れ払出のいずれを実行させるかを操作により選択可能となっている。
【０２７９】
この実施の形態では、当該カードユニット３に記憶されている基本単価に対応した口座の貯玉数が一単位数以上であり、貯玉払出を実行可能なときにも、貯玉払出ボタンが表示される貯玉払出操作領域３１２ａと、乗入れ画面移行ボタン及び乗入れ払出ボタンが表示される乗入れ払出操作領域３１２ｂとが別の領域に設けられているため、メイン画面から乗入れ画面への切り替え操作（Ｓ２０３０における乗入れ画面移行ボタンの操作）及び乗入れ画面における乗入れ払出を実行させる操作（Ｓ２０６０における乗入れ払出ボタンの操作）の受付が可能となっている。従って、遊技者は、貯玉払出及び乗入れ払出のいずれを実行させるかを操作により選択可能となっている。
【０２８０】
このような構成において、乗入れ先口座（基本単価に対応した優先順位１の口座）の貯玉数が基本払出玉数以上である状態で、乗入れ払出ボタンが有効態様で表示される場合がある。このような場合には、乗入れ払出ボタンが操作されたときに、乗入れ先口座の貯玉数のみを減算して基本払出玉数を払い出す貯玉払出が実行されるものとする。即ち、貯玉払出を実行可能であるが優先順位の関係で乗入れ払出は実行できない（優先順位１となる乗入れ先口座の貯玉数のみを減算すれば足りる）ときに、乗入れ払出を実行させる操作を受け付けた場合には、貯玉払出が実行されるようにしている。
【０２８１】
なお、本実施の形態においては、当該カードユニット３に記憶されている基本単価に対応した口座の貯玉数が一単位数以上であり貯玉払出を実行可能なときにも、乗入れ払出を実行可能としているが、このような形態に限らず、当該カードユニット３に記憶されている基本単価に対応した口座の貯玉数が一単位数未満であり貯玉払出を実行できないときにのみ、乗入れ払出を実行可能としても良い。例えば、当該カードユニット３に記憶されている基本単価に対応した口座の貯玉数が一単位数未満であり貯玉払出を実行できないときにのみ、メイン画面の乗入れ操作領域３１２ｂに乗入れ画面移行ボタンが表示される、あるいは、乗入れ画面の乗入れ操作領域３１２ｂに乗入れ払出ボタンが有効態様で表示されるようにしても良い。
【０２８２】
仮に、このような構成とする場合には、貯玉払出を実行させる操作領域と乗入れ払出を実行させる操作領域を共通領域とし、貯玉払出を実行可能なときに該共通領域が操作された場合には貯玉払出を実行し、貯玉払出を実行できないが乗入れ払出を実行可能なときに該共通領域が操作された場合には乗入れ払出を実行するようにすると良い。例えば、貯玉払出ボタンをメイン画面の貯玉払出操作領域３１２ａではなく乗入れ操作領域３１２ｂに表示させるようにして、当該カードユニット３に記憶されている基本単価に対応した口座の貯玉数が一単位数以上であり貯玉払出を実行可能なときには、メイン画面の乗入れ操作領域３１２ｂに貯玉払出ボタンを表示するようにし、該貯玉数が一単位数未満であり貯玉払出を実行できないときには、メイン画面の乗入れ操作領域３１２ｂに乗入れ画面移行ボタンを表示するようにし、該貯玉数が一単位数未満であり且つ乗入れ払出可能玉数が基本払出玉数以上である場合には、メイン画面から移行した乗入れ画面の乗入れ操作領域３１２ｂに乗入れ払出ボタンを有効態様で表示するようにすると良い。
【０２８３】
なお、本実施の形態では、当該カードユニット３に記憶されている基本単価に対応した口座の貯玉数が一単位数以上であるときにのみ貯玉払出を実行可能としているが、このような形態に限らず、当該カードユニット３に記憶されている基本単価に対応した口座の貯玉数が１以上である場合に貯玉払出を実行可能としても良い。なお、貯玉払出ボタンや乗入れ払出ボタンは、表示部３１２に表示させるものではなく、突出部３０５の筐体に設ける（これに対応した操作検出スイッチも別個に設ける）ようにしても良い。
【０２８４】
本実施の形態において、乗入れ払出が実行される場合には、貯玉払出が実行される場合と同様に、カードユニット３から持玉管理装置１４０に対しては、貯玉管理装置１５０で管理されている貯玉数を減算するための貯玉更新要求が送信される（図２１のＳ２０６５）。本例では、前述したように、優先順位１の４円口座、優先順位２の２円口座、及び優先順位３の１円口座の貯玉数をそれぞれ減算する乗入れ払出が実行されており、貯玉更新要求に含まれる４円引き落とし数（４円口座から減算する玉数）が１５、２円引き落とし数（２円口座から減算する玉数）が１００、１円引き落とし数（１円口座から減算する玉数）が２４０、となっている。持玉管理装置１４０のＣＰＵ１４２は、受信した貯玉更新要求を会員管理装置１５０に対して送信する（Ｓ２０６６）。
【０２８５】
カードユニット３から送信され、持玉管理装置１４０により中継された貯玉更新要求を受信した会員管理装置１５０では、ＣＰＵ１５２が、該貯玉更新要求に含まれる会員番号に対応付けて貯玉管理テーブルで記憶している各口座の貯玉数から、指定された引き落とし数を減算する（Ｓ２０８０）。本例では、会員番号に対応する４円口座の貯玉数から４円引き落とし数１５を減算し、２円口座の貯玉数から２円引き落とし数１００を減算し、１円口座の貯玉数から１円引き落とし数２４０を減算する。減算後の貯玉数は、４円口座が０、２円口座が０、１円口座が５６０となる。
【０２８６】
次いで、会員管理装置１５０のＣＰＵ１５２は、会員管理装置１５０により管理されている貯玉数の更新が完了したことを示す貯玉更新応答を持玉管理装置１４０に対して送信する（Ｓ２０８１）。持玉管理装置１４０のＣＰＵ１４２は、受信した貯玉更新応答をカードユニット３に対して送信する（Ｓ２０８２）。会員管理装置１５０から送信され、持玉管理装置１４０により中継された貯玉更新応答を受信したカードユニット３では、会員管理装置１５０において管理されている貯玉数が更新されたことを確認する。
【０２８７】
これにより、図２７（８）に示すように、乗入れ払出可能玉数は１２５に更新され、カードユニット３で記憶されている各口座の貯玉数は、４円口座が０、２円口座が０、１円口座が５６０に更新される。そして、制御ユニット３２８は、図２７（８）に示すように、減算後の乗入れ払出可能玉数が基本払出玉数以上であることに基づいて、乗入れ操作領域３１２ｂに乗入れ払出ボタンを有効態様で表示する。なお、図２７（８）では、制御ユニット３２８は、記憶している基本単価（当該カードユニット３の装置ＩＤに対応する基本単価）に対応した口座の持玉数が０であることに基づいて、計数プレイＬＥＤ３１９ｂを消灯している。そのため遊技者は、持玉払出を実行できないが、乗入れ払出によって遊技媒体が付与されることを認識できる。
【０２８８】
Ｓ２０６５〜Ｓ２０８２における乗入れ払出及びこれに伴う処理の完了後、図２２に示すように、会員管理装置１５０で管理されている４円口座の貯玉数は０、２円口座の貯玉数は０、１円口座の貯玉数は５６０となっている（Ｓ３０００）。また、持玉管理装置１４０で管理されている持玉数は、会員カード受付時から更新されておらず、４円口座の持玉数は１００、２円口座の持玉数は０、１円口座の持玉数は０となっている（Ｓ３０１０）。このとき、図２７（８）に示すように、乗入れ払出可能玉数の表示は１２５である（図２２のＳ３０２０）。
【０２８９】
そして、図２７（８）の乗入れ画面において、乗入れ払出ボタンが操作されると（図２２のＳ３０２５）、乗入れ払出可能玉数（［５６０玉×１円÷４円＝１４０玉≧１２５玉］であるため、乗入れ払出可能玉数は１２５玉となる）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される乗入れ払出が実行される（Ｓ３０３０）。このとき、図２７（９）に示すように、表示部３１２には、「払出中」と表示され、乗入れ操作領域３１２ｂには乗入れ払出ボタンが表示されず、乗入れ払出を実行するための乗入れ操作を行うことができない（仮に乗入れ操作領域３１２ｂを操作したとしても乗入れ払出は連続して実行されない）状態となる。
【０２９０】
そして、図２７（１０）に示すように、乗入れ払出の実行に伴い、ＲＡＭ３２８ｂで記憶している乗入れ払出可能玉数（１２５）から基本払出玉数（５度数相当の１２５）が減算されて０になると共に、表示部３１２に表示される乗入れ払出可能玉数も減算後の貯玉数に更新される（Ｓ３０５０）。また、制御ユニット３２８で記憶している優先順位１〜３の各口座（４円口座，２円口座，１円口座）の貯玉数から、以下のようにして算出された各引き落とし数（０，０，５００）を減算する。
【０２９１】
本例では、優先順位１（乗入れ先口座）である４円口座及び優先順位２（最優先の乗入れ元口座）である２円口座の貯玉数がいずれも０玉である。そして、優先順位３（次に優先される乗入れ元口座）である１円口座の貯玉数５６０玉を乗入れ先単価４円の玉数に換算すると、［５６０玉×１円÷４円＝１４０玉］であり、基本払出玉数以上となるため、１円口座からの減算玉数（１円引き落とし数）は、［基本単価×基本払出玉数］相当の、［４円×１２５玉÷１円＝５００玉］となる。
【０２９２】
ここで、前述したように、カードユニット３から持玉管理装置１４０に対しては、貯玉管理装置１５０で管理されている貯玉数を減算するための貯玉更新要求が送信される（図２２のＳ３０２６）。本例では、前述したように、優先順位３の１円口座の貯玉数のみを減算する乗入れ払出が実行されており、貯玉更新要求に含まれる４円引き落とし数（４円口座から減算する玉数）が０、２円引き落とし数（２円口座から減算する玉数）が０、１円引き落とし数（１円口座から減算する玉数）が５００、となっている。持玉管理装置１４０のＣＰＵ１４２は、受信した貯玉更新要求を会員管理装置１５０に対して送信する（Ｓ３０２７）。
【０２９３】
カードユニット３から送信され、持玉管理装置１４０により中継された貯玉更新要求を受信した会員管理装置１５０では、ＣＰＵ１５２が、該貯玉更新要求に含まれる会員番号に対応付けて貯玉管理テーブルで記憶している各口座の貯玉数から、指定された引き落とし数を減算する（Ｓ３０４０）。本例では、会員番号に対応する１円口座の貯玉数から１円引き落とし数５００を減算する。減算後の貯玉数は、４円口座が０、２円口座が０、１円口座が６０となる。
【０２９４】
次いで、会員管理装置１５０のＣＰＵ１５２は、会員管理装置１５０により管理されている貯玉数の更新が完了したことを示す貯玉更新応答を持玉管理装置１４０に対して送信する（Ｓ３０４１）。持玉管理装置１４０のＣＰＵ１４２は、受信した貯玉更新応答をカードユニット３に対して送信する（Ｓ３０４２）。会員管理装置１５０から送信され、持玉管理装置１４０により中継された貯玉更新応答を受信したカードユニット３では、会員管理装置１５０において管理されている貯玉数が更新されたことを確認する。
【０２９５】
これにより、図２７（１０）に示すように、乗入れ払出可能玉数は０に更新され、カードユニット３で記憶されている各口座の貯玉数は、４円口座が０、２円口座が０、１円口座が６０に更新される。そして、制御ユニット３２８は、図２７（１０）に示すように、減算後の乗入れ払出可能玉数が基本払出玉数未満である（乗入れ払出によって付与可能な遊技媒体数が０である）ことに基づいて、乗入れ操作領域３１２ｂに乗入れ払出ボタンを無効態様（前述した有効態様よりも薄い表示態様）で表示する（Ｓ３０６０）。
【０２９６】
なお、図２７（１０）では、制御ユニット３２８は、記憶している基本単価（当該カードユニット３の装置ＩＤに対応する基本単価）に対応した口座の持玉数が０であることに基づいて、計数プレイＬＥＤ３１９ｂを消灯している。そのため遊技者は、持玉払出を実行できず、また、乗入れ払出ボタンが無効態様となっていることにより、仮に乗入れ払出ボタンを操作したとしても乗入れ払出が実行されないことを認識できる。
【０２９７】
次いで、制御ユニット３２８は、乗入れ払出可能玉数が０であり乗入れ払出は実行できないが乗入れ元口座の貯玉数が０ではない（本例では、乗入れ払出可能玉数が０であり１円口座の貯玉数が６０玉となっている）ことに基づいて、乗入れ払出を実行可能とするために必要な残り計数玉数である必要計数玉数を算出する必要計数玉数算出処理（図２３）を実行する。
【０２９８】
この実施の形態では、後述するように、カードユニット３における貯玉移行操作によって、１以上の口座の持玉数の一部又は全部を、対応する口座の貯玉数に移行する貯玉移行処理を実行可能となっている。従って、乗入れ元口座の貯玉数が残存しているということは、乗入れ先口座の貯玉数が貯玉移行処理によって所定数に達することにより乗入れ払出が実行可能になるということであるため、そのために必要な計数玉数を算出するものである。即ち、貯玉移行処理後の各口座の貯玉数に基づいて乗入れ払出を実行可能とするために、現在の持玉数に加算すべき玉数を必要計数玉数として算出し、算出された必要計数玉数を遊技者に報知するようにしている。
【０２９９】
図２３の必要計数玉数算出処理において、制御ユニット３２８は、Ｓ３００で、乗入れ先口座（本例では４円）の貯玉数に、対応する口座（４円）の現在の持玉数を仮加算すると共に、各乗入れ元口座（本例では２円，１円）の貯玉数に、対応する口座（２円，１円）の現在の持玉数を仮加算する。この仮加算においては、制御ユニット３２８で記憶している表示制御用の各口座の貯玉数及び持玉数の元データは更新されておらず、あくまで必要計数玉数算出処理用にコピーされた各口座の貯玉数及び持玉数のデータが仮加算の対象となる。
【０３００】
ここで、乗入れ先口座の貯玉数に仮加算する現在の持玉数とは、ビジターカード又は会員カードがカードユニット３に挿入されたときに持玉管理装置１４０から取得され、その後の持玉払出により払出玉数が減算されたり、あるいは、計数処理により計数玉数が加算されたりした後の更新後の持玉数である。また、カード貯留部からビジターカードがカードＲ／Ｗ３２７に供給されたときに０であり、その後の計数処理により計数玉数が加算されたり、あるいは、持玉払出により払出玉数が減算されたりした後の持玉数である。
【０３０１】
本例では、Ｓ３００で、乗入れ先口座である４円口座の貯玉数（０玉）に４円口座の持玉数（０玉）を仮加算し、乗入れ元口座である２円口座の貯玉数（０玉）に２円口座の持玉数（０玉）を仮加算し、乗入れ元口座である１円口座の貯玉数（６０玉）に１円口座の持玉数（０玉）を仮加算する。即ち、仮加算後の各口座の貯玉数は４円口座が０、２円口座が０、１円口座が６０となる。ここでは、貯玉数に仮加算する対象となる持玉数は、持玉管理装置１４０で管理されている各口座の持玉数ではなく、制御ユニット３２８のＲＡＭ３２８ｂに記憶されている各口座の持玉数である。
【０３０２】
次いで、制御ユニット３２８は、Ｓ３０１で、仮加算後の乗入れ元口座の貯玉数を乗入れ先口座の貯玉数に換算する。本例では、［仮加算後の２円口座の貯玉数（０玉）×２円÷４円］により、仮加算後の２円口座の貯玉数を４円口座の玉数に換算し、［仮加算後の１円口座の貯玉数（６０玉）×１円÷４円］により、仮加算後の１円口座の貯玉数を４円口座の玉数に換算する。即ち、仮加算後の２円口座の貯玉数を４円口座の玉数に換算した換算玉数は０、仮加算後の１円口座の貯玉数を４円口座の玉数に換算した換算玉数は１５となる。
【０３０３】
次いで、制御ユニット３２８は、Ｓ３０２で、仮加算後の乗入れ先口座の貯玉数と、算出された換算玉数との合算玉数を算出する。この例では、［仮加算後の乗入れ先口座の貯玉数（０）＋仮加算後の２円口座の貯玉数を４円口座の玉数に換算した換算玉数（０）＋仮加算後の１円口座の貯玉数を４円口座の玉数に換算した換算玉数（１５）］により、合算玉数が算出される。即ち、合算玉数は１５となる。
【０３０４】
次いで、制御ユニット３２８は、Ｓ３０３で、算出された合算玉数が基本払出玉数に達しているか否かを判定する。ここで、算出された合算玉数が基本払出玉数以上であるということは、１以上の口座の持玉数の一部又は全部を対応する口座の貯玉数に移行する貯玉移行処理を行うことで乗入れ払出が実行可能となるということであり（即ち必要計数玉数が０であるということであり）、算出された合算玉数が基本払出玉数未満であるということは、仮に貯玉移行処理を行ったとしても乗入れ払出を実行できない（即ち必要計数玉数が１以上である）ということである。
【０３０５】
制御ユニット３２８は、Ｓ３０３で、合算玉数が基本払出玉数以上であれば（Ｙｅｓ）、Ｓ３１０で、乗入れ画面の乗入れ操作領域３１２ｂに貯玉移行ボタンを表示し、さらに、Ｓ３１１で、乗入れ画面に「貯玉移行で乗入れ可」のメッセージを表示して必要計数玉数算出処理を終了する。これにより、遊技者は、貯玉移行ボタンを操作することで乗入れ払出が実行可能となることを把握することができる。
【０３０６】
一方、制御ユニット３２８は、Ｓ３０３で、合算玉数が基本払出玉数未満であれば（Ｎｏ）、Ｓ３０４で、合算玉数と基本払出玉数との差分を算出し、Ｓ３０５で、乗入れ画面に「××玉計数で乗入れ可」のメッセージを表示して必要計数玉数算出処理を終了する。これにより、遊技者は、算出された差分相当（××玉）のパチンコ玉を計数させて、その後に表示される貯玉移行ボタンを操作することで、乗入れ払出が実行可能となることを把握することができる。
【０３０７】
この例では、合算玉数（１５）が基本払出玉数（１２５）に満たないため、Ｓ３０３ではＮｏと判定され、Ｓ３０４では差分が１２５玉−１５玉＝１１０玉と算出され、Ｓ３０５では、「１１０玉計数で乗入れ可」と表示されることになる。
【０３０８】
従って、制御ユニット３２８は、図２７（１０）で乗入れ払出可能玉数が０玉となったことを報知した後に、上記の必要計数玉数算出処理が実行されたことに基づいて、所定時間経過後（例えば５秒経過後）に、図２７（１１）に示すように、乗入れ画面に「１１０玉計数で乗入れ可」のメッセージを表示するようにしている（図２２のＳ３０７０）。なお、乗入れ払出可能玉数と「××玉計数で乗入れ可」のメッセージを乗入れ画面上に同時に表示するようにしても良い。
【０３０９】
なお、この実施の形態では、算出された合算玉数が基本払出玉数以上である場合にのみ（必要計数玉数が０である場合にのみ）、貯玉移行ボタンを乗入れ操作領域３１２ｂに表示して貯玉移行操作を受付可能としているが、このような形態に限らず、算出された合算玉数が基本払出玉数未満である場合にも（必要計数玉数が０ではない場合にも）、貯玉移行操作を受付可能としても良い。そのような構成において、貯玉移行操作が行われることにより、表示されている必要計数玉数が更新されるようにすると良く、例えば、必要計数玉数が１００のとき（「１００玉計数で乗入れ可」の表示）で、２５玉相当の貯玉移行処理が実行された場合には、必要計数玉数が７５に更新される（「７５玉計数で乗入れ可」と表示される）ようにすると良い。
【０３１０】
上記の例において、プリペイド残額を使用するプリペイド払出を実行する場合には、払出ボタン２１を操作することにより、プリペイド残額（本例では１０００円）が、基本単価及び基本払出玉数に応じた額（４円×１２５＝５００円）以上であることに基づいて、制御ユニット３２８と払出制御基板２８との間で通信が行われ、基本払出玉数（５度数相当）のパチンコ玉が対応するパチンコ機２から払い出されるプリペイド払出が実行される。
【０３１１】
そして、プリペイド払出の実行に伴い、ＲＡＭ３２８ｂで記憶しているプリペイド残額（１０００円）から基本払出玉数相当の消費額（５度数相当の１２５玉×４円＝５００円）が減算されて５００円になると共に、表示部３１２に表示されるプリペイド残額も減算後のプリペイド残額に更新される。カードユニット３におけるプリペイド払出に伴い、受け付けた会員カードから読み取られたカードＩＤとプリペイド払出における消費額（５００円）とを含む消費情報が残額管理装置１００に送信される。残額管理装置１００では、受信した消費情報が指定する消費額を、該消費情報が指定するカードＩＤに対応付けて管理されているプリペイド残額から減算して、減算完了通知をカードユニット３に送信する。減算完了通知を受信したカードユニット３では、残額管理装置１００で管理されているプリペイド残額の更新が完了したことを完了する。
【０３１２】
次に、遊技機での遊技が終了し、返却ボタン２２が操作されると（図２２のＳ３１００）、会員カードから読み取られたカードＩＤ及びＲＡＭ３２８ｂに記憶している各口座（本例では４円口座，２円口座，１円口座）の持玉数（本例では０，０，０）を含むカード排出通知が持玉管理装置１４０に送信され（Ｓ３１０１）、ＲＡＭ３２８ｂに記憶されているプリペイド残額が会員カードに記録されて、カードユニット３から該会員カードが返却される（Ｓ３１０５）。カードユニット３からのカード返却に伴い、ＲＡＭ３２８ｂに記憶されているプリペイド残額、並びに各口座の持玉数及び貯玉数は０にクリアされる。
【０３１３】
持玉管理装置１４０は、受信したカード排出通知で指定されるカードＩＤに対応付けて管理されている各口座（４円口座，２円口座，１円口座）の持玉数を、該カード排出通知で指定される各口座の持玉数（０，０，０）に更新する（Ｓ３１１０）。本例では、持玉管理装置１４０で管理される更新後の持玉数は、４円口座が０、２円口座が０、１円口座が０となる。なお、持玉管理装置１４０は、ＣＵ管理テーブルにおいて、受信したカード排出通知で指定される台番号（装置ＩＤ）に対応付けて管理されているカードＩＤ（受付中のカードのカードＩＤ）を消去する。
【０３１４】
次いで、持玉管理装置１４０は、持玉管理装置１４０により管理されている持玉数の更新が完了したことを示すカード排出結果（結果：ＯＫ）をカードユニット３に対して送信する（Ｓ３１１１）。カード排出結果（結果：ＯＫ）を受信したカードユニット３では、持玉管理装置１４０において管理されている持玉数が更新されたことを確認する。
【０３１５】
また、持玉管理装置１４０は、カード排出通知を送信したカードユニット３の台番号（装置ＩＤ）及びカード排出通知で指定されるカードＩＤを含む遊技終了通知を会員管理装置１５０に対して送信する（Ｓ３１２０）。なお、会員管理装置１５０は、ＣＵ管理テーブルにおいて、受信した遊技終了通知で指定される台番号（装置ＩＤ）に対応付けて管理されているカードＩＤ（受付中のカードのカードＩＤ）を消去する。遊技終了通知を受信した会員管理装置１５０は、遊技終了通知を受信したことを示す遊技終了応答を持玉管理装置１４０に対して送信する（Ｓ３１３０）。遊技終了応答を受信した持玉管理装置１４０では、会員管理装置１５０が遊技終了通知を受信したことを確認する。
【０３１６】
（貯玉移行処理）
次に、貯玉移行処理について、図２４、図２５、及び図２８を用いて説明する。ここで、カードユニット３のカードＲ／Ｗ３２７には会員カードが受け付けられており、該会員カードから読み取られた会員番号に対応付けて会員管理装置１５０で管理されている４円口座の貯玉数が５０、２円口座の貯玉数が０、１円口座の貯玉数が８０であるものとする（図２４のＳ４０００）。また、該会員カードから読み取られたカードＩＤに対応付けて持玉管理装置１４０で管理されている４円口座の持玉数が０、２円口座の持玉数が０、１円口座の貯玉数が０玉であるものとする（図２４のＳ４０１０）。
【０３１７】
また、制御ユニット３２８のＲＡＭ３２８ｂには、会員管理装置１５０で管理されている各口座の貯玉数と合致する貯玉数（４円：５０玉，２円：０玉，１円：８０玉）が記憶されており、持玉管理措置１４０で管理されている各口座の持玉数と合致する持玉数（４円：０玉，２円：０玉，１円：０玉）が記憶された状態であるものとする。このとき、図２８（２０）に示すように、表示部３１２に表示されているメイン画面において、持玉数として基本単価に対応した４円口座の持玉数である０が表示され、貯玉数として基本単価に対応した４円口座の貯玉数である５０が表示される（図２４のＳ４０２０）。
【０３１８】
そして、その下方の貯玉払出領域３１２ａには、基本単価に対応した口座の貯玉数が一単位数以上であり貯玉払出を実行可能なことに基づいて、貯玉払出ボタンが有効態様で表示されている。従って、この状態で貯玉払出ボタンを操作することにより貯玉払出が実行される。また、その下方の乗入れ操作領域３１２ｂには、乗入れ画面移行ボタンが表示されている。そして、この状態で、遊技者により乗入れ画面移行ボタンが操作され、表示画面がメイン画面から乗入れ画面に切り替えられたものとする（図２４のＳ４０２５）。
【０３１９】
図２８（２１）に示す移行後の乗入れ画面では、乗入れ先口座である４円口座の貯玉数（５０玉）、乗入れ元口座である２円口座の貯玉数（０玉）及び１円口座の貯玉数（８０玉）が表示される。また、乗入れ先口座の貯玉数（５０玉）と、乗入れ元口座の貯玉数を乗入れ先口座の貯玉数に換算した玉数（０玉×２円÷４円，８０玉×１円÷４円）との合算玉数（５０玉＋０玉＋２０玉＝７０玉）が、基本払出玉数（１２５玉）未満であることに基づいて、乗入れ払出可能玉数は０玉と表示され（図２４のＳ４０３０）、乗入れ操作領域３１２ｂには、乗入れ払出ボタンが無効態様で表示される（図２４のＳ４０３５）。
【０３２０】
そして、前述したように、制御ユニット３２８は、乗入れ元口座の貯玉数が残存している（１円口座の貯玉数が８０玉である）が乗入れ元口座の貯玉数不足により乗入れ払出を実行できないことに基づいて、必要計数玉数算出処理を実行し、必要計数玉数を算出する。この例では、Ｓ３０２で算出される合算玉数が、５０玉＋０玉＋（８０玉×１円÷４円）＝７０玉であり、Ｓ３０４で算出される基本払出玉数と合算玉数との差分が１２５玉−７０玉＝５５玉となる。
【０３２１】
従って、制御ユニット３２８は、図２８（２１）で乗入れ払出可能玉数が０玉であることを報知した後に、所定時間経過後（例えば５秒経過後）に、図２８（２２）に示すように、乗入れ画面に「５５玉計数で乗入れ可」のメッセージを表示するようにしている（図２４のＳ４０４０）。
【０３２２】
このように、乗入れ払出を実行可能とするために計数すべき玉数（持玉数に加算すべき玉数）を報知することにより、乗入れ払出を実行させようとする遊技者の利便性を高めることができる。例えば、遊技者は、下皿２４にある程度のパチンコ玉が貯留されている状態であれば、レバー２４ａを操作して、貯留されたパチンコ玉を計数・端数払出ユニット３４０に投入して計数処理を実行させることにより、後述する貯玉移行操作及び乗入れ払出を実行可能とする、という措置をとることができる。
【０３２３】
次いで、この状態で、計数・端数払出ユニット３４０によりパチンコ玉の計数が行われる計数処理が発生し、１２０玉が計数されたものとする（図２４のＳ４０５０）。このとき、計数・端数払出ユニット３４０の制御部３５０から制御ユニット３２８に対して計数信号が入力され、制御ユニット３２８のＲＡＭ３２８ｂに記憶されている計数玉数の値が加算される。そして、計数処理の発生に伴い、図２８（２３）に示すように、表示部３１２の表示画面は乗入れ画面から計数中画面に移行し、計数中画面において「計数中」の文字と共に計数玉数の値（本例では１２０）が表示される。
【０３２４】
そして、計数処理が完了したときに（例えば、計数玉数が更新されることなく５秒が経過したタイミングで）、ＲＡＭ３２８ｂに記憶されている当該カードユニット３に対応した口座（ＲＡＭ３２８ｂに記憶している基本単価に対応した口座）の持玉数に、計数玉数の値が加算されて持玉数が加算更新されると共に、計数玉数の値は０にリセットされる。これに伴い、図２８（２４）に示すように、計数中画面において加算後の当該口座の持玉数（本例では１２０）が表示され、当該口座の持玉数が１以上であり持玉払出が可能となったことに基づいて、計数プレイＬＥＤ３１９ｂを点灯し、計数プレイボタン３１９の操作を有効とする（図２４のＳ４０６０）。
【０３２５】
このとき、基本単価に対応した口座の貯玉数は５０玉から更新されていないが、基本単価に対応した口座の持玉数は、０玉から１２０玉に更新されている（図２４のＳ４０７０）。制御ユニット３２８は、計数処理が発生したこと（即ち乗入れ先口座の持玉数が更新されたこと）に基づいて、前述した必要計数玉数算出処理を実行する。
【０３２６】
この例では、必要計数玉数算出処理のＳ３０２で算出される合算玉数が、（５０玉＋１２０玉）＋０玉＋（８０玉×１円÷４円）＝１９０玉となる。制御ユニット３２８は、Ｓ３０３で合算玉数が基本払出玉数以上となっていること、即ち、必要計数玉数が０であることに基づいて、Ｓ３１０で乗入れ画面の乗入れ操作領域３１２ｂに貯玉移行ボタンを表示すると共に、Ｓ３１１で乗入れ画面に「貯玉移行で乗入れ可」のメッセージを表示することになる。
【０３２７】
従って、制御ユニット３２８は、図２８（２４）で基本単価に対応する持玉数が１２０玉となったことを報知した後に、上記の必要計数玉数算出処理が実行されたことに基づいて、所定時間経過後（例えば５秒経過後）に、図２８（２５）に示すように、乗入れ画面の乗入れ操作領域３１２ｂに、無効態様で表示されていた乗入れ払出ボタンに代えて、貯玉移行ボタンを表示する（図２４のＳ４０８０）と共に、「貯玉移行で乗入れ可」のメッセージを表示するようにしている（図２４及び図２５のＳ４１００）。
【０３２８】
これにより、遊技者は、貯玉移行ボタンを操作することで、乗入れ先口座及び乗入れ元口座の１以上の口座の貯玉数に、対応する口座の持玉数の一部又は全部が移行される貯玉移行処理が実行されて、貯玉移行処理後の各口座の貯玉数に基づいて乗入れ払出が可能となることを把握することができる。
【０３２９】
また、この実施の形態では、乗入れ画面において、「貯玉移行で乗入れ可」というメッセージを表示すると共に、乗入れ操作領域３１２ｂに貯玉移行ボタンを表示するようにしている。そのため、乗入れ払出を実行させる意思のある遊技者は、貯玉移行ボタンを操作して貯玉移行処理を実行させることになる。また、この実施の形態では、乗入れ払出に関連する操作である、乗入れ画面移行ボタンの操作、貯玉移行ボタンの操作、及び、乗入れ払出ボタンの操作は、いずれも乗入れ操作領域３１２ｂをタッチする共通の操作となっている。そして、乗入れ操作領域３１２ｂに表示されている貯玉移行ボタンをタッチすることにより、乗入れ操作領域３１２ｂには、貯玉移行ボタンに代えて、タッチされることにより乗入れ払出が実行される有効態様の乗入れ払出ボタンが表示される。
【０３３０】
従って、この実施の形態における貯玉移行ボタンの操作は、乗入れ払出を実行させる乗入れ払出ボタンの操作前に、乗入れ払出を実行させる意思を確認するための意思確認操作を兼ねている。仮に、貯玉移行ボタンの操作とは別に、遊技者に乗入れ払出を実行するか否かの選択を要求する操作を設けた場合には、乗入れ払出を実行させるまでの手順が増加してしまう。この実施の形態では、貯玉移行処理を実行させる操作が、乗入れ払出の意思確認操作を兼ねているため、乗入れ払出が実行されるまでの操作手順を簡素化することができる。
【０３３１】
次に、遊技者が、図２８（２５）の乗入れ画面において、乗入れ操作領域３１２ｂの貯玉移行ボタンを操作したものとする（図２５のＳ４１１０）。このとき、図２６の貯玉移行数算出処理が実行され、乗入れ先口座及び乗入れ元口座の各口座の貯玉数に加算すべき持玉数が算出される。
【０３３２】
図２６の貯玉移行数算出処理において、制御ユニット３２８は、Ｓ４００で、各乗入れ元口座（本例では２円，１円）の貯玉数に、対応する口座（２円，１円）の現在の持玉数を仮加算する。この仮加算においては、制御ユニット３２８で記憶している表示制御用の各口座の貯玉数及び持玉数の元データは更新されておらず、あくまで貯玉移行数算出処理用にコピーされた各口座の貯玉数及び持玉数のデータが仮加算の対象となる。
【０３３３】
本例では、Ｓ４００で、乗入れ元口座である２円口座の貯玉数（０玉）に２円口座の持玉数（０玉）を仮加算し、乗入れ元口座である１円口座の貯玉数（８０玉）に１円口座の持玉数（０玉）を仮加算する。即ち、仮加算後の各口座の貯玉数は、２円口座が０、１円口座が８０となる。ここでは、貯玉数に仮加算する対象となる持玉数は、持玉管理装置１４０で管理されている各口座の持玉数ではなく、制御ユニット３２８のＲＡＭ３２８ｂに記憶されている各口座の持玉数である。
【０３３４】
次いで、制御ユニット３２８は、Ｓ４０１で、仮加算後の乗入れ元口座の貯玉数を乗入れ先口座の貯玉数に換算する。本例では、［仮加算後の２円口座の貯玉数（０玉）×２円÷４円］により、仮加算後の２円口座の貯玉数を４円口座の玉数に換算し、［仮加算後の１円口座の貯玉数（８０玉）×１円÷４円］により、仮加算後の１円口座の貯玉数を４円口座の玉数に換算する。即ち、仮加算後の２円口座の貯玉数を４円口座の玉数に換算した換算玉数は０、仮加算後の１円口座の貯玉数を４円口座の玉数に換算した換算玉数は２０となる。
【０３３５】
次いで、制御ユニット３２８は、Ｓ４０２で、乗入れ先口座の貯玉数と、算出された換算玉数との合算玉数を算出する。この例では、［乗入れ先口座の貯玉数（５０）＋仮加算後の２円口座の貯玉数を４円口座の玉数に換算した換算玉数（０）＋仮加算後の１円口座の貯玉数を４円口座の玉数に換算した換算玉数（２０）］により、合算玉数が算出される。即ち、合算玉数は７０となる。
【０３３６】
次いで、制御ユニット３２８は、Ｓ４０３で、算出された合算玉数が基本払出玉数に達しているか否かを判定する。ここで、算出された合算玉数が基本払出玉数以上であるということは、乗入れ先口座を対象とするまでもなく、乗入れ元口座のみを対象とした貯玉移行処理によって乗入れ払出が可能になるということであり、算出された合算玉数が基本払出玉数未満であるということは、乗入れ先口座を対象とした貯玉移行処理を実行しなければ乗入れ払出が可能とならないということである。
【０３３７】
制御ユニット３２８は、Ｓ４０３で、合算玉数が基本払出玉数以上であれば（Ｙｅｓ）、Ｓ４１０で、乗入れ先口座の貯玉数に加算すべき持玉数を０と設定し、Ｓ４１１で、各乗入れ元口座の貯玉数に加算すべき持玉数を、対応する口座の現在の持玉数と設定して、貯玉移行数算出処理を終了する。これにより、（１）乗入れ元口座の貯玉数に、対応する口座の持玉数を加算すると共に、該対応する口座の持玉数を０にクリアする、乗入れ元口座のみを対象とした貯玉移行処理によって乗入れ払出が可能となる。
【０３３８】
一方、制御ユニット３２８は、Ｓ４０３で、合算玉数が基本払出玉数未満であれば（Ｎｏ）、Ｓ４０４で、合算玉数と基本払出玉数との差分を算出し、Ｓ４０５で、乗入れ先口座の貯玉数に加算すべき持玉数を、算出された差分と設定し、Ｓ４１１で、各乗入れ元口座の貯玉数に加算すべき持玉数を、対応する口座の現在の持玉数と設定して、貯玉移行数算出処理を終了する。これにより、（１）乗入れ元口座の貯玉数に、対応する口座の持玉数を加算すると共に、該対応する口座の持玉数を０にクリアし、（２）乗入れ先口座の貯玉数に、対応する口座の持玉数の少なくとも一部（Ｓ４０４で算出された差分）を加算すると共に、該対応する口座の持玉数から当該加算分（Ｓ４０４で算出された差分）を減算する、乗入れ先口座及び乗入れ元口座の両方を対象とした貯玉移行処理によって乗入れ払出が可能となる。
【０３３９】
この例では、合算玉数（７０）が基本払出玉数（１２５）に満たないため、Ｓ４０３ではＮｏと判定され、Ｓ４０４では差分が１２５玉−７０玉＝５５玉と算出され、Ｓ４０５では、乗入れ先口座である４円口座の貯玉数（５０）に加算すべき４円口座の持玉数が５５と設定される。また、Ｓ４１１では、乗入れ元口座である２円口座の貯玉数（０）に加算すべき２円口座の持玉数が０と設定され、１円口座の貯玉数（８０）に加算すべき１円口座の持玉数が０と設定される。
【０３４０】
次いで、制御ユニット３２８は、持玉管理装置１４０に対して、乗入れ先口座及び乗入れ元口座の各口座に加算すべき持玉数を指定する貯玉移行通知を送信する（図２５のＳ４１１１）。本例では、貯玉移行通知に、会員カードから読み取られた会員番号と、４円口座の貯玉数に加算させるべき４円口座の持玉数を指定する４円加算数（５５）と、２円口座の貯玉数に加算させるべき２円口座の持玉数を指定する２円加算数（０）と、１円口座の貯玉数に加算させるべき１円口座の持玉数を指定する１円加算数（０）と、が含まれる。
【０３４１】
持玉管理装置１４０は、カードユニット３から受信した貯玉移行通知を会員管理装置１５０に送信する（図２５のＳ４１１７）。貯玉移行通知を受信した会員管理装置１５０は、受信した貯玉移行通知に含まれる会員番号に対応付けて管理されている乗入れ先口座及び乗入れ元口座の貯玉数を特定すると共に、各口座の貯玉数に、指定された加算数を加算する（図２５のＳ４１２０）。本例では、４円口座の貯玉数（５０）に４円加算数（５５）を加算し、２円口座の貯玉数（０）に２円加算数（０）を加算し、１円口座の貯玉数（８０）に１円加算数（０）を加算する。これにより、４円口座の貯玉数は１０５、２円口座の貯玉数は０、１円口座の貯玉数は８０となる。
【０３４２】
次いで、会員管理装置１５０は、会員管理装置１５０で管理されている各口座の貯玉数に対応する口座の持玉数が移行されたことを示す貯玉移行結果を持玉管理装置１４０に送信する（図２５のＳ４１２１）。貯玉移行結果を受信した持玉管理装置１４０は、貯玉移行通知を送信したカードユニット３に対して、貯玉移行結果を送信する（図２５のＳ４１２６）。これにより、貯玉移行結果を受信したカードユニット３の制御ユニット３２８において、会員管理装置１５０で管理されている各口座の貯玉数に、指定した加算玉数が加算されたことが確認される。
【０３４３】
貯玉移行結果を受信した制御ユニット３２８では、ＲＡＭ３２８ｂに記憶している各口座の貯玉数に、Ｓ４１１１で指定した各口座に対応する加算数を加算すると共に、ＲＡＭ３２８に記憶している各口座の持玉数から、Ｓ４１１１で指定した各口座に対応する加算数を減算する（図２５のＳ４１２８）。
【０３４４】
本例では、４円口座の貯玉数（５０）に４円加算数（５５）を加算し、２円口座の貯玉数（０）に２円加算数（０）を加算し、１円口座の貯玉数（８０）に１円加算数（０）を加算する。これにより、制御ユニット３２８が記憶する４円口座の貯玉数は１０５、２円口座の貯玉数は０、１円口座の貯玉数は８０となる。また、４円口座の持玉数（１２０）から４円加算数（５５）を減算し、２円口座の持玉数（０）から２円加算数（０）を減算し、１円口座の持玉数（０）から１円加算数（０）を減算する。これにより、４円口座の持玉数は６５、２円口座の持玉数は０、１円口座の持玉数は０となる。
【０３４５】
以上に示した貯玉移行数算出処理（Ｓ４００〜Ｓ４１１）、会員管理装置１５０により管理されている各口座の貯玉数を更新するための処理（Ｓ４１１１〜Ｓ４１２６）、及び、カードユニット３により記憶されている各口座の貯玉数及び持玉数を更新するための処理（Ｓ４１２８）が実行されることにより、１以上の口座の持玉数の少なくとも一部を、対応する口座の貯玉数に移行する貯玉移行処理が完了する。
【０３４６】
貯玉移行処理が完了すると、制御ユニット３２８は、図２８（２６）に示すように、貯玉移行処理後の各口座の貯玉数を表示する。また、貯玉移行処理により、各口座の持玉数のうち対応する口座の貯玉数に移行された玉数、即ち、各口座の貯玉数に加算された玉数を、各口座毎に表示する。本例では、Ｓ４１１１で設定された４円加算数が５５、２円加算数が０、１円加算数が０であったことにより、「４円持玉５５玉を貯玉に移行しました。」とのみ表示される（図２５のＳ４１３０）。
【０３４７】
なお、この例では、Ｓ４１１１で設定した４円加算数のみが０ではないため、このような表示となっているが、仮に、２円加算数が０でない場合や、１円加算数が０ではない場合には、「４円持玉５５玉を貯玉に移行しました。」に加えて、「２円持玉××玉を貯玉に移行しました。」や、「１円持玉××玉を貯玉に移行しました。」が乗入れ画面に表示されることになる。
【０３４８】
このように、各口座の持玉数のうち、対応する口座の貯玉数に移行された玉数を、各口座毎に表示することにより、いずれの口座を対象として貯玉移行処理が実行されたのか、また、貯玉移行処理によって当該口座の持玉数のうち何玉が移行されたのかを把握することができる。遊技者は、図２８（２６）の乗入れ画面により、４円口座の持玉数のうち５５玉が４円口座の貯玉数に加算され、４円口座の貯玉数が１０５に増加したことを把握することができる。
【０３４９】
制御ユニット３２８は、図２８（２６）で、貯玉移行処理の対象となった口座及び当該口座の貯玉数に加算された持玉数を報知した後に、所定時間経過後（例えば５秒経過後）に、図２８（２７）に示すように、乗入れ払出可能玉数が再計算され（図２５のＳ４１５０）、乗入れ操作領域３１２ｂに貯玉移行ボタンに代えて乗入れ払出ボタンが有効態様で表示された乗入れ画面を表示する（図２５のＳ４１６０）。
【０３５０】
本例では、貯玉移行処理により、４円口座の貯玉数は１０５、２円口座の貯玉数は０、１円口座の貯玉数は８０となっているため、乗入れ画面に表示される乗入れ払出可能玉数は、［１０５玉＋（０玉×２円÷４円）＋（８０玉×１円÷４円）］＝１２５玉となる。これにより、遊技者は、乗入れ払出が可能となり、乗入れ払出ボタンを操作することで乗入れ払出が実行されることを把握することができる。
【０３５１】
そして、図２８（２７）の乗入れ画面において、乗入れ払出ボタンが操作されると、乗入れ払出可能玉数（１２５）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される乗入れ払出が実行される。このとき、図２８（２８）に示すように、表示部３１２には、「払出中」と表示される。
【０３５２】
そして、図２８（２９）に示すように、乗入れ払出の実行に伴い、ＲＡＭ３２８ｂで記憶している乗入れ払出可能玉数（１２５）から基本払出玉数（５度数相当の１２５）が減算されて０になると共に、表示部３１２に表示される乗入れ払出可能玉数も減算後の貯玉数に更新される。また、制御ユニット３２８で記憶している優先順位１〜３の各口座（４円口座，２円口座，１円口座）の貯玉数から、以下のようにして算出された各引き落とし数（１０５，０，８０）を減算する。
【０３５３】
本例では、優先順位１（乗入れ先口座）である４円口座の貯玉数が１０５、優先順位２（最優先の乗入れ元口座）である２円口座の貯玉数が０、優先順位３（次に優先される乗入れ元口座）である１円口座の貯玉数が８０である。従って、優先順位１である４円口座の貯玉数１０５玉が基本払出玉数１２５玉未満であるため、４円口座の貯玉数は全数使用され、４円口座からの減算玉数（４円引き落とし数）は４円口座の貯玉数（１０５玉）となる。また、優先順位２である２円口座からの減算玉数（２円引き落とし数）は０となる。そして、優先順位３である１円口座の貯玉数８０玉を乗入れ先単価４円の玉数に換算すると、［（８０玉×１円÷４円）＝２０玉］であり、払い出すべき残り玉数である［１２５玉−１０５玉＝２０玉］と合致するため、１円口座の貯玉数は全数使用され、１円口座からの減算玉数（１円引き落とし数）は１円口座の貯玉数（２０玉）となる。
【０３５４】
これに伴い、前述したように、算出された各口座の引き落とし数を指定する貯玉更新要求が制御ユニット３２８から持玉管理装置１４０を介して会員管理装置１５０に送信され、会員管理装置１５０では、ＣＰＵ１５２が、該貯玉更新要求に含まれる会員番号に対応付けて貯玉管理テーブルで記憶している各口座の貯玉数から、指定された引き落とし数を減算する。本例では、減算後の貯玉数は、４円口座が０、２円口座が０、１円口座が０となる。
【０３５５】
これにより、図２８（２９）に示すように、乗入れ払出可能玉数は０に更新され、カードユニット３で記憶されている各口座の貯玉数は、４円口座が０、２円口座が０、１円口座が０に更新される。そして、制御ユニット３２８は、図２８（２９）に示すように、減算後の乗入れ払出可能玉数が基本払出玉数未満である（乗入れ払出によって付与可能な遊技媒体数が０である）ことに基づいて、乗入れ操作領域３１２ｂに乗入れ払出ボタンを無効態様で表示する。
【０３５６】
乗入れ払出を実行できなくなったことを把握した遊技者が、図２８（２９）の「戻る」ボタンを操作すると、図２８（３０）のメイン画面に戻る。このメイン画面で表示される基本単価（４円）に対応した口座の持玉数（６５玉）は、前述した貯玉移行処理で対応する口座の貯玉数に移行されずに残存している持玉数である。この例では、図２８（２４）で計数された持玉数１２０玉のうち、図２８（２６）の貯玉移行処理で５５玉が貯玉に移行し、６５玉が持玉として残存している。従って、図２８（２６）の貯玉移行処理後も、当該口座の持玉数が１以上であり持玉払出が可能であることに基づいて、計数プレイＬＥＤ３１９ｂを点灯し、計数プレイボタン３１９の操作を有効としている。
【０３５７】
なお、図２８（２２）に示したケースでは、制御ユニット３２８は、乗入れ払出可能玉数が０であり乗入れ払出は実行できないが乗入れ元口座の貯玉数が０ではない、即ち、乗入れ先口座の貯玉数が増加することにより乗入れ払出が可能となるとして、必要計数玉数算出処理を実行した。これに対して、図２８（２９）のケースでは、乗入れ元口座の貯玉数が０であるため、仮に乗入れ先口座の貯玉数が増加したとしても、乗入れ元口座の貯玉数を減算する乗入れ払出を実行することができない。そのため、各乗入れ元口座の貯玉数がいずれも０である場合には、必要計数玉数算出処理を実行する必要がない。
【０３５８】
上記の例における各口座の貯玉数及び持玉数の推移は、図２９の例１として示される。計数処理前の、４円貯玉数が５０玉、２円貯玉数が０玉、１円貯玉数が８０玉であり、４円持玉数が０玉、２円持玉数が０玉、１円持玉数が０玉の状態では、算出される必要計数玉数は、［１２５玉−（５０玉＋０玉）−｛（０玉＋０玉）×２円÷４円｝−｛（８０玉＋０玉）×１円÷４円｝］＝５５玉となる。
【０３５９】
そして、計数処理が発生して１２０玉の計数が行われると、４円持玉数が１２０玉となる。この状態で貯玉移行処理が実行されると、４円持玉数１２０玉のうち５５玉が貯玉移行処理の対象となり、貯玉移行処理後の４円貯玉数は５０玉＋５５玉＝１０５玉、４円持玉数は１２０玉−５５玉＝６５玉となる。このとき、乗入れ払出可能玉数は、［１０５玉＋（０玉×２円÷４円）＋（８０玉×１円÷４円）］＝１２５玉となる。
【０３６０】
なお、例１において、仮に、計数処理が発生して５５玉の計数が行われたとすると、４円持玉数が５５玉となる。この状態で貯玉移行処理が実行されると、４円持玉数（５５玉）の全部が４円貯玉数に加算され、４円貯玉数が１０５玉となり、４円持玉数は０となる。即ち、貯玉移行処理が実行されることにより、乗入れ先口座に対応した持玉数の一部ではなく全部が移行される場合もある。
【０３６１】
このように、この実施の形態では、貯玉移行ボタンが操作されたときに、貯玉移行処理が実行され、乗入れ先口座の貯玉数に、対応する口座の持玉数の少なくとも一部を移行させるようにしている。従来であれば、前述したように、営業終了時処理が実行されたとき又は景品交換用ＰＯＳ端末１７０に会員カードが挿入されたときにのみ、各口座の持玉数全部を、対応する各口座の貯玉数に加算すると共に、各口座の持玉数を０にクリアする処理を実行するところであるが、この実施の形態では、カードユニット３における遊技者の操作によって貯玉移行処理を実行可能としているため、乗入れ払出を実行させようとする遊技者の利便性を高めることができる。
【０３６２】
また、上記の実施形態（例１）では、乗入れ先口座に対応する４円持玉数のうち、乗入れ払出を実行可能とするために必要となる最低玉数（１２０玉のうちの５５玉）のみを貯玉数に移行させ、残り（１２０玉のうち６５玉）は持玉数として残存させるようにしている。これにより、残った持玉数を、持玉払出により遊技に使用することができる。
【０３６３】
特に、この実施の形態では、貯玉払出が一単位数以上の貯玉数を要するのに対して、持玉払出しは、１玉以上の持玉数から可能となっている。従って、仮に貯玉移行処理によって、乗入れ先口座に対応する持玉数を全数移行させるようにした場合、乗入れ払出が実行された後、残存する乗入れ先口座の貯玉数が０より大きく一単位数未満となったときには、移行させた玉数の一部を遊技に使用できなくなってしまうことになる。そのため、この実施の形態では、４円持玉数のうち乗入れ払出を実行可能とするために必要ない分（６５玉）については、貯玉移行処理の対象としないことにより、遊技に使用可能な遊技媒体数を極力多く確保するようにしている。
【０３６４】
図２９の例２では、計数処理前、４円貯玉数が１０玉、２円貯玉数が６０玉、１円貯玉数が８０玉であり、４円持玉数が２５玉、２円持玉数が０玉、１円持玉数が０玉の状態である。このとき算出される必要計数玉数は、［１２５玉−（１０玉＋２５玉）−｛（６０玉＋０玉）×２円÷４円｝−｛（８０玉＋０玉）×１円÷４円｝］＝４０玉となる。
【０３６５】
そして、計数処理が発生して６０玉の計数が行われると、４円持玉数が８５玉となる。この状態で貯玉移行処理が実行されると、４円持玉数８５玉のうち６５玉が貯玉移行処理の対象となり、貯玉移行処理後の４円貯玉数は１０玉＋６５玉＝７５玉、４円持玉数は８５玉−６５玉＝２０玉となる。このとき、乗入れ払出可能玉数は、［７５玉＋（６０玉×２円÷４円）＋（８０玉×１円÷４円）］＝１２５玉となる。
【０３６６】
このように、計数処理前の乗入れ先口座に対応した口座の持玉数（４円持玉数２５玉）に、計数処理により計数された計数玉数（６０玉）が加算され、更新後の持玉数（４円持玉数８５玉）の少なくとも一部（６５玉）が乗入れ先口座の貯玉数（１０玉）に移行される。
【０３６７】
図２９の例３では、計数処理前、４円貯玉数が５玉、２円貯玉数が２０玉、１円貯玉数が４０玉であり、４円持玉数が１０玉、２円持玉数が３０玉、１円持玉数が６０玉の状態である。このとき算出される必要計数玉数は、［１２５玉−（５玉＋１０玉）−｛（２０玉＋３０玉）×２円÷４円｝−｛（４０玉＋６０玉）×１円÷４円｝］＝６０玉となる。
【０３６８】
そして、計数処理が発生して１００玉の計数が行われると、４円持玉数が１１０玉となる。この状態で貯玉移行処理が実行されると、２円持玉数の全部である３０玉、１円持玉数の全部である６０玉、４円持玉数１１０玉のうち７０玉が貯玉移行処理の対象となり、貯玉移行処理後の２円貯玉数は２０玉＋３０玉＝５０玉、２円持玉数は３０玉−３０玉＝０玉、１円貯玉数は４０玉＋６０玉＝１００玉、１円持玉数は６０玉−６０玉＝０玉、４円貯玉数は５玉＋７０玉＝７５玉、４円持玉数は１１０玉−７０玉＝４０玉となる。このとき、乗入れ払出可能玉数は、［７５玉＋（５０玉×２円÷４円）＋（１００玉×１円÷４円）］＝１２５玉となる。
【０３６９】
このように、乗入れ元口座の貯玉数（２円貯玉数２０，１円貯玉数４０）に、貯玉移行処理によって、乗入れ元口座に対応した口座の持玉数の全部（２円持玉数３０，１円貯玉数６０）が移行される。そして、乗入れ先口座に対応した口座の持玉数のうち、乗入れ払出可能玉数に不足する差分（７０玉）のみが、乗入れ先口座の貯玉数（５玉）に移行される。即ち、乗入れ元口座を対象とした貯玉移行処理によって不足する差分のみを乗入れ先口座を対象とした貯玉移行処理によって補足する構成としており、これにより、前述したように、遊技に使用可能な遊技媒体数を最大化することができる。
【０３７０】
図２９の例４では、計数処理前、４円貯玉数が２５玉、２円貯玉数が４０玉、１円貯玉数が８０玉であり、４円持玉数が２０玉、２円持玉数が８０玉、１円持玉数が１２０玉の状態である。このとき算出される必要計数玉数は、［１２５玉−（２５玉＋２０玉）−｛（４０玉＋８０玉）×２円÷４円｝−｛（８０玉＋１２０玉）×１円÷４円｝］≦０、であるため、０玉となる。
【０３７１】
そして、計数処理が発生することなく、この状態で貯玉移行処理が実行されると、２円持玉数の全部である８０玉、１円持玉数の全部である１２０玉が貯玉移行処理の対象となり、貯玉移行処理後の２円貯玉数は４０玉＋８０玉＝１２０玉、２円持玉数は８０玉−８０玉＝０玉、１円貯玉数は８０玉＋１２０玉＝２００玉、１円持玉数は１２０玉−１２０玉＝０玉となる。このとき、乗入れ払出可能玉数は、１２５玉≦［２５玉＋（１２０玉×２円÷４円）＋（２００玉×１円÷４円）＝１３５玉］＜２５０玉、であるため、１２５玉となる。
【０３７２】
このように、乗入れ元口座の貯玉数（２円貯玉数４０，１円貯玉数８０）に、貯玉移行処理によって、乗入れ元口座に対応した口座の持玉数の全部（２円持玉数８０，１円貯玉数１２０）が移行される。そして、乗入れ先口座の貯玉数（４円貯玉数２５）に、対応する口座の持玉数（４円持玉数２０）を加算するまでもなく、乗入れ払出を実行可能となる。即ち、乗入れ元口座を対象とした貯玉移行処理によって不足する差分がないため、乗入れ先口座を対象とした貯玉移行処理は実行しない構成としており、これにより、前述したように、遊技に使用可能な遊技媒体数を最大化することができる。
【０３７３】
［第３実施形態］
次に、第３実施形態に係る遊技用システム１に関して、第２実施形態と異なる点を説明する。第３実施形態に係る遊技用システム１には、図１に示すように、持玉管理装置１４０が設けられておらず、カードユニット３は、持玉管理装置１４０を中継することなく、会員管理装置１５０と通信可能に接続されている。
【０３７４】
従って、第２実施形態においてカードユニット３から持玉管理装置１４０を介して会員管理装置１５０に送信されたコマンド（貯玉更新要求や貯玉移行通知等）は、第３実施形態ではカードユニット３から直接、会員管理装置１５０に送信される。また、第２実施形態において会員管理装置１５０から持玉管理装置１４０を介してカードユニット３に送信されたコマンド（貯玉更新応答や貯玉移行結果等）は、会員管理装置１５０から直接、カードユニット３に送信される。
【０３７５】
第２実施形態において制御ユニット３２８に記憶されている各口座の持玉数（表示される持玉数）に関する処理は、第３実施形態において制御ユニット３２８に記憶されている各口座の計数玉数（表示される計数玉数）に関する処理と読み替えることができる。即ち、第３実施形態のカードユニット３には、制御ユニット３２８のＲＡＭ３２８ｂに、各口座（４円，２円，１円）の計数玉数が記憶され、メイン画面において、記憶している基本単価に対応した口座の計数玉数が表示されることになる。なお、第３実施形態においては、カードユニット３の制御ユニット３２８に記憶されている基本単価に対応した口座以外の口座の計数玉数は０となる。
【０３７６】
このときカードユニット３で記憶されている基本単価に対応した口座（乗入れ先口座に対応した口座）の計数玉数は、以下のようにして更新されるものとする。まず、計数センサ３５６によりパチンコ玉が検出される毎に、制御部３５０から制御ユニット３２８に対して計数信号が入力され、制御ユニット３２８のＲＡＭ３２８ｂに記憶されている計数玉数（メイン画面に表示される計数玉数）の値が加算される。そして、計数払出操作（上記実施形態における計数プレイボタン３１９の操作に相当）に基づいて遊技媒体が払い出される計数払出が実行され、カードユニット３が記憶している計数玉数（メイン画面に表示される計数玉数）から払出玉数が減算される。
【０３７７】
なお、カードユニット３で計数払出が実行されると、第２実施形態の持玉払出と同様に、上位管理装置（第３実施形態では会員管理装置１５０）と通信が行われることなく、カードユニット３で記憶されている基本単価に対応した口座の計数玉数のみが減算される。一方、貯玉払出が実行されると、第２実施形態の貯玉払出と同様に、会員管理装置１５０との通信が行われ、カードユニット３で記憶されている基本単価に対応した口座の貯玉数（メイン画面に表示される貯玉数）及び会員管理装置１５０で管理されている基本単価に対応した口座の貯玉数が減算される。
【０３７８】
そして、返却ボタン２２が操作されると、受け付けていた会員カードから読み取られた会員番号と、ＲＡＭ３２８ｂに記憶されている各口座（４円，２円，１円）の計数玉数とを含むカード排出通知が会員管理装置１５０に送信され、会員管理装置１５０においては、受信したカード排出通知により指定される会員番号に対応付けて貯玉管理テーブルで管理されている各口座（４円，２円，１円）の貯玉数に、受信したカード排出通知により指定される各口座（４円，２円，１円）の計数玉数を加算する。そして、カード排出通知を送信したカードユニット３では、ＲＡＭ３２８ｂに記憶されている各口座（４円，２円，１円）の計数玉数を０にクリアする。
【０３７９】
このように、第３実施形態において、会員管理装置１５０で管理される各口座の貯玉数に、対応した口座の計数玉数が加算されるのは、カードユニット３で受け付けた会員カードが返却されるとき（カード排出通知を受信したとき）となる。また、第３実施形態では、カードユニット３の基本単価に対応した口座以外の口座の計数玉数は０であるため、会員カードが返却されるときには、当該カードユニット３の基本単価に対応した口座の貯玉数のみが実際の加算対象となる。
【０３８０】
このような第３実施形態に係る遊技用システム１において、貯玉移行処理が実行されるときの動作の流れを図３０及び図３１を用いて説明する。なお、図３０及び図３１において、第２実施形態の図２４及び図２５と共通する処理には、共通する符号を付している。
【０３８１】
ここで、カードユニット３のカードＲ／Ｗ３２７には会員カードが受け付けられており、該会員カードから読み取られた会員番号に対応付けて会員管理装置１５０で管理されている４円口座の貯玉数が３５、２円口座の貯玉数が０、１円口座の貯玉数が６０であるものとする（図３０のＳ４０００Ａ）。
【０３８２】
また、制御ユニット３２８のＲＡＭ３２８ｂには、会員管理装置１５０で管理されている各口座の貯玉数と合致する貯玉数（４円：３５玉，２円：０玉，１円：６０玉）が記憶されており、各口座の計数玉数はいずれも０である（４円：０玉，２円：０玉，１円：０玉）ものとする。このとき、表示部３１２に表示されているメイン画面において、計数玉数として基本単価に対応した４円口座の計数玉数である０が表示され、貯玉数として基本単価に対応した４円口座の貯玉数である３５が表示される（図３０のＳ４０２０Ａ）。
【０３８３】
そして、この状態で、遊技者により乗入れ画面移行ボタンが操作され、表示画面がメイン画面から乗入れ画面に切り替えられたものとする（図３０のＳ４０２５）。移行後の乗入れ画面では、乗入れ先口座の貯玉数（３５玉）と、乗入れ元口座の貯玉数を乗入れ先口座の貯玉数に換算した玉数（０玉×２円÷４円，６０玉×１円÷４円）との合算玉数（３５玉＋０玉＋１５玉＝５０玉）が、基本払出玉数（１２５玉）未満であることに基づいて、乗入れ払出可能玉数は０玉と表示され（図３０のＳ４０３０）、乗入れ操作領域３１２ｂには、乗入れ払出ボタンが無効態様で表示される（図３０のＳ４０３５）。
【０３８４】
そして、前述したように、制御ユニット３２８は、乗入れ元口座の貯玉数が残存している（１円口座の貯玉数が６０玉である）が乗入れ元口座の貯玉数不足により乗入れ払出を実行できないことに基づいて、必要計数玉数算出処理を実行し、必要計数玉数を算出する。この例では、Ｓ３０２で算出される合算玉数が、３５玉＋０玉＋（６０玉×１円÷４円）＝５０玉であり、Ｓ３０４で算出される基本払出玉数と合算玉数との差分が１２５玉−５０玉＝７５玉となる。従って、制御ユニット３２８は、乗入れ画面に「７５玉計数で乗入れ可」のメッセージを表示するようにしている（図３０のＳ４０４０Ａ）。
【０３８５】
次いで、この状態で、計数・端数払出ユニット３４０によりパチンコ玉の計数が行われる計数処理が発生し、１２０玉が計数されたものとする（図３０のＳ４０５０）。このとき、計数・端数払出ユニット３４０の制御部３５０から制御ユニット３２８に対して計数信号が入力され、制御ユニット３２８のＲＡＭ３２８ｂに記憶されている計数玉数の値が加算される。そして、当該口座の計数玉数が１以上であり計数払出が可能となったことに基づいて、計数プレイＬＥＤ３１９ｂを点灯し、計数プレイボタン３１９の操作を有効とする（図３０のＳ４０６０）。
【０３８６】
このとき、基本単価に対応した口座の貯玉数は３５玉から更新されていないが、基本単価に対応した口座の計数玉数は、０玉から１２０玉に更新されている（図３０のＳ４０７０Ａ）。制御ユニット３２８は、計数処理が発生したこと（即ち乗入れ先口座の計数玉数が更新されたこと）に基づいて、前述した必要計数玉数算出処理を実行する。
【０３８７】
この例では、必要計数玉数算出処理のＳ３０２で算出される合算玉数が、（３５玉＋１２０玉）＋０玉＋（６０玉×１円÷４円）＝１７０玉となる。制御ユニット３２８は、Ｓ３０３で合算玉数が基本払出玉数以上となっていること、即ち、必要計数玉数が０であることに基づいて、Ｓ３１０で乗入れ画面の乗入れ操作領域３１２ｂに貯玉移行ボタンを表示すると共に、Ｓ３１１で乗入れ画面に「貯玉移行で乗入れ可」のメッセージを表示することになる。
【０３８８】
従って、制御ユニット３２８は、乗入れ画面の乗入れ操作領域３１２ｂに、無効態様で表示されていた乗入れ払出ボタンに代えて、貯玉移行ボタンを表示する（図３０のＳ４０８０）と共に、「貯玉移行で乗入れ可」のメッセージを表示するようにしている（図３０及び図３１のＳ４１００）。
【０３８９】
次に、遊技者が、乗入れ画面において、乗入れ操作領域３１２ｂの貯玉移行ボタンを操作したものとする（図３１のＳ４１１０）。このとき、図２６の貯玉移行数算出処理が実行され、乗入れ先口座及び乗入れ元口座の各口座の貯玉数に加算すべき計数玉数が算出される。
【０３９０】
この例では、合算玉数（５０）が基本払出玉数（１２５）に満たないため、Ｓ４０３ではＮｏと判定され、Ｓ４０４では差分が１２５玉−５０玉＝７５玉と算出され、Ｓ４０５では、乗入れ先口座である４円口座の貯玉数（３５）に加算すべき４円口座の計数玉数が７５と設定される。また、Ｓ４１１では、乗入れ元口座である２円口座の貯玉数（０）に加算すべき２円口座の計数玉数が０と設定され、１円口座の貯玉数（６０）に加算すべき１円口座の計数玉数が０と設定される。
【０３９１】
次いで、制御ユニット３２８は、会員管理装置１５０に対して、乗入れ先口座及び乗入れ元口座の各口座に加算すべき計数玉数を指定する貯玉移行通知を送信する（図３１のＳ４１１１Ａ）。本例では、貯玉移行通知に、会員カードから読み取られた会員番号と、４円口座の貯玉数に加算させるべき４円口座の計数玉数を指定する４円加算数（７５）と、２円口座の貯玉数に加算させるべき２円口座の計数玉数を指定する２円加算数（０）と、１円口座の貯玉数に加算させるべき１円口座の計数玉数を指定する１円加算数（０）と、が含まれる。なお、第３実施形態では、カードユニット３の基本単価に対応した口座以外の口座の計数玉数は０であるため、貯玉移行処理が実行されるときには、当該カードユニット３の基本単価に対応した口座の貯玉数のみが実際の加算対象となる。
【０３９２】
貯玉移行通知を受信した会員管理装置１５０は、受信した貯玉移行通知に含まれる会員番号に対応付けて管理されている乗入れ先口座及び乗入れ元口座の貯玉数を特定すると共に、各口座の貯玉数に、指定された加算数を加算する（図３１のＳ４１１５Ａ）。本例では、４円口座の貯玉数（３５）に４円加算数（７５）を加算し、２円口座の貯玉数（０）に２円加算数（０）を加算し、１円口座の貯玉数（６０）に１円加算数（０）を加算する。これにより、４円口座の貯玉数は１１０、２円口座の貯玉数は０、１円口座の貯玉数は６０となる。
【０３９３】
次いで、会員管理装置１５０は、会員管理装置１５０で管理されている各口座の貯玉数に対応する口座の計数玉数が移行されたことを示す貯玉移行結果をカードユニット３に送信する（図３１のＳ４１１６Ａ）。これにより、貯玉移行結果を受信したカードユニット３の制御ユニット３２８において、会員管理装置１５０で管理されている各口座の貯玉数に、指定した加算玉数が加算されたことが確認される。
【０３９４】
貯玉移行結果を受信した制御ユニット３２８では、ＲＡＭ３２８ｂに記憶している各口座の貯玉数に、Ｓ４１１１Ａで指定した各口座に対応する加算数を加算すると共に、ＲＡＭ３２８に記憶している各口座の計数玉数から、Ｓ４１１１Ａで指定した各口座に対応する加算数を減算する（図３１のＳ４１２８Ａ）。
【０３９５】
本例では、４円口座の貯玉数（３５）に４円加算数（７５）を加算し、２円口座の貯玉数（０）に２円加算数（０）を加算し、１円口座の貯玉数（６０）に１円加算数（０）を加算する。これにより、制御ユニット３２８が記憶する４円口座の貯玉数は１１０、２円口座の貯玉数は０、１円口座の貯玉数は６０となる。また、４円口座の計数玉数（１２０）から４円加算数（７５）を減算し、２円口座の計数玉数（０）から２円加算数（０）を減算し、１円口座の計数玉数（０）から１円加算数（０）を減算する。これにより、４円口座の計数玉数は４５、２円口座の計数玉数は０、１円口座の計数玉数は０となる。
【０３９６】
本例では、Ｓ４１１１Ａで設定された４円加算数が７５、２円加算数が０、１円加算数が０であったことにより、「４円計数玉７５玉を貯玉に移行しました。」とのみ表示される（図３１のＳ４１３０Ａ）。そして、制御ユニット３２８は、乗入れ払出可能玉数を再計算し（図３１のＳ４１５０）、乗入れ操作領域３１２ｂに貯玉移行ボタンに代えて乗入れ払出ボタンが有効態様で表示された乗入れ画面を表示する（図３１のＳ４１６０）。
【０３９７】
本例では、貯玉移行処理により、４円口座の貯玉数は１１０、２円口座の貯玉数は０、１円口座の貯玉数は６０となっているため、乗入れ画面に表示される乗入れ払出可能玉数は、［１１０玉＋（０玉×２円÷４円）＋（６０玉×１円÷４円）］＝１２５玉となる。これにより、遊技者は、乗入れ払出が可能となり、乗入れ払出ボタンを操作することで乗入れ払出が実行されることを把握することができる。
【０３９８】
このように、第３実施形態では、貯玉移行ボタンが操作されたときに、カードＲ／Ｗ３２７で受け付けられている会員カードが返却されることなく、貯玉移行処理が実行され、乗入れ先口座の貯玉数に、対応する口座の計数玉数の少なくとも一部を移行させるようにしている。従来であれば、前述したように、カードユニット３から会員カードが挿入されたときにのみ、各口座の計数玉数全部を、対応する各口座の貯玉数に加算すると共に、カードユニット３で記憶されている各口座の計数玉数を０にクリアする処理を実行するところであるが、この実施の形態では、カードユニット３における遊技者の操作によって、会員カードを返却することなく、貯玉移行処理を実行可能としているため、乗入れ払出を実行させようとする遊技者の利便性を高めることができる。
【０３９９】
［第２実施形態及び第３実施形態の変形例］
次に、前述した第２実施形態及び第３実施形態の変形例を挙げる。
【０４００】
（１）上記の実施形態では、貯玉移行処理が実行されると、乗入れ元口座の貯玉数に、対応する口座の持玉数（計数玉数）の全部が加算され、乗入れ先口座の貯玉数には、対応する口座の持玉数（計数玉数）の一部又は全部が加算されるようになっているが、このような形態に限らず、乗入れ元口座及び乗入れ先口座の貯玉数に、対応する口座の持玉数（計数玉数）の全部が加算されるようにしても良い。
【０４０１】
図３２の変形例１では、計数処理前、４円貯玉数が５玉、２円貯玉数が２０玉、１円貯玉数が４０玉であり、４円持玉数が１０玉、２円持玉数が３０玉、１円持玉数が６０玉の状態である。このとき算出される必要計数玉数は、［１２５玉−（５玉＋１０玉）−｛（２０玉＋３０玉）×２円÷４円｝−｛（４０玉＋６０玉）×１円÷４円｝］＝６０玉となる。
【０４０２】
そして、計数処理が発生して２００玉の計数が行われると、４円持玉数が２１０玉となる。この状態で貯玉移行処理が実行されると、２円持玉数の全部である３０玉、１円持玉数の全部である６０玉、４円持玉数の全部である２１０玉が貯玉移行処理の対象となり、貯玉移行処理後の２円貯玉数は２０玉＋３０玉＝５０玉、２円持玉数は３０玉−３０玉＝０玉、１円貯玉数は４０玉＋６０玉＝１００玉、１円持玉数は６０玉−６０玉＝０玉、４円貯玉数は５玉＋２１０玉＝２１５玉、４円持玉数は２１０玉−２１０玉＝０玉となる。このとき、乗入れ払出可能玉数は、２５０玉≦［２１５玉＋（５０玉×２円÷４円）＋（１００玉×１円÷４円）］＜３７５玉であるため、２５０玉となる。
【０４０３】
この変形例１では、前述した例３のように、計数処理後の４円持玉数の一部（７０玉）のみを４円貯玉数に加算することにより、乗入れ払出を実行可能となるが、変形例１では、乗入れ元口座のみを対象とした貯玉移行処理によって乗入れ払出を実行可能となるにもかかわらず、貯玉移行ボタンが操作されることにより、乗入れ元口座（４円）及び乗入れ先口座（２円，１円）の貯玉数に、対応する口座（４円，２円，１円）の持玉数（計数玉数）の全部が加算される。
【０４０４】
（２）上記の実施形態では、貯玉移行処理が実行されると、全ての乗入れ元口座の貯玉数に、対応する口座の持玉数（計数玉数）の全部が加算される例について説明したが、このような形態に限らず、一部の乗入れ元口座の貯玉数に、対応する口座の持玉数（計数玉数）の一部又は全部が加算されるようにしても良い。
【０４０５】
図３２の変形例２では、計数処理前、４円貯玉数が４５玉、２円貯玉数が４０玉、１円貯玉数が８０玉であり、４円持玉数が０玉、２円持玉数が１００玉、１円持玉数が１２０玉の状態である。このとき算出される必要計数玉数は、［１２５玉−（４５玉＋０玉）−｛（４０玉＋１００玉）×２円÷４円｝−｛（８０玉＋１２０玉）×１円÷４円｝］≦０、であるため、０玉となる。
【０４０６】
そして、計数処理が発生することなく、この状態で貯玉移行処理が実行されると、２円持玉数１００玉のうち８０玉が貯玉移行処理の対象となり、貯玉移行処理後の２円貯玉数は４０玉＋８０玉＝１２０玉、２円持玉数は１００玉−８０玉＝２０玉となる。このとき、乗入れ払出可能玉数は、［４５玉＋（１２０玉×２円÷４円）＋（８０玉×１円÷４円）］＝１２５玉となるため、１円口座の貯玉数に、対応する１円口座の持玉数を加算させるまでもなく、乗入れ払出が実行可能となる。
【０４０７】
即ち、複数の乗入れ元口座（２円口座及び１円口座）のうち一部の乗入れ元口座（２円口座）のみを対象とした貯玉移行処理を実行することにより、乗入れ払出が実行可能となる場合には、該一部の乗入れ元口座のみを対象とした貯玉移行処理を実行するようにしても良い。また、乗入れ元口座に対応した口座の持玉数（計数玉数）の全部を貯玉数に加算させるまでもなく、乗入れ払出が実行可能となる場合には、該持玉数（計数玉数）の一部のみを貯玉数に加算させるようにしても良い。
【０４０８】
なお、変形例２では、乗入れ優先順位テーブルで定められた優先順位に従って、優先順位の高い乗入れ元口座（例えば、最優先の乗入れ元口座である２円口座）から優先的に貯玉移行処理を実行するようにしているが、このような形態に限らず、優先順位の低い乗入れ元口座（例えば、次に優先される乗入れ元口座である１円口座）から優先的に貯玉移行処理を実行するようにしても良い。
【０４０９】
また、乗入れ優先順位テーブルで定められた優先順位とは関係無く、貯玉移行処理の対象とする乗入れ元口座の優先順位を会員管理装置１５０で設定して、設定された優先順位をカードユニット３に送信して記憶させ、カードユニット３及び会員管理装置１５０において、設定された優先順位に従って貯玉移行処理が実行されるようにしても良い。
【０４１０】
（３）上記の実施形態では、乗入れ操作領域３１２ｂに操作されている貯玉移行ボタンを操作することにより、貯玉移行処理が実行されて、該乗入れ操作領域３１２ｂに、貯玉移行ボタンに代えて、貯玉払出を実行させるときに操作する乗入れ払出ボタンが表示される例について説明した。即ち、貯玉移行ボタンの操作が乗入れ払出の意思確認操作を兼ねており、共通の操作によって、貯玉移行処理及び乗入れ払出の意思確認が実行される例について説明した。
【０４１１】
このような形態に限らず、乗入れ操作領域３１２ｂに表示された貯玉移行ボタンを操作することで、貯玉移行処理が実行され、貯玉移行処理の完了後に、遊技者の操作を要することなく続けて乗入れ払出が実行されるようにしても良い。上記の実施形態では、乗入れ操作領域３１２ｂに貯玉移行ボタンが表示される条件（貯玉移行処理を実行させる操作が可能となる条件）は、貯玉移行処理が実行されることによって乗入れ先口座及び乗入れ元口座の貯玉数に基づいて乗入れ払出が可能となる場合である。そのため、貯玉移行ボタンの操作に応じて、貯玉移行処理の完了後に自動的に乗入れ払出を実行するようにしても良い。
【０４１２】
このような構成とした場合には、貯玉移行処理を実行させる貯玉移行ボタンの操作が、乗入れ払出の意思確認操作及び乗入れ払出を実際に実行させる操作を兼ねており、共通の操作によって、貯玉移行処理及び乗入れ払出の意思確認、並びに乗入れ払出が実行される。これにより、乗入れ払出を実行させるための操作を簡素化することができる。
【０４１３】
なお、乗入れ払出の意思確認が、前述したような会員管理装置１５０で管理されている暗証番号と、カードユニット３に入力された暗証番号との照合完了（暗証番号の一致）である場合には、照合完了によって、その後の遊技者の操作を要することなく自動的に貯玉移行処理が実行されるようにしても良く、照合完了によって、その後の遊技者の操作を要することなく自動的に貯玉移行処理及びその後の乗入れ払出が実行されるようにしても良い。
【０４１４】
（４）上記の実施形態では、貯玉移行処理が実行されることによって乗入れ先口座及び乗入れ元口座の貯玉数に基づいて乗入れ払出が実行可能となる場合にのみ、乗入れ操作領域３１２ｂに貯玉移行ボタンが表示され、貯玉移行処理を実行させる操作が可能（有効）となる例について説明した。これによれば、仮に貯玉移行処理を実行したとしても、貯玉移行処理後の乗入れ先口座及び乗入れ元口座の貯玉数に基づいて算出される乗入れ払出可能玉数が基本払出玉数未満となることにより、乗入れ払出が実行できないという事態を防止して、遊技者の無駄な操作を回避することができる。
【０４１５】
このような形態に限らず、仮に貯玉移行処理を実行したとしても、貯玉移行処理後の乗入れ先口座及び乗入れ元口座の貯玉数に基づいて算出される乗入れ払出可能玉数が基本払出玉数未満となる場合であっても、貯玉移行ボタンを表示して、貯玉移行ボタンの操作によって貯玉移行処理を実行可能としても良い。このような構成とした場合には、貯玉移行処理によって、乗入れ先口座及び乗入れ元口座の貯玉数に、対応する口座の持玉数の全部を移行させるようにすると良い。
【０４１６】
（５）上記の実施形態では、カードユニット３が会員管理装置１５０と通信可能である場合にのみ、乗入れ払出が許容される例について説明したが、カードユニット３が会員管理装置１５０と通信不能な状態であっても、制御ユニット３２８が記憶している各口座の貯玉数に基づいて乗入れ払出を実行可能としても良い。この場合には、乗入れ払出が実行されるときに、制御ユニット３２８側で記憶されている各口座の貯玉数が減算され、会員カードが排出されるときに、該会員カードに更新後（減算後）の各口座の貯玉数が記録されるようにすると良い。そして、会員管理装置１５０と通信可能なカードユニット３に会員カードが挿入されたときに、カードユニット３が受け付けた会員カードから読み取られた会員番号及び各口座の貯玉数が会員管理装置１５０に対して送信され、会員管理装置１５０では、受信した会員番号に関連付けられている各口座の貯玉数を、受信した各口座の貯玉数に更新するようにすると良い。
【０４１７】
（６）上記の第２実施形態では、カードユニット３における遊技媒体の計数処理や持玉払出が実行されたときに、持玉管理装置１４０で管理されている持玉数が更新されず、会員カードが返却されるときに持玉管理装置１４０で管理されている持玉数が更新される例について説明したが、このような形態に限らず、遊技媒体の計数処理や持玉払出により制御ユニット３２８に記憶される持玉数が更新されるときに、該カードユニット３と持玉管理装置１４０との間で通信が行われ、カードユニット３にて受付中のカードのカードＩＤに対応付けて持玉管理テーブルで管理されている持玉数が、当該カードユニット３にて記憶されている持玉数に更新されるようにしても良い。
【０４１８】
（７）上記の第３実施形態では、カードユニット３から会員カードが排出されるときに、該会員カードの会員番号及び制御ユニット３２８に記憶されていた各口座の計数玉数を含むカード排出通知を送信し、会員管理装置１５０では、受信したカード排出通知に含まれる会員番号に対応付けて管理している各口座の貯玉数に、該カード排出通知で指定される各口座の計数玉数を加算するようにしている（ただし、このとき実際に更新されるのはカードユニット３の基本単価に対応した口座の貯玉数のみとなる）。このような形態に限らず、会員管理装置１５０において、貯玉数と当日貯玉数を別に管理するようにしておき、営業終了時処理が実行されたとき又は景品交換用ＰＯＳ端末１７０に会員カードが挿入されたときに、各口座の貯玉数に、対応する口座の当日貯玉数を加算するようにしても良い。
【０４１９】
具体的には、カードユニット３から会員カードが排出されるときに、該会員カードの会員番号及び制御ユニット３２８に記憶されていた各口座の計数玉数を含むカード排出通知を送信し、会員管理装置１５０では、受信したカード排出通知に含まれる会員番号に対応付けて管理している各口座の当日貯玉数に、該カード排出通知で指定される各口座の計数玉数を加算するようにする。そして、会員管理装置１５０では、営業終了時処理が実行されたとき又は景品交換用ＰＯＳ端末１７０に会員カードが挿入されたときに、会員番号毎に、各口座の当日貯玉数を、対応する口座の貯玉数に加算する。
【０４２０】
このような構成とした場合において、カードユニット３に会員カードが挿入されると、カードユニット３は、カードＲ／Ｗ３２７で受け付けた会員カードの会員番号に対応付けて会員管理装置１５０で管理されている各口座の当日貯玉数を取得する。カードユニット３では、取得した当日貯玉数のうち、当該カードユニット３の基本単価に対応した口座の当日貯玉数を減算して遊技媒体の付与を行う付与処理が可能である。
【０４２１】
そして、このような構成のカードユニット３において、乗入れ操作領域３１２ｂに表示された貯玉移行ボタンが操作されると、１以上の口座の当日貯玉数の一部又は全部が、対応する口座の貯玉数に移行される貯玉移行処理が実行される。このときの貯玉移行処理における当日貯玉数と貯玉数との関係は、第２実施形態における持玉数と貯玉数との関係と同様であり、例えば、図２９の例１〜例４の説明における持玉数を当日貯玉数と読み替えると良い。
【０４２２】
なお、このような当日貯玉数を管理する場合には、当日貯玉数と貯玉数とを同じコンピュータで管理せず、貯玉数は会員管理装置１５０で管理する一方、当日貯玉数は会員管理装置１５０と通信可能に接続され、双方向のデータ送信が可能な当日貯玉数管理コンピュータで管理するようにしても良い。
【０４２３】
（８）上記の第２実施形態では、いずれの口座（４円，２円，１円）の持玉数を貯玉移行処理の対象とするかについて、予め定められた優先順位に従って決定される例について説明したが、このような形態に限らず、いずれの口座の持玉数を貯玉移行処理の対象とするかを、カードユニット３における遊技者の操作により選択可能としても良い。例えば、貯玉移行処理の対象として２円口座を選択することにより、４円口座、２円口座、及び１円口座のうち、２円口座の持玉数のみを、２円口座の貯玉数に加算させることが可能となる。
【０４２４】
（９）上記の実施形態では、貯玉移行処理の対象となる口座の持玉数あるいは計数玉数のうち、何玉を貯玉に移行させるかに関して、乗入れ払出可能玉数が基本払出玉数以上となるように自動的に設定される例について説明したが、このような形態に限らず、貯玉移行処理の対象となる口座の持玉数あるいは計数玉数のうち、何玉を移行させるかについて、遊技者の入力操作により設定可能としても良い。
【０４２５】
（１０）上記の実施形態では、遊技者の貯玉移行操作に基づいて、持玉数あるいは計数玉数の少なくとも一部が貯玉数に加算される例について説明したが、このような形態に限らず、遊技者の操作によらず持玉数あるいは計数玉数の少なくとも一部が貯玉数に自動的に加算されるようにしても良い。例えば、貯玉移行処理前の各口座の貯玉数に基づいて乗入れ払出を実行することはできないが、仮に貯玉移行処理を実行した場合には移行後の各口座の貯玉数に基づいて乗入れ払出を実行可能となる場合には、遊技者の操作によらず、各口座の持玉数あるいは計数玉数の少なくとも一部が貯玉数に自動的に加算されるようにしても良い。
【０４２６】
なお、このような構成とする場合には、（１）現在の乗入れ先口座の貯玉数と乗入れ元口座の貯玉数をカードユニット３の基本単価の玉数に換算した玉数との合算玉数が、既に乗入れ払出を実行可能な基本払出玉数に達しているとき、（２）上記合算玉数が基本払出玉数に達しておらず且つ各口座の持玉数あるいは計数玉数を対応する各口座の貯玉数に加算したとしても、該加算後の上記合算玉数が基本払出玉数に達しないときには、上記のような自動的な加算を実行せず、（３）上記合算玉数が基本払出玉数に達していないが各口座の持玉数あるいは計数玉数を対応する各口座の貯玉数に加算した場合に、該加算後の上記合算玉数が基本払出玉数に達するときには、上記のような自動的な加算を実行可能とすると良い。
【０４２７】
（１１）上記の第２実施形態では、ビジターカード又は会員カードがカードユニット３に挿入されたときに、カードユニット３が持玉管理装置１４０及び会員管理装置１５０から各口座の持玉数及び貯玉数を取得すると共に、持玉管理装置１４０及び会員管理装置１５０においても各口座の持玉数及び貯玉数を継続して記憶する例について説明したが、このような形態に限らず、カードユニット３が持玉管理装置１４０及び会員管理装置１５０から各口座の持玉数及び貯玉数を取得したことに基づいて、持玉管理装置１４０及び会員管理装置１５０において対応するカードＩＤ及び会員番号の各口座の持玉数及び貯玉数を０にクリアするようにしても良い。このような構成とする場合には、ビジターカード又は会員カードがカードユニット３から排出されるときに、カードユニット３で記憶されていた各口座の持玉数及び貯玉数が持玉管理装置１４０及び会員管理装置１５０に送信され、持玉管理装置１４０及び会員管理装置１５０において受信した持玉数及び貯玉数を、対応するカードＩＤ及び会員番号の各口座の持玉数及び貯玉数として記憶するようにすると良い。
【０４２８】
（１２）上記の第３実施形態では、ビジターカード又は会員カードがカードユニット３に挿入されたときに、カードユニット３が会員管理装置１５０から各口座の貯玉数を取得すると共に、会員管理装置１５０においても各口座の貯玉数を継続して記憶する例について説明したが、このような形態に限らず、カードユニット３が会員管理装置１５０から各口座の貯玉数を取得したことに基づいて、会員管理装置１５０において対応するカードＩＤ及び会員番号の各口座の貯玉数を０にクリアするようにしても良い。このような構成とする場合には、ビジターカード又は会員カードがカードユニット３から排出されるときに、カードユニット３で記憶されていた各口座の貯玉数（ただし、カードユニット３の基本単価に対応した貯玉数については該貯玉数に計数玉数を合算した後の更新後の貯玉数）が会員管理装置１５０に送信され、会員管理装置１５０において受信した各口座の貯玉数を、対応するカードＩＤ及び会員番号の各口座の貯玉数として記憶するようにすると良い。
【０４２９】
（１３）上記の実施形態では、カードユニット３にて貨幣が受け付けられる毎に、また、カードユニット３でプリペイド払出が実行される毎に、制御ユニット３２８で記憶されているプリペイド残額が更新されると共に、カードユニット３と残額管理装置１００との間で通信が実行され、残額管理装置１００で管理されているプリペイド残額も更新される例について説明したが、このような形態に限らず、カードユニット３にて貨幣が受け付けられたとき、カードユニット３でプリペイド払出が実行されたときには、制御ユニット３２８で記憶されているプリペイド残額が更新される一方で、カードユニット３と残額管理装置１００との間では通信が実行されず、残額管理装置１００で管理されているプリペイド残額が更新されないようにしても良い。
【０４３０】
このような構成とする場合には、カードユニット３からカードが返却されるときに、該カードのカードＩＤと制御ユニット３２８で記憶されているプリペイド残額とを含む情報が残額管理装置１００に送信され、残額管理装置１４０において、受信したカードＩＤに対応付けて管理しているプリペイド残額を、受信したプリペイド残額に更新するようにすると良い。
【０４３１】
（１４）上記の実施形態では、カードユニット３にて貯玉払出や乗入れ払出が実行される毎に、制御ユニット３２８で記憶されている各口座の貯玉数が更新されると共に、カードユニット３と会員管理装置１５０との間で通信が実行され、会員管理装置１５０で管理されている各口座（１以上の口座）の貯玉数も更新される例について説明したが、このような形態に限らず、カードユニット３にて貯玉払出や乗入れ払出が実行されたときには、制御ユニット３２８で記憶されている各口座の貯玉数が更新される一方で、カードユニット３と会員管理装置１５０との間では通信が実行されず、会員管理装置１５０で管理されている各口座の貯玉数は更新されないようにしても良い。
【０４３２】
このような構成とする場合には、カードユニット３から会員カードが返却されるときに、該会員カードの会員番号と制御ユニット３２８で記憶されている各口座の貯玉数とを含む情報が会員管理装置１５０に送信され、会員管理装置１５０において、受信した会員番号に対応付けて管理している各口座の貯玉数を、受信した各口座の貯玉数に更新するようにすると良い。
【０４３３】
（１５）上記の実施形態では、カードＲ／Ｗ３２７からカードが返却されることに伴い、カード貯留部からカードＲ／Ｗ３２７の所定位置にビジターカードが供給される例について説明したが、このような形態に限らず、カードＲ／Ｗ３２７からカードが返却されるときには、カード貯留部からカードＲ／Ｗ３２７の所定位置にビジターカードを搬送しないようにしても良い。即ち、カードＲ／Ｗ３２７の所定位置にカードが存在しない状態で、貨幣受付及びプリペイド払出、並びに、計数処理及び持玉払出を実行可能としても良い。
【０４３４】
このような構成とした場合には、上記（１３）に示したように、貨幣受付及びプリペイド払出に基づいて制御ユニット３２８に記憶されているプリペイド残額が更新される一方で、カードユニット３と残額管理装置１００との間では通信が実行されず残額管理装置１００で管理されているプリペイド残額は更新されない構成とすると良い。また、上記実施形態のように、計数処理及び持玉払出に基づいて制御ユニット３２８に記憶されている基本単価の持玉数が更新される一方で、カードユニット３と持玉管理装置１４０との間では通信が実行されず持玉管理装置１４０で管理されている各口座の持玉数は更新されない構成とすると良い。
【０４３５】
そして、カードＲ／Ｗ３２７の所定位置にカードが存在しない状態で（カードＲ／Ｗ３２７にカードが受け付けられていない状態で）、返却ボタン２２が操作されると、カード貯留部からカードＲ／Ｗ３２７の所定位置にビジターカードを搬送し、該所定位置のビジターカードのカードＩＤと制御ユニット３２８で記憶しているプリペイド残額とを含む情報を残額管理装置１００に送信すると共に、該所定位置のビジターカードのカードＩＤと制御ユニット３２８で記憶している各口座の持玉数とを含むカード排出通知を持玉管理装置１４０に送信し、さらに、該所定位置のビジターカードに制御ユニット３２８で記憶しているプリペイド残額並びに各口座の持玉数及び日付を記録して返却すると良い。
【０４３６】
カードユニット３から上記の情報を受信した残額管理装置１００では、受信したカードＩＤに対応付けて管理しているプリペイド残額を、受信したプリペイド残額に更新する。また、カードユニット３から上記のカード排出通知を受信した持玉管理装置１４０では、受信したカードＩＤに対応付けて管理している各口座の持玉数を、受信した各口座の持玉数に更新する。
【０４３７】
（１６）上記の実施形態では、例えば図２７（６）において、乗入れ払出ボタンが操作されると、乗入れ払出が行われる例について説明したが、これに限らず、例えば乗入れ手続ボタンが操作され、暗証番号の入力がされた後に、該乗入れ払出ボタンが操作されると、乗入れ払出が行われるものであってもよい。この場合において、該乗入れ手続ボタンが操作された後、乗入れ払出ボタンが操作される前（例えば、乗入れ手続ボタン操作は完了しているが暗証番号入力操作が完了していない場合や、あるいは、乗入れ手続ボタン操作と暗証番号入力操作は完了しているが乗入れ払出ボタン操作が完了していない場合）に遊技媒体が計数されたことに基づいて、計数付与処理（持玉払出）が実行可能になる場合には、該計数付与処理が実行可能となることを特定可能に報知（例えば表示部３１２に「持玉を使用できます。」と表示）するのが好ましい。これによれば、乗入れ付与処理を実行せずとも遊技媒体の付与が可能となることを把握できるため遊技者の利便性を高めることができる。
【０４３８】
［第４実施形態］
第４実施形態は、乗入れ付与処理（乗入れ払出）が可能な遊技媒体数（貯玉数）に上限を設けて該乗入れ払出の実行を制限するものにおいて、該乗入れ付与処理の実行の制限について遊技場が条件を設定できるような遊技用システム１である。具体的には、カードユニット３における基本単価が一の付与レート（自台レート）である場合において、後述する図３４のＤ５００１に示すように、乗入れ払出に使用される他の付与レート（他レート）の貯玉数の累積値が第１の上限値に達する場合に該乗入れ払出の実行を制限する第１の制限（「乗入れ元基準の制限」）、乗入れ払出により付与される一の付与レートに対応する貯玉数の累積値が第２の上限値に達する場合に乗入れ払出の実行を制限する第２の制限（「乗入れ先基準の制限」）、その他の制限のうちの、いずれにより乗入れ払出の実行の制限を行うかを設定可能であるかことを特徴とする。
【０４３９】
そして、ここで設定された制限に基づき、第１実施形態の貯玉払出処理における乗入れ払出（図１５のＳ１３４）、並びに第２，第３実施形態の乗入れ払出（図２１のＳ２０７０，図２２のＳ３０３０）が行われる前に、後述する図３６，図３８，図４０，又は図４２に示す上限判定が行われ、前記累積値が前記上限値に達していなければ、当該乗入れ払出が行われる。即ち第４実施形態は、前記第１〜第３実施形態のいずれにも適用可能なものである。
【０４４０】
以下、第４実施形態について、図３４〜図４２を参照して説明する。なお、以下においては、乗入れ払出に使用される付与レートが４円と１円の２つである場合について説明する。また、以下においては、持玉の乗入れ払出ではなく、貯玉の乗入れ払出について説明する。持玉を使用した再プレイと同じように貯玉を使用した再プレイが無制限に行われると、遊技場が損をするからである。具体的には、貯玉を特殊景品に一旦交換し、該特殊景品に基づいてパチンコ玉を付与する場合には、等価交換ではないことが多い（例えば４円貯玉が３円相当になる）ため、交換ギャップ（本例では４円−３円＝１円）が遊技場の利益となるところ、貯玉をそのまま（つまり等価で）遊技に使用する再プレイの場合には、遊技場が該交換ギャップが得られないからである。
【０４４１】
図３３は、第４実施形態に係る遊技用システム１において、会員管理装置１５０の記憶装置１５５が記憶している、再プレイ消費玉数管理テーブルの一例を示す図であり、（ａ）は累計ver.，（ｂ）は減算ver.である。なお、（ｂ）の減算ver.については、累積ver.の説明（図３８まで）が終わった後に説明する。
【０４４２】
（ａ）の累計ver.の再プレイ消費玉数管理テーブルでは、すべての会員遊技者について、各会員番号に対応付けて、乗入れ元又は乗入れ先となった４円貯玉数の累積値と、乗入れ元又は乗入れ先となった１円貯玉数の累積値と、該４円貯玉数の累積値と１円貯玉数の累積値との合計が、営業当日において管理されている。従って、再プレイ消費玉数管理テーブルの記憶内容は、翌日の営業開始前にはリセットされる。
【０４４３】
この再プレイ消費玉数管理テーブルで管理される累積値は、次に述べる図３４のＤ５００１において、乗入れ元基準の制限が設定された場合には、乗入れ元となった４円貯玉数及び１円貯玉数の累積値であり、また乗入れ先基準の制限が設定された場合には、乗入れ先となった４円貯玉数及び１円貯玉数の累積値であり、また合計基準の制限が設定された場合には、乗入れ元並びに乗入れ先となった４円貯玉数及び１円貯玉数の累積値である。
【０４４４】
ここで会員管理装置１５０は、会員カードが受け付けられたカードユニット３から、当該会員カードの会員番号を受信すると、該受信した会員番号に対応付けて再プレイ消費玉数管理テーブルで管理している４円貯玉数，１円貯玉数，及び合計の累積値を、当該カードユニット３に対して返信する。次にカードユニット３は、該受信した再プレイ消費玉数を制御ユニット３２８のＲＡＭ３２８ｂで記憶して、後述する図３５に示すように、再プレイ（通常再プレイ及び乗入れ再プレイ）の実行に伴い、該記憶している累積値を加算更新し、該会員カードが返却されると、会員番号と、該記憶している更新後の累積値とを特定可能な更新要求を、会員管理装置１５０に対して送信する。そして会員管理装置１５０は、該受信した更新要求から特定される会員番号に対応付けて再プレイ消費玉数管理テーブルで管理している４円貯玉数，１円貯玉数，及び合計の累積値を、該更新要求から特定される累積値に更新する。即ち、会員管理装置１５０が記憶している再プレイ消費玉数管理テーブルは、カードユニット３で再プレイが実行される毎に更新されるのではなく、カードユニット３から更新要求を受信したことに基づいて更新されるので、通信負荷を低減できる。
【０４４５】
図３４は、第４実施形態に係る遊技用システム１において、会員管理装置１５０の表示装置１５７に表示される、乗入れ再プレイ設定画面の一例を示す図である。この乗入れ再プレイ設定画面は、遊技場の営業終了後又は営業開始前に表示されて、Ｄ５００１の判定種別や、Ｄ５００２の上限値を設定可能なものである。なお、遊技場の営業中に表示されて、判定種別や上限値を設定可能としてもよい。
【０４４６】
まずＤ５００１では、上限判定の判定種別として、乗入れ元基準，乗入れ先基準，又は合計基準のいずれかを選択するためのラジオボタンが表示される。ここで乗入れ元基準は、乗入れ払出に使用される他レートの貯玉数の累積値が第１の上限値に達する場合に該乗入れ払出の実行を制限するものである。また、乗入れ先基準は、乗入れ払出により付与される自台レートに対応する貯玉数の累積値が第２の上限値に達する場合に乗入れ払出の実行を制限するものである。また、合計基準は、乗入れ払出に使用される他レートの貯玉数の累積値と乗入れ払出により付与される自台レートに対応する貯玉数の累積値との合計が第３の上限値に達する場合に乗入れ払出の実行を制限するものである。このＤ５００１で、いずれかのラジオボタンを選択して、「次へ」ボタンを操作すると、Ｄ５００２に進む。
【０４４７】
Ｄ５００２では、付与レート毎に上限値を設定するか、又は付与レートの種類にかかわらず共通に適用される上限値を設定するかを選択するためのラジオボタンと、付与レート毎に上限値を設定する場合における付与レート毎の上限値の入力欄と、共通に適用される上限値を設定する場合における上限値の入力欄とが表示される。このように、付与レート毎に上限値を設定することにより、遊技の幅が広がり、興趣の向上が見込まれるので、遊技機の稼働を向上できる。また、共通に適用される上限値を設定することにより、付与レートの種類毎に累積値を管理して上限値に達するかを判定しなくてよいので、該判定の負担を軽減できる。
【０４４８】
なお、本例では、付与レート毎に上限値を設定する場合において、４円貯玉数の累積値の上限値が２５００玉，１円貯玉数の累積値の上限値も２５００玉と、両者が同数となるように設定しているが、これに限らず、例えば４円貯玉数の累積値の上限値が２５００玉，１円貯玉数の累積値の上限値が１００００玉と、両者が同価値となるように設定してもよく、その他任意に設定してもよい。
【０４４９】
このＤ５００２で、いずれかのラジオボタンを選択し、上限値を入力して、「設定」ボタンを操作すると、Ｄ５００１及びＤ５００２で選択及び入力された設定内容が、会員管理装置１５０で記憶されると共に、該会員管理装置１５０から各カードユニット３に対して送信され、各カードユニット３でも記憶されて、後述する上限判定に用いられる。
【０４５０】
図３５は、第４実施形態に係る遊技用システム１において、再プレイが行われた場合における、カードユニット３が記憶している再プレイ消費玉数の、累計ver.の更新を示す図である。なお、初期状態は、図３３（ａ）に示すように、会員番号Ｋ−００００１について、４円累積値，１円累積値，及び合計累積値が、いずれも０である（即ち、この日はまだ再プレイを行っていない）ものとする。
【０４５１】
まず（ａ）は、基本単価が４円のカードユニット３（以下、「４円ユニット」と称する。）において、通常再プレイが行われた場合である。この通常再プレイでは、４円貯玉１２５玉を使用して４円玉１２５玉を付与する。よって、基本単価である４円貯玉の累積値が０であるところに、使用した１２５玉を加算更新して、４円貯玉の累積値を１２５玉とし、合計累積値も１２５玉とする。
【０４５２】
次に（ｂ）は、同じく４円ユニットにおいて、１円貯玉を使用して４円玉を付与する乗入れ再プレイが行われた場合である。この乗入れ再プレイ（全部乗入れ）では、１円貯玉５００玉を使用して４円玉１２５玉を付与する。ここでの更新は、前記図３４のＤ５００１で選択された判定種別によって異なる。
【０４５３】
第１に、乗入れ元基準の場合には、乗入れ元である１円貯玉の累積値が０であるところに、使用した５００玉を加算更新して、（ｂ１）に示すように、１円貯玉の累積値を５００玉とし、合計累積値も５００玉とする。
【０４５４】
第２に、乗入れ先基準の場合には、乗入れ先である４円貯玉の累積値が０であるところに、付与した１２５玉を加算更新して、（ｂ２）に示すように、４円貯玉の累積値を１２５玉とし、合計累積値も１２５玉とする。
【０４５５】
第３に、合計基準の場合には、乗入れ先である４円貯玉の累積値が０であるところに、付与した１２５玉を加算更新し、かつ、乗入れ元である１円貯玉の累積値が０であるところに、使用した５００玉を加算更新して、（ｂ３）に示すように、４円貯玉の累積値を１２５玉，１円貯玉の累積値を５００玉とし、合計累積値を両者の合計である６２５玉とする。
【０４５６】
次に（ａ’）は、基本単価が１円のカードユニット３（以下、「１円ユニット」と称する。）において、通常再プレイが行われた場合である。この通常再プレイでは、１円貯玉２００玉を使用して１円玉２００玉を付与する。よって、基本単価である１円貯玉の累積値が０であるところに、使用した２００玉を加算更新して、１円貯玉の累積値を２００玉とし、合計累積値も２００玉とする。
【０４５７】
次に（ｂ’）は、同じく１円ユニットにおいて、４円貯玉を使用して１円玉を付与する乗入れ再プレイが行われた場合である。この乗入れ再プレイ（全部乗入れ）では、４円貯玉５０玉を使用して１円玉２００玉を付与する。ここでの更新は、前記図３４のＤ５００１で選択された判定種別によって異なる。
【０４５８】
第１に、乗入れ元基準の場合には、乗入れ元である４円貯玉の累積値が０であるところに、使用した５０玉を加算更新して、（ｂ１’）に示すように、４円貯玉の累積値を５０玉とし、合計累積値も５０玉とする。
【０４５９】
第２に、乗入れ先基準の場合には、乗入れ先である１円貯玉の累積値が０であるところに、付与した２００玉を加算更新して、（ｂ２’）に示すように、１円貯玉の累積値を２００玉とし、合計累積値も２００玉とする。
【０４６０】
第３に、合計基準の場合には、乗入れ先である１円貯玉の累積値が０であるところに、付与した２００玉を加算更新し、かつ、乗入れ元である４円貯玉の累積値が０であるところに、使用した５０玉を加算更新して、（ｂ３’）に示すように、４円貯玉の累積値を５０玉，１円貯玉の累積値を２００玉とし、合計累積値を両者の合計である２５０玉とする。
【０４６１】
図３６は、第４実施形態に係る遊技用システム１において、カードユニット３が実行する上限判定処理の、累計ver.を示すフローチャートである。この上限判定は、前述の如く、第１実施形態の貯玉払出処理における乗入れ払出（図１５のＳ１３４）、並びに第２，第３実施形態の乗入れ払出（図２１のＳ２０７０，図２２のＳ３０３０）が行われる前に、実行される。
【０４６２】
まず、記憶している判定基準が、乗入れ元基準であるか（Ｓ５１０１でＹＥＳ），乗入れ先基準であるか（Ｓ５１０２でＹＥＳ），合計基準であるか（Ｓ５１０２でＮＯ）を判定する。
【０４６３】
判定基準が乗入れ元基準である場合には（Ｓ５１０１でＹＥＳ）、乗入れ元レートの累積値に、今回使用数を仮加算する（Ｓ５１１１）。例えば、前記図３５（ｂ１）のように、４円ユニットにおいて１円貯玉からの乗り入れを行う場合には、乗入れ元である１円貯玉の累積値に、今回使用する５００玉を仮加算する。そして、該仮加算後の累積値が、前記図３４のＤ５００２で設定されてカードユニット３で記憶している乗入れ元レートの上限値以下であるか否かを判定する（Ｓ５１１２）。
【０４６４】
このＳ５１１２で仮加算後の累積値（例えば５００玉）が乗入れ元レート（例えば４円）の上限値（例えば２５００玉）以下である（ＹＥＳ）と判定した場合には、全部乗入れ処理を行って（Ｓ５１１３）、上限判定及び乗入れ払出を終了する。この全部乗入れ処理では、他レートの貯玉数（例えば１円貯玉５００玉）を使用して、そのすべてに対応する自台レートの玉（例えば４円玉１２５玉）を付与する。そして、記憶している乗入れ元レートの累積値に、該使用した玉数を加算する。例えば、前記図３５（ｂ１）のように、乗入れ元である１円貯玉の累積値に、今回使用した５００玉を加算する。
【０４６５】
一方、Ｓ５１１２で仮加算後の累積値が乗入れ元レートの上限値を超える（ＮＯ）と判定した場合には、仮加算前の累積値が、記憶している乗入れ元レートの上限値に達しているか否かを判定する（Ｓ５１１４）。
【０４６６】
このＳ５１１４で仮加算前の累積値（例えば２５００玉）が乗入れ元レート（例えば１円）の上限値（例えば２５００玉）に達している（ＹＥＳ）と判定した場合には、乗入れ払出制限処理を行って（Ｓ５１１６）、上限判定を終了する。この乗入れ払出制限処理では、乗入れ払出の実行を制限（例えば禁止）し、その旨を報知（例えば表示部３１２に、『上限値に達しているため、乗入れ払出ができません』と表示）する。
【０４６７】
一方、Ｓ５１１４で仮加算前の累積値（例えば２２００玉）が乗入れ元レート（例えば１円）の上限値（例えば２５００玉）に達していない（ＮＯ）と判定した場合には、部分乗入れ処理を行って（Ｓ５１１５）、上限判定及び乗入れ払出を終了する。この部分乗入れ処理は、上限値に達するまでの範囲内で乗入れ払出を実行するものであり、使用する他レートの貯玉数（例えば１円貯玉３００玉）に対応する自台レートの玉（例えば４円玉７５玉）を付与し、その旨を報知（例えば表示部３１２に、『上限値に達するので、部分乗入れを行います』と表示）する。そして、記憶している乗入れ元レートの累積値に、該使用した玉数を加算する。
【０４６８】
例えば、図３７（ａ１）のように、１円貯玉の累積値が２２００玉である状態で、前記Ｓ５１１１の仮加算を行うと、仮加算後の累積値が２７００玉となり、上限値である２５００玉を超えるので、１円貯玉３００玉のみを使用する部分乗入れを行って、４円玉７５玉を付与する。ここで７５玉は、払出単位である２５玉の整数倍なので、すべてがパチンコ機２から払い出される。そして、図３７（ｂ１）のように、乗入れ元である１円貯玉の累積値に、今回使用した３００玉を加算する。これにより、１円貯玉の累積値が２５００玉となるので、次回乗入れ払出を行おうとしても、前記Ｓ５１１４でＹＥＳと判定されて、乗入れ払出は行われない。
【０４６９】
このように、上限値に達するまでの範囲内で部分乗入れを実行するので、遊技者が不利益を被ることなく遊技をさせることができる。また、該部分乗入れの実行を特定可能に報知するので、遊技者に不信感を与えることを防止できる。
【０４７０】
図３６に戻り、判定基準が乗入れ先基準である場合には（Ｓ５１０２でＹＥＳ）、乗入れ先レートの累積値に、今回付与数を仮加算する（Ｓ５１２１）。例えば、前記図３５（ｂ２）のように、４円ユニットにおいて１円貯玉からの乗り入れを行う場合には、乗入れ先である４円貯玉の累積値に、今回付与する１２５玉を仮加算する。そして、該仮加算後の累積値が、前記図３４のＤ５００２で設定されてカードユニット３で記憶している乗入れ元レートの上限値以下であるか否かを判定する（Ｓ５１２２）。
【０４７１】
このＳ５１２２で仮加算後の累積値（例えば１２５玉）が乗入れ先レート（例えば４円）の上限値（例えば２５００玉）以下である（ＹＥＳ）と判定した場合には、全部乗入れ処理を行って（Ｓ５１２３）、上限判定及び乗入れ払出を終了する。この全部乗入れ処理では、他レートの貯玉数（例えば１円貯玉５００玉）を使用して、そのすべてに対応する自台レートの玉（例えば４円玉１２５玉）を付与する。そして、記憶している乗入れ先レートの累積値に、該付与した玉数を加算する。例えば、前記図３５（ｂ２）のように、乗入れ先である４円貯玉の累積値に、今回付与した１２５玉を加算する。
【０４７２】
一方、Ｓ５１２２で仮加算後の累積値が乗入れ先レートの上限値を超える（ＮＯ）と判定した場合には、仮加算前の累積値が、記憶している乗入れ先レートの上限値に達しているか否かを判定する（Ｓ５１２４）。
【０４７３】
このＳ５１２４で仮加算前の累積値（例えば２５００玉）が乗入れ先レート（例えば４円）の上限値（例えば２５００玉）に達している（ＹＥＳ）と判定した場合には、乗入れ払出制限処理を行って（Ｓ５１２６）、上限判定を終了する。この乗入れ払出制限処理は、前記Ｓ５１１６と同じである。
【０４７４】
一方、Ｓ５１２４で仮加算前の累積値（例えば２４００玉）が乗入れ先レート（例えば４円）の上限値（例えば２５００玉）に達していない（ＮＯ）と判定した場合には、部分乗入れ処理を行って（Ｓ５１２５）、上限判定及び乗入れ払出を終了する。この部分乗入れ処理は、上限値に達するまでの範囲内で乗入れ払出を実行するものであり、使用する他レートの貯玉数（例えば１円貯玉４００玉）に対応する自台レートの玉（例えば４円玉１００玉）を付与し、その旨を報知（例えば表示部３１２に、『上限値に達するので、部分乗入れを行います』と表示）する。そして、記憶している乗入れ先レートの累積値に、該付与した玉数を加算する。
【０４７５】
例えば、図３７（ａ２）のように、４円貯玉の累積値が２４００玉である状態で、前記Ｓ５１２１の仮加算を行うと、仮加算後の累積値が２５２５玉となり、上限値である２５００玉を超えるので、１円貯玉４００玉のみを使用する部分乗入れを行って、４円玉１００玉を付与する。ここで１００玉は、払出単位である２５玉の整数倍なので、すべてがパチンコ機２から払い出される。そして、図３７（ｂ２）のように、乗入れ先である４円貯玉の累積値に、今回付与した１００玉を加算する。これにより、４円貯玉の累積値が２５００玉となるので、次回乗入れ払出を行おうとしても、前記Ｓ５１２４でＹＥＳと判定されて、乗入れ払出は行われない。
【０４７６】
図３６に戻り、判定基準が合計基準である場合には（Ｓ５１０２でＮＯ）、各レート合計の累積値に、今回使用数と今回付与数を仮加算する（Ｓ５１３１）。例えば、前記図３５（ｂ３）のように、４円ユニットにおいて１円貯玉からの乗り入れを行う場合には、合計の累積値に、今回使用する５００玉と今回付与する１２５玉とを仮加算する。そして、該仮加算後の累積値が、前記図３４のＤ５００２で設定されてカードユニット３で記憶している共通の上限値以下であるか否かを判定する（Ｓ５１３２）。
【０４７７】
このＳ５１３２で仮加算後の累積値（例えば６２５玉）が共通の上限値（図示していないが、例えば２５００玉）以下である（ＹＥＳ）と判定した場合には、全部乗入れ処理を行って（Ｓ５１３３）、上限判定及び乗入れ払出を終了する。この全部乗入れ処理では、他レートの貯玉数（例えば１円貯玉５００玉）を使用して、そのすべてに対応する自台レートの玉（例えば４円玉１２５玉）を付与する。そして、記憶している乗入れ元レートの累積値に、該使用した玉数を加算し、乗入れ先レートの累積値に、該付与した玉数を加算し、合計の累積値に、使用した玉数と付与した玉数を加算する。例えば、前記図３５（ｂ２）のように、乗入れ元である１円貯玉の累積値に、今回使用した５００玉を加算し、乗入れ先である４円貯玉の累積値に、今回付与した１２５玉を加算し、合計の累積値に、該５００玉と１２５玉を加算する。
【０４７８】
一方、Ｓ５１３２で仮加算後の累積値が上限値を超える（ＮＯ）と判定した場合には、仮加算前の累積値が、記憶している合計の上限値に達しているか否かを判定する（Ｓ５１３４）。
【０４７９】
このＳ５１３４で仮加算前の累積値（例えば２５００玉）が共通の上限値（例えば２５００玉）に達している（ＹＥＳ）と判定した場合には、乗入れ払出制限処理を行って（Ｓ５１３６）、上限判定を終了する。この乗入れ払出制限処理は、前記Ｓ５１１６と同じである。
【０４８０】
一方、Ｓ５１３４で仮加算前の累積値（例えば２４００玉）が共通の上限値（例えば２５００玉）に達していない（ＮＯ）と判定した場合には、部分乗入れ処理を行って（Ｓ５１３５）、上限判定及び乗入れ払出を終了する。この部分乗入れ処理は、上限値に達するまでの範囲内で乗入れ払出を実行するものであり、使用する他レートの貯玉数（例えば１円貯玉８０玉）に対応する自台レートの玉（例えば４円玉２０玉）を付与し、その旨を報知（例えば表示部３１２に、『上限値に達するので、部分乗入れを行います』と表示）する。具体的に、使用する他レートの貯玉数Ｘと付与する自台レートの払出玉数Ｙは、
・他レート１円×貯玉数Ｘ＝自台レート４円×払出玉数Ｙ
・累積値２４００玉＋貯玉数Ｘ＋払出玉数Ｙ＝上限値２５００玉
の連立方程式の解である。そして、記憶している乗入れ元レートの累積値に、該使用した玉数を加算し、乗入れ先レートの累積値に、該付与した玉数を加算し、合計の累積値に、使用した玉数と付与した玉数を加算する。
【０４８１】
例えば、図３７（ａ３）のように、合計の累積値が２４００玉である状態で、前記Ｓ５１３１の仮加算を行うと、仮加算後の累積値が３０２５玉となり、上限値である２５００玉を超えるので、１円貯玉８０玉のみを使用する部分乗入れを行って、４円玉２０玉を付与する。ここで２０玉は、払出単位である２５玉の整数倍ではないので、計数・端数払出ユニット３４０から払い出される。そして、図３７（ｂ３）のように、乗入れ元である１円貯玉の累積値に、今回使用した８０玉を加算し、乗入れ先である４円貯玉の累積値に、今回付与した２０玉を加算し、合計の累積値に、該８０玉と２０玉を加算する。これにより、合計の累積値が２５００玉となるので、次回乗入れ払出を行おうとしても、前記Ｓ５１３４でＹＥＳと判定されて、乗入れ払出は行われない。
【０４８２】
図３８は、第４実施形態に係る遊技用システム１において、カードユニット３が実行する上限判定処理の、累計ver.の変形例を示すフローチャートである。
【０４８３】
この図３８では、前記図３６と同様に、まず、記憶している判定基準が、乗入れ元基準であるか（Ｓ５１０１でＹＥＳ），乗入れ先基準であるか（Ｓ５１０２でＹＥＳ），合計基準であるか（Ｓ５１０２でＮＯ）を判定する。
【０４８４】
判定基準が乗入れ元基準である場合には（Ｓ５１０１でＹＥＳ）、乗入れ元レートの累積値が、前記図３４のＤ５００２で設定されてカードユニット３で記憶している乗入れ元レートの上限値に達しているか否かを判定する（Ｓ５１１１’）。このＳ５１１１’で乗入れ元レートの累積値が乗入れ元レートの上限値に達している（ＹＥＳ）と判定した場合には、乗入れ払出制限処理を行って（Ｓ５１１２’）、上限判定を終了する。この乗入れ払出制限処理は、前記Ｓ５１１６と同じである。
【０４８５】
一方、Ｓ５１１１’で乗入れ元レートの累積値が乗入れ元レートの上限値に達していない（ＹＥＳ）と判定した場合には、乗入れ元レートの累積値に、今回使用数を仮加算する（Ｓ５１１３’）。この仮加算は、前記Ｓ５１１１と同じである。そして、該仮加算後の累積値が、乗入れ元レートの上限値以下であるか否かを判定する（Ｓ５１１４’）。
【０４８６】
このＳ５１１４’で仮加算後の累積値が乗入れ元レートの上限値以下である（ＹＥＳ）と判定した場合には、全部乗入れ処理を行って（Ｓ５１１５’）、上限判定及び乗入れ払出を終了する。この全部乗入れ処理は、前記Ｓ５１１３と同じである。
【０４８７】
一方、Ｓ５１１４’で仮加算後の累積値が乗入れ元レートの上限値を超える（ＮＯ）と判定した場合には、部分乗入れ処理を行って（Ｓ５１１６’）、上限判定及び乗入れ払出を終了する。この部分乗入れ処理は、前記Ｓ５１１５と同じである。
【０４８８】
判定基準が乗入れ先基準である場合には（Ｓ５１０２でＹＥＳ）、乗入れ先レートの累積値が、前記図３４のＤ５００２で設定されてカードユニット３で記憶している乗入れ先レートの上限値に達しているか否かを判定する（Ｓ５１２１’）。このＳ５１２１’で乗入れ先レートの累積値が乗入れ先レートの上限値に達している（ＹＥＳ）と判定した場合には、乗入れ払出制限処理を行って（Ｓ５１２２’）、上限判定を終了する。この乗入れ払出制限処理は、前記Ｓ５１２６と同じである。
【０４８９】
一方、Ｓ５１２１’で乗入れ先レートの累積値が乗入れ先レートの上限値に達していない（ＹＥＳ）と判定した場合には、乗入れ先レートの累積値に、今回付与数を仮加算する（Ｓ５１２３’）。この仮加算は、前記Ｓ５１２１と同じである。そして、該仮加算後の累積値が、乗入れ先レートの上限値以下であるか否かを判定する（Ｓ５１２４’）。
【０４９０】
このＳ５１２４’で仮加算後の累積値が乗入れ先レートの上限値以下である（ＹＥＳ）と判定した場合には、全部乗入れ処理を行って（Ｓ５１２５’）、上限判定及び乗入れ払出を終了する。この全部乗入れ処理は、前記Ｓ５１２３と同じである。
【０４９１】
一方、Ｓ５１２４’で仮加算後の累積値が乗入れ先レートの上限値を超える（ＮＯ）と判定した場合には、部分乗入れ処理を行って（Ｓ５１２６’）、上限判定及び乗入れ払出を終了する。この部分乗入れ処理は、前記Ｓ５１２５と同じである。
【０４９２】
判定基準が合計基準である場合には（Ｓ５１０２でＮＯ）、合計の累積値が、前記図３４のＤ５００２で設定されてカードユニット３で記憶している共通の上限値に達しているか否かを判定する（Ｓ５１３１’）。このＳ５１３１’で合計の累積値が共通の上限値に達している（ＹＥＳ）と判定した場合には、乗入れ払出制限処理を行って（Ｓ５１３２’）、上限判定を終了する。この乗入れ払出制限処理は、前記Ｓ５１３６と同じである。
【０４９３】
一方、Ｓ５１３１’で合計の累積値が共通の上限値に達していない（ＹＥＳ）と判定した場合には、合計の累積値に、今回使用数と今回付与数を仮加算する（Ｓ５１３３’）。この仮加算は、前記Ｓ５１３１と同じである。そして、該仮加算後の累積値が、共通の上限値以下であるか否かを判定する（Ｓ５１３４’）。
【０４９４】
このＳ５１３４’で仮加算後の累積値が共通の上限値以下である（ＹＥＳ）と判定した場合には、全部乗入れ処理を行って（Ｓ５１３５’）、上限判定及び乗入れ払出を終了する。この全部乗入れ処理は、前記Ｓ５１３３と同じである。
【０４９５】
一方、Ｓ５１３４’で仮加算後の累積値が共通の上限値を超える（ＮＯ）と判定した場合には、部分乗入れ処理を行って（Ｓ５１３６’）、上限判定及び乗入れ払出を終了する。この部分乗入れ処理は、前記Ｓ５１３５と同じである。
【０４９６】
この図３８に示す変形例によれば、累積値が既に上限値に達している場合には、直ちに乗入れ払出制限処理が行われ、仮加算を行わなくて済むので、処理負荷が軽減される。
【０４９７】
以上の説明では、使用した貯玉数や付与した貯玉数を累積した累積値を管理し、該累積値が上限値に達する場合に乗入れ払出の実行が制限される、累積ver.について説明したが、使用した貯玉数や付与した貯玉数を上限値から減算した残数を管理し、該残数が０になる場合に乗入れ払出の実行が制限される、減算ver.であってもよい。即ち、累積ver.において累積値が上限値に達することと、減算ver.において残数が０になることとは、同じ意味である。以下、図３３（ｂ）と、図３９〜図４２を参照して、減算ver.について説明する。
【０４９８】
図３３（ｂ）の減算ver.の再プレイ消費玉数管理テーブルでは、すべての会員遊技者について、各会員番号に対応付けて、乗入れ元又は乗入れ先となった４円貯玉数の残数と、乗入れ元又は乗入れ先となった１円貯玉数の残数と、該４円貯玉数及び１円貯玉数の残数が、営業当日において管理されている。従って、再プレイ消費玉数管理テーブルの記憶内容は、翌日の営業開始前にはリセットされる。この「残数」は、乗入れ払出における使用数や付与数を、前記図３４のＤ５００２で設定された上限値から減じた値である。
【０４９９】
この再プレイ消費玉数管理テーブルで管理される残数は、前記図３４のＤ５００１において、乗入れ元基準の制限が設定された場合には、乗入れ元となった４円貯玉数及び１円貯玉数を上限値から減じた値であり、また乗入れ先基準の制限が設定された場合には、乗入れ先となった４円貯玉数及び１円貯玉数を上限値から減じた値であり、また合計基準の制限が設定された場合には、乗入れ元並びに乗入れ先となった４円貯玉数及び１円貯玉数を上限値から減じた値である。
【０５００】
ここで会員管理装置１５０は、会員カードが受け付けられたカードユニット３から、当該会員カードの会員番号を受信すると、該受信した会員番号に対応付けて再プレイ消費玉数管理テーブルで管理している４円貯玉数，１円貯玉数，及び合計の残数を、当該カードユニット３に対して返信する。次にカードユニット３は、該受信した再プレイ消費玉数を制御ユニット３２８のＲＡＭ３２８ｂで記憶して、後述する図３９に示すように、再プレイ（通常再プレイ及び乗入れ再プレイ）の実行に伴い、該記憶している残数を減算更新し、該会員カードが返却されると、会員番号と、該記憶している更新後の残数とを特定可能な更新要求を、会員管理装置１５０に対して送信する。そして会員管理装置１５０は、該受信した更新要求から特定される会員番号に対応付けて再プレイ消費玉数管理テーブルで管理している４円貯玉数，１円貯玉数，及び合計の残数を、該更新要求から特定される残数に更新する。即ち、会員管理装置１５０が記憶している再プレイ消費玉数管理テーブルは、カードユニット３で再プレイが実行される毎に更新されるのではなく、カードユニット３から更新要求を受信したことに基づいて更新されるので、通信負荷を低減できる。
【０５０１】
図３９は、第４実施形態に係る遊技用システム１において、再プレイが行われた場合における、カードユニット３が記憶している再プレイ消費玉数の、減算ver.の更新を示す図である。なお、初期状態は、図示しないが、会員番号Ｋ−００００１について、４円残数，１円残数，及び合計残数が、いずれも上限値の２５００である（即ち、この日はまだ再プレイを行っていない）ものとする。
【０５０２】
まず（ａ）は、４円ユニットにおいて、通常再プレイが行われた場合である。この通常再プレイでは、４円貯玉１２５玉を使用して４円玉１２５玉を付与する。よって、基本単価である４円貯玉の残数が２５００であるところから、使用した１２５玉を減算更新して、４円貯玉の残数を２３７５玉とし、合計残数も２３７５玉とする。
【０５０３】
次に（ｂ）は、同じく４円ユニットにおいて、１円貯玉を使用して４円玉を付与する乗入れ再プレイが行われた場合である。この乗入れ再プレイ（全部乗入れ）では、１円貯玉５００玉を使用して４円玉１２５玉を付与する。ここでの更新は、前記図３４のＤ５００１で選択された判定種別によって異なる。
【０５０４】
第１に、乗入れ元基準の場合には、乗入れ元である１円貯玉の残数が２５００であるところから、使用した５００玉を減算更新して、（ｂ１）に示すように、１円貯玉の残数を２０００玉とし、合計残数も２０００玉とする。
【０５０５】
第２に、乗入れ先基準の場合には、乗入れ先である４円貯玉の残数が２５００であるところから、付与した１２５玉を減算更新して、（ｂ２）に示すように、４円貯玉の残数を２３７５玉とし、合計残数も２３７５玉とする。
【０５０６】
第３に、合計基準の場合には、乗入れ先である４円貯玉の残数が２５００であるところから、付与した１２５玉を減算更新し、かつ、乗入れ元である１円貯玉の残数が２５００であるところから、使用した５００玉を減算更新して、（ｂ３）に示すように、４円貯玉の残数を２３７５玉，１円貯玉の残数を２０００玉とし、合計残数を１８７５玉とする。
【０５０７】
次に（ａ’）は、１円ユニットにおいて、通常再プレイが行われた場合である。この通常再プレイでは、１円貯玉２００玉を使用して１円玉２００玉を付与する。よって、基本単価である１円貯玉の残数が２５００であるところから、使用した２００玉を減算更新して、１円貯玉の残数を２３００玉とし、合計残数も２３００玉とする。
【０５０８】
次に（ｂ’）は、同じく１円ユニットにおいて、４円貯玉を使用して１円玉を付与する乗入れ再プレイが行われた場合である。この乗入れ再プレイ（全部乗入れ）では、４円貯玉５０玉を使用して１円玉２００玉を付与する。ここでの更新は、前記図３４のＤ５００１で選択された判定種別によって異なる。
【０５０９】
第１に、乗入れ元基準の場合には、乗入れ元である４円貯玉の残数が２５００であるところから、使用した５０玉を減算更新して、（ｂ１’）に示すように、４円貯玉の残数を２４５０玉とし、合計残数も２４５０玉とする。
【０５１０】
第２に、乗入れ先基準の場合には、乗入れ先である１円貯玉の残数が２５００であるところから、付与した２００玉を減算更新して、（ｂ２’）に示すように、１円貯玉の残数を２３００玉とし、合計残数も２３００玉とする。
【０５１１】
第３に、合計基準の場合には、乗入れ先である１円貯玉の残数が２５００であるところから、付与した２００玉を減算更新し、かつ、乗入れ元である４円貯玉の残数が２５００であるところから、使用した５０玉を減算更新して、（ｂ３’）に示すように、４円貯玉の残数を２４５０玉，１円貯玉の残数を２３００玉とし、合計残数を２２５０玉とする。
【０５１２】
図４０は、第４実施形態に係る遊技用システム１において、カードユニット３が実行する上限判定処理の、減算ver.を示すフローチャートである。この上限判定は、前述の如く、第１実施形態の貯玉払出処理における乗入れ払出（図１５のＳ１３４）、並びに第２，第３実施形態の乗入れ払出（図２１のＳ２０７０，図２２のＳ３０３０）が行われる前に、実行される。
【０５１３】
まず、記憶している判定基準が、乗入れ元基準であるか（Ｓ５２０１でＹＥＳ），乗入れ先基準であるか（Ｓ５２０２でＹＥＳ），合計基準であるか（Ｓ５２０２でＮＯ）を判定する。
【０５１４】
判定基準が乗入れ元基準である場合には（Ｓ５２０１でＹＥＳ）、乗入れ元レートの残数から、今回使用数を仮減算する（Ｓ５２１１）。例えば、前記図３９（ｂ１）のように、４円ユニットにおいて１円貯玉からの乗り入れを行う場合には、乗入れ元である１円貯玉の残数から、今回使用する５００玉を仮減算する。そして、該仮減算後の残数が、０以上であるか否かを判定する（Ｓ５２１２）。
【０５１５】
このＳ５２１２で仮減算後の残数が０以上である（ＹＥＳ）と判定した場合には、全部乗入れ処理を行って（Ｓ５２１３）、上限判定及び乗入れ払出を終了する。この全部乗入れ処理では、他レートの貯玉数（例えば１円貯玉５００玉）を使用して、そのすべてに対応する自台レートの玉（例えば４円玉１２５玉）を付与する。そして、記憶している乗入れ元レートの残数から、該使用した玉数を減算する。例えば、前記図３９（ｂ１）のように、乗入れ元である１円貯玉の残数から、今回使用した５００玉を減算する。
【０５１６】
一方、Ｓ５２１２で仮減算後の残数が０未満である（ＮＯ）と判定した場合には、仮減算前の残数が、０であるか否かを判定する（Ｓ５２１４）。
【０５１７】
このＳ５２１４で仮減算前の残数が０である（ＹＥＳ）と判定した場合には、乗入れ払出制限処理を行って（Ｓ５２１６）、上限判定を終了する。この乗入れ払出制限処理では、乗入れ払出の実行を制限（例えば禁止）し、その旨を報知（例えば表示部３１２に、『上限値に達しているため、乗入れ払出ができません』と表示）する。
【０５１８】
一方、Ｓ５２１４で仮減算前の残数が０ではない（ＮＯ）と判定した場合には、部分乗入れ処理を行って（Ｓ５２１５）、上限判定及び乗入れ払出を終了する。この部分乗入れ処理は、残数が０に達するまでの範囲内で乗入れ払出を実行するものであり、使用する他レートの貯玉数（例えば１円貯玉３００玉）に対応する自台レートの玉（例えば４円玉７５玉）を付与し、その旨を報知（例えば表示部３１２に、『上限値に達するので、部分乗入れを行います』と表示）する。そして、記憶している乗入れ元レートの残数から、該使用した玉数を減算する。
【０５１９】
例えば、図４１（ａ１）のように、１円貯玉の残数が３００玉である状態で、前記Ｓ５２１１の仮減算を行うと、仮減算後の残数が−２００玉となり、０を下回るので、１円貯玉３００玉のみを使用する部分乗入れを行って、４円玉７５玉を付与する。ここで７５玉は、払出単位である２５玉の整数倍なので、すべてがパチンコ機２から払い出される。そして、図４１（ｂ１）のように、乗入れ元である１円貯玉の残数から、今回使用した３００玉を減算する。これにより、１円貯玉の残数が０玉となるので、次回乗入れ払出を行おうとしても、前記Ｓ５２１４でＹＥＳと判定されて、乗入れ払出は行われない。
【０５２０】
このように、残数が０に達するまでの範囲内で部分乗入れを実行するので、遊技者が不利益を被ることなく遊技をさせることができる。また、該部分乗入れの実行を特定可能に報知するので、遊技者に不信感を与えることを防止できる。
【０５２１】
図４０に戻り、判定基準が乗入れ先基準である場合には（Ｓ５２０２でＹＥＳ）、乗入れ先レートの残数から、今回付与数を仮減算する（Ｓ５２２１）。例えば、前記図３９（ｂ２）のように、４円ユニットにおいて１円貯玉からの乗り入れを行う場合には、乗入れ先である４円貯玉の残数から、今回付与する１２５玉を仮減算する。そして、該仮減算後の残数が、０以上であるか否かを判定する（Ｓ５２２２）。
【０５２２】
このＳ５２２２で仮減算後の残数（例えば１２５玉）が０以上である（ＹＥＳ）と判定した場合には、全部乗入れ処理を行って（Ｓ５２２３）、上限判定及び乗入れ払出を終了する。この全部乗入れ処理では、他レートの貯玉数（例えば１円貯玉５００玉）を使用して、そのすべてに対応する自台レートの玉（例えば４円玉１２５玉）を付与する。そして、記憶している乗入れ先レートの残数から、該付与した玉数を減算する。例えば、前記図３９（ｂ２）のように、乗入れ先である４円貯玉の残数から、今回付与した１２５玉を減算する。
【０５２３】
一方、Ｓ５２２２で仮減算後の残数が０未満であると判定した場合には、仮減算前の残数が、０であるか否かを判定する（Ｓ５２２４）。
【０５２４】
このＳ５２２４で仮減算前の残数が０であると判定した場合には、乗入れ払出制限処理を行って（Ｓ５２２６）、上限判定を終了する。この乗入れ払出制限処理は、前記Ｓ５２１６と同じである。
【０５２５】
一方、Ｓ５２２４で仮減算前の残数が０ではない（ＮＯ）と判定した場合には、部分乗入れ処理を行って（Ｓ５２２５）、上限判定及び乗入れ払出を終了する。この部分乗入れ処理は、残数が０に達するまでの範囲内で乗入れ払出を実行するものであり、使用する他レートの貯玉数（例えば１円貯玉４００玉）に対応する自台レートの玉（例えば４円玉１００玉）を付与し、その旨を報知（例えば表示部３１２に、『上限値に達するので、部分乗入れを行います』と表示）する。そして、記憶している乗入れ先レートの残数から、該付与した玉数を減算する。
【０５２６】
例えば、図４１（ａ２）のように、４円貯玉の残数が１００玉である状態で、前記Ｓ５２２１の仮減算を行うと、仮減算後の残数が−２５玉となり、０を下回るので、１円貯玉４００玉のみを使用する部分乗入れを行って、４円玉１００玉を付与する。ここで１００玉は、払出単位である２５玉の整数倍なので、すべてがパチンコ機２から払い出される。そして、図４１（ｂ２）のように、乗入れ先である４円貯玉の残数から、今回付与した１００玉を減算する。これにより、４円貯玉の残数が０玉となるので、次回乗入れ払出を行おうとしても、前記Ｓ５２２４でＹＥＳと判定されて、乗入れ払出は行われない。
【０５２７】
図４０に戻り、判定基準が合計基準である場合には（Ｓ５２０２でＮＯ）、各レート合計の残数から、今回使用数と今回付与数を仮減算する（Ｓ５２３１）。例えば、前記図３９（ｂ３）のように、４円ユニットにおいて１円貯玉からの乗り入れを行う場合には、合計の残数から、今回使用する５００玉と今回付与する１２５玉とを仮減算する。そして、該仮減算後の残数が、０以上であるか否かを判定する（Ｓ５２３２）。
【０５２８】
このＳ５２３２で仮減算後の残数が０以上である（ＹＥＳ）と判定した場合には、全部乗入れ処理を行って（Ｓ５２３３）、上限判定及び乗入れ払出を終了する。この全部乗入れ処理では、他レートの貯玉数（例えば１円貯玉５００玉）を使用して、そのすべてに対応する自台レートの玉（例えば４円玉１２５玉）を付与する。そして、記憶している乗入れ元レートの残数から、該使用した玉数を減算し、乗入れ先レートの残数から、該付与した玉数を減算し、合計の残数から、使用した玉数と付与した玉数を減算する。例えば、前記図３９（ｂ２）のように、乗入れ元である１円貯玉の残数から、今回使用した５００玉を減算し、乗入れ先である４円貯玉の残数から、今回付与した１２５玉を減算し、合計の残数から、該５００玉と１２５玉を減算する。
【０５２９】
一方、Ｓ５２３２で仮減算後の残数が０未満であると判定した場合には、仮減算前の残数が、０であるか否かを判定する（Ｓ５２３４）。
【０５３０】
このＳ５２３４で仮減算前の残数が０である（ＹＥＳ）と判定した場合には、乗入れ払出制限処理を行って（Ｓ５２３６）、上限判定を終了する。この乗入れ払出制限処理は、前記Ｓ５２１６と同じである。
【０５３１】
一方、Ｓ５２３４で仮減算前の残数（例えば１００玉）が０ではない（ＮＯ）と判定した場合には、部分乗入れ処理を行って（Ｓ５２３５）、上限判定及び乗入れ払出を終了する。この部分乗入れ処理は、残数が０に達するまでの範囲内で乗入れ払出を実行するものであり、使用する他レートの貯玉数（例えば１円貯玉８０玉）に対応する自台レートの玉（例えば４円玉２０玉）を付与し、その旨を報知（例えば表示部３１２に、『上限値に達するので、部分乗入れを行います』と表示）する。具体的に、使用する他レートの貯玉数Ｘと付与する自台レートの払出玉数Ｙは、
・他レート１円×貯玉数Ｘ＝自台レート４円×払出玉数Ｙ
・残数１００玉−貯玉数Ｘ−払出玉数Ｙ＝０
の連立方程式の解である。そして、記憶している乗入れ元レートの残数から、該使用した玉数を減算し、乗入れ先レートの残数から、該付与した玉数を減算し、合計の残数から、使用した玉数と付与した玉数を減算する。
【０５３２】
例えば、図４１（ａ３）のように、合計の残数が１００玉である状態で、前記Ｓ５２３１の仮減算を行うと、仮減算後の残数が−５２５玉となり、０を下回るので、１円貯玉８０玉のみを使用する部分乗入れを行って、４円玉２０玉を付与する。ここで２０玉は、払出単位である２５玉の整数倍ではないので、計数・端数払出ユニット３４０から払い出される。そして、図４１（ｂ３）のように、乗入れ元である１円貯玉の残数から、今回使用した８０玉を減算し、乗入れ先である４円貯玉の残数から、今回付与した２０玉を減算し、合計の残数から、該８０玉と２０玉を減算する。これにより、合計の残数が０玉となるので、次回乗入れ払出を行おうとしても、前記Ｓ５２３４でＹＥＳと判定されて、乗入れ払出は行われない。
【０５３３】
図４２は、第４実施形態に係る遊技用システム１において、カードユニット３が実行する上限判定処理の、減算ver.の変形例を示すフローチャートである。
【０５３４】
この図４２では、前記図４０と同様に、まず、記憶している判定基準が、乗入れ元基準であるか（Ｓ５２０１でＹＥＳ），乗入れ先基準であるか（Ｓ５２０２でＹＥＳ），合計基準であるか（Ｓ５２０２でＮＯ）を判定する。
【０５３５】
判定基準が乗入れ元基準である場合には（Ｓ５２０１でＹＥＳ）、乗入れ元レートの残数が、０であるか否かを判定する（Ｓ５２１１’）。このＳ５２１１’で乗入れ元レートの残数が０である（ＹＥＳ）と判定した場合には、乗入れ払出制限処理を行って（Ｓ５２１２’）、上限判定を終了する。この乗入れ払出制限処理は、前記Ｓ５２１６と同じである。
【０５３６】
一方、Ｓ５２１１’で乗入れ元レートの残数が０ではない（ＹＥＳ）と判定した場合には、乗入れ元レートの残数から、今回使用数を仮減算する（Ｓ５２１３’）。この仮減算は、前記Ｓ５２１１と同じである。そして、該仮減算後の残数が、０以上であるか否かを判定する（Ｓ５２１４’）。
【０５３７】
このＳ５２１４’で仮減算後の残数が０以上である（ＹＥＳ）と判定した場合には、全部乗入れ処理を行って（Ｓ５２１５’）、上限判定及び乗入れ払出を終了する。この全部乗入れ処理は、前記Ｓ５２１３と同じである。
【０５３８】
一方、Ｓ５２１４’で仮減算後の残数が０未満である（ＮＯ）と判定した場合には、部分乗入れ処理を行って（Ｓ５２１６’）、上限判定及び乗入れ払出を終了する。この部分乗入れ処理は、前記Ｓ５２１５と同じである。
【０５３９】
判定基準が乗入れ先基準である場合には（Ｓ５２０２でＹＥＳ）、乗入れ先レートの残数が、０であるか否かを判定する（Ｓ５２２１’）。このＳ５２２１’で乗入れ先レートの残数が０である（ＹＥＳ）と判定した場合には、乗入れ払出制限処理を行って（Ｓ５２２２’）、上限判定を終了する。この乗入れ払出制限処理は、前記Ｓ５２２６と同じである。
【０５４０】
一方、Ｓ５２２１’で乗入れ先レートの残数が０ではない（ＹＥＳ）と判定した場合には、乗入れ先レートの残数から、今回付与数を仮減算する（Ｓ５２２３’）。この仮減算は、前記Ｓ５２２１と同じである。そして、該仮減算後の残数が、０以上であるか否かを判定する（Ｓ５２２４’）。
【０５４１】
このＳ５２２４’で仮減算後の残数が０以上である（ＹＥＳ）と判定した場合には、全部乗入れ処理を行って（Ｓ５２２５’）、上限判定及び乗入れ払出を終了する。この全部乗入れ処理は、前記Ｓ５２２３と同じである。
【０５４２】
一方、Ｓ５２２４’で仮減算後の残数が０未満である（ＮＯ）と判定した場合には、部分乗入れ処理を行って（Ｓ５２２６’）、上限判定及び乗入れ払出を終了する。この部分乗入れ処理は、前記Ｓ５２２５と同じである。
【０５４３】
判定基準が合計基準である場合には（Ｓ５２０２でＮＯ）、合計の残数が、０であるか否かを判定する（Ｓ５２３１’）。このＳ５２３１’で合計の残数が０である（ＹＥＳ）と判定した場合には、乗入れ払出制限処理を行って（Ｓ５２３２’）、上限判定を終了する。この乗入れ払出制限処理は、前記Ｓ５２３６と同じである。
【０５４４】
一方、Ｓ５２３１’で合計の残数が０ではない（ＹＥＳ）と判定した場合には、合計の残数から、今回使用数と今回付与数を仮減算する（Ｓ５２３３’）。この仮減算は、前記Ｓ５２３１と同じである。そして、該仮減算後の残数が、０以上であるか否かを判定する（Ｓ５２３４’）。
【０５４５】
このＳ５２３４’で仮減算後の残数が０以上である（ＹＥＳ）と判定した場合には、全部乗入れ処理を行って（Ｓ５２３５’）、上限判定及び乗入れ払出を終了する。この全部乗入れ処理は、前記Ｓ５２３３と同じである。
【０５４６】
一方、Ｓ５２３４’で仮減算後の残数が０未満である（ＮＯ）と判定した場合には、部分乗入れ処理を行って（Ｓ５２３６’）、上限判定及び乗入れ払出を終了する。この部分乗入れ処理は、前記Ｓ５２３５と同じである。
【０５４７】
この図４２に示す変形例によれば、残数が既に０に達している場合には、直ちに乗入れ払出制限処理が行われ、仮減算を行わなくて済むので、処理負荷が軽減される。
【０５４８】
なお、この第４実施形態において、図１８に示す再プレイ可能数や、図２７及び図２８に示す乗入れ払出可能回数は、所有している貯玉数に基づく最高値ではなく、所有している貯玉数に基づいて上限値の範囲内で表示するのが好ましい。例えば、４円ユニットにおいて、１円貯玉が２５００玉ある場合には、乗入れ払出可能回数は最高で５回であるが、乗入れ元基準で１円累積値が既に２０００玉であり上限値が２５００玉である場合には、乗入れ払出可能回数は１回であり、また乗入れ先基準で４円累積値が既に２３７５玉で有り上限値が２５００玉である場合も、乗入れ払出可能回数は１回なので、該１回を表示する。これによれば、遊技者に不信感を与えることを防止できる。
【０５４９】
以上に説明した第４実施形態によれば、乗入れ払出の実行の制限について、乗入れ払出に使用される他レートの貯玉数の累積値が第１の上限値に達する場合に乗入れ払出の実行を制限するか、乗入れ払出により付与される自台レートに対応する玉数の累積値が第２の上限値に達する場合に乗入れ払出の実行を制限するかを、遊技場が条件を設定できるので、好適に営業を行うことを可能にできる。
【０５５０】
［第４実施形態の変形例］
次に、前述した第４実施形態の変形例を挙げる。
【０５５１】
上記の実施形態では、遊技機がパチンコ機２である例について説明したが、これに限らず、該遊技機は、メダルを遊技媒体とするスロットマシンや、遊技媒体であるパチンコ玉が指触不能に封入された封入式のパチンコ機であってもよい。
【０５５２】
上記の実施形態では、付与レートが４円と１円の２種類である例について説明したが、これに限らず、該付与レートは３種類以上であってもよく、この場合には、またがり乗入れ有りでもよい。例えば、４円ユニットにおいて、２円貯玉２００玉と１円貯玉１００玉を使用して４円玉１２５玉を払い出すまたがり乗入れを行う場合において、乗入れ元基準の場合には、乗入れ元である２円貯玉の累積値に２００玉，１円貯玉の累積値に１００玉を加算し、乗入れ先基準の場合には、乗入れ先である４円貯玉の累積値に１２５玉を加算して、上限判定を行う。
【０５５３】
上記の実施形態では、図３４のＤ５００１に示すように、判定種別が、乗入れ元基準，乗入れ先基準，又は合計基準のいずれかから選択される例について説明したが、これに限らず、該判定種別は、乗入れ元基準，又は乗入れ先基準のいずれかから選択されるものであってもよい。即ち、制限種別設定手段は、第１の制限手段（乗入れ元基準）及び第２の制限手段（乗入れ先基準）を含む複数の制限手段のうちのいずれにより乗入れ付与処理の実行の制限を行うかを設定可能なものであればよい。
【０５５４】
上記の実施形態では、図３４のＤ５００１に示すように、判定種別が、乗入れ元基準，乗入れ先基準，又は合計基準のいずれかから選択される例について説明したが、これに限らず、該判定種別は、乗入れ元基準及び乗入れ先基準の両方が設定されるものであってもよい。即ち、合計基準ではなく、乗入れ元基準及び乗入れ先基準の両方で上限判定を行い、乗入れ元基準及び乗入れ先基準の両方をクリアしなければ乗入れ付与処理が実行されないものであってもよい。
【０５５５】
上記の実施形態では、図３４のＤ５００１に示すように、判定種別が、カードユニット３の基本単価によらず共通に設定される例について説明したが、これに限らず、該判定種別は、カードユニット３の基本単価毎に設定可能なものであってもよい。例えば、４円ユニットについては乗入れ元基準，１円ユニットについては乗入れ先基準のように、判定種別を設定してもよい。
【０５５６】
上記の実施形態では、図３４のＤ５００２に示すように、上限値を、遊技場内で一律に適用されるように設定する例について説明したが、これに限らず、該上限値を、遊技機毎や遊技島毎に設定可能としてもよく、例えば人気機種は上限値を低く設定して乗入れ払出があまり行えないようにする一方、不人気機種は上限値を高く設定して稼働を向上させるようにすることができる。この場合には、上限値が低い機種で上限に達しても、上限値が高い機種に台移動すれば、乗入れ払出が行えるようになる。また、該上限値は、会員毎に設定可能としてもよく、例えば優良会員には上限値を高く設定してサービスを向上させるようにすることができる。
【０５５７】
上記の実施形態では、図３４に示すように、制限種別設定手段が会員管理装置１５０に設けられる例について説明したが、これに限らず、該制限種別設定手段がカードユニット３に設けられるようにしてもよい。この場合に、一のカードユニットで設定された内容は、当該カードユニットのみで適用されるのでもよく、同一の遊技島に属するカードユニットや同一の機種に対応するカードユニットにも適用されるのでもよく、さらに遊技場内の全カードユニットにも適用されるのでもよい。
【０５５８】
上記の実施形態では、図３６，図３８，図４０，図４２に示すように、上限判定をカードユニット３で行う例について説明したが、これに限らず、該上限判定を会員管理装置１５０が行うものであってもよい。この場合には、カードユニット３において乗入れ払出が行われる際に、カードユニット３から会員管理装置１５０に対して判定要求が送信され、会員管理装置１５０が上限判定を行った後に、会員管理装置１５０からカードユニット３に対して乗入れ払出の可否を送信する。これによれば、カードユニット３と会員管理装置１５０との通信負荷は増加するが、カードユニット３が、判定種別や上限値を記憶する必要はなく、また会員カードを受け付けた際に再プレイ消費玉数管理テーブル（図３３）の管理内容を取得して記憶する必要がない。
【０５５９】
上記の実施形態では、図３６等に示す全部乗入れ処理において、累積値が上限値を超えても加算更新される例について説明したが、これに限らず、該累積値は、上限値で頭打ちとし、以後は加算更新されないようにしてもよい。
【０５６０】
上記の実施形態では、図３６等に示す部分乗入れ処理における報知や、乗入れ制限処理における報知が、表示部３１２で表示されることにより行われる例について説明したが、これに限らず、該報知は、例えば対応するパチンコ機２や呼出ランプ装置（図示外）での表示や、スピーカからの音声出力等であってもよい。
【０５６１】
上記の実施形態では、図３６等に示す部分乗入れ処理が行われる例について説明したが、該部分乗入れ処理は行われないものであってもよい。また、条件を満たす場合に、自動的に部分乗入れ処理が行われるのではなく、条件を満たし、かつ、遊技者の操作（例えば表示部３１２に表示されるＯＫボタンの操作）が有った場合に、部分乗入れ処理が行われるものであってもよい。
【０５６２】
上記の実施形態では、図３６等の上限判定が、乗入れ再プレイ（乗入れ払出）の際に行われる例について説明したが、これに限らず、該上限判定は、通常再プレイの際にも行われるものであってもよい。
【０５６３】
上記の実施形態では、貯玉の乗入れに適用される例について説明したが、これに限らず、持玉の乗入れに適用してもよい。その場合の上限判定は、持玉と貯玉とで別個に行ってもよく、持玉と貯玉の合算値で行ってもよい。
【０５６４】
上記の実施形態では、図３４のＤ５００１に示すように、選択された判定種別が適用される例について説明したが、例えば該判定種別を選択しない場合には、遊技者に有利となる判定種別が自動的に適用されたり、逆に遊技場に有利となる判定種別が自動的に適用されるものであってもよい。
【０５６５】
上記の実施形態では、乗入れ付与処理の実行の制限が、乗入れ付与処理の実行の禁止である例について説明したが、これに限らず、該制限は、一部の期間における乗入れ付与処理の実行の禁止や、乗入れ付与処理の実行にあたり追加の手数料を支払いを求めるなど、無制限な乗入れ付与処理の実行に対する何らかの制限であればよく、禁止には限定されない。
【０５６６】
［その他の発明］
本願は、以下の発明１〜３も含む。なお、発明１〜３は、相互に組み合わせが可能であり、本願発明とも相互に組み合わせが可能である。
【０５６７】
（発明１）
従来より、特開２０１５−０３９５８７号公報に示す遊技用装置のように、当該遊技用装置に対応する付与レート以外の付与レートの所有価値（例えば持玉数や持メダル数）に応じて、遊技機での遊技に使用可能な当該遊技用装置の付与レートに対応する遊技用価値（例えばパチンコ玉やメダル）を付与するための乗入れ付与処理を行うものにおいて、乗入れ先の付与レートの所有価値毎に、乗入れ元とする付与レートの所有価値の優先順位を予め設定したものが知られている。
【０５６８】
このような遊技用装置においては、遊技場の意向や遊技者の意向に応じて、当該優先順位を好適に設定可能とすることが求められる。
【０５６９】
発明１は、このような背景のもとになされたものであり、その目的は、乗入れ付与処理において乗入れ元とする付与レートの所有価値の優先順位を好適に設定可能な、遊技用装置及び当該遊技用装置を含む遊技用システムを提供することにある。
【０５７０】
本発明は、前記課題を解決するために、次のような手段を採る。なお後述する発明を実施するための形態の説明及び図面で使用した符号を参考のために括弧書きで付記するが、
【０５７１】
まず発明１の手段１は、
遊技機（パチンコ機２，スロットマシン）に対応して設けられる遊技用装置（第１実施形態に係るカードユニット３）を含む遊技用システム（１）であって、
前記遊技用装置は、
遊技者が所有する複数種類の付与レート毎の所有価値（持玉数，貯玉数，持メダル数，貯メダル数，持点数，貯蓄点数）を特定する所有価値特定手段（Ｓ１０３，Ｓ１０４の処理を行うＣＰＵ３２８ａ）と、
当該遊技用装置に対応する付与レート以外の付与レートの前記所有価値に応じて、遊技機での遊技に使用可能な当該遊技用装置の付与レートに対応する遊技用価値（パチンコ玉，メダル，得点）を付与するための乗入れ付与処理（乗入れ払出）を実行する乗入れ付与処理手段（Ｓ２１６，Ｓ２２６，Ｓ２３６の処理を行うＣＰＵ３２８ａ）と、を備え、
前記遊技用システムは、複数種類の付与レートの所有価値のうち、前記乗入れ付与処理において乗入れ元とする付与レートの所有価値の優先順位を設定可能な優先順位設定手段（持玉管理装置１４０の共通優先順位テーブル）をさらに含み、
前記優先順位設定手段は、前記乗入れ付与処理を実行する前記遊技用装置に対応する付与レートが異なる場合であっても共通に、前記優先順位を設定可能であることを特徴とする遊技用システムである。
これによれば、乗入れ付与処理において乗入れ元とする付与レートの所有価値の優先順位を好適に設定可能である。
【０５７２】
また発明１の手段２は、
手段１に記載した遊技用システムであって、
前記優先順位設定手段は、前記遊技用装置が設置されている遊技場の店員が操作可能な店員操作手段（持玉管理装置１４０の入力装置１４６）の操作に応じて前記優先順位を設定可能であることを特徴とする遊技用システムである。
これによれば、遊技場の意向に応じて、優先順位を好適に設定可能である。
【０５７３】
また発明１の手段３は、
手段１に記載した遊技用システムであって、
前記優先順位設定手段は、遊技者が操作可能な遊技者操作手段（カードユニット３の透明タッチパネル３１４）の操作に応じて前記優先順位を設定可能であり、
前記遊技用システムは、該優先順位設定手段により設定された優先順位を、前記遊技者を個々に識別可能な遊技者識別情報に対応付けて管理する優先順位管理手段（持玉管理装置１４０の会員毎優先順位テーブル）をさらに含むことを特徴とする遊技用システムである。
これによれば、遊技者の意向に応じて、優先順位を好適に設定可能である。
【０５７４】
また発明１の手段４は、
手段１〜３のいずれか１つに記載した遊技用システムであって、
前記優先順位設定手段は、複数種類の付与レートの所有価値のうち、該付与レートが高い方から順に、前記優先順位を設定可能である（優先順位設定画面で「高レート優先」を選択すると、付与レートが高い方から順に優先順位が設定される）ことを特徴とする遊技用システムである。
これによれば、乗入れの利便性を向上できる。
【０５７５】
また発明１の手段５は、
手段１〜４のいずれか１つに記載した遊技用システムであって、
複数種類の付与レートの所有価値のうち、前記乗入れ元とする付与レートの所有価値の制限を設定可能な制限設定手段（持玉管理装置１４０の共通優先順位テーブル，会員毎優先順位テー-ブル）をさらに含み、
前記乗入れ付与処理手段は、前記制限設定手段により制限すると設定されている付与レートの所有価値を除いて、前記優先順位設定手段により設定された優先順位の付与レートの所有価値を前記乗入れ元とする、前記乗入れ付与処理を実行する（Ｓ２３０でＹＥＳならば乗入れ付与処理を実行しない）ことを特徴とする遊技用システムである。
これによれば、制限を所望する遊技場や遊技者の意向に沿った乗入れが可能である。
【０５７６】
また発明１の手段６は、
手段１〜５のいずれか１つに記載した遊技用システムであって、
前記優先順位設定手段による設定内容を出力する出力手段（持玉管理装置１４０の表示装置１４７，カードユニット３の表示部３１２）をさらに含むことを特徴とする遊技用システムである。
これによれば、遊技場や遊技者の利便性を向上できる。
【０５７７】
また発明１の手段７は、
手段１〜６のいずれか１つに記載した遊技用システムであって、
前記遊技用装置は、前記所有価値特定手段により特定された所有価値に、当該遊技用装置に対応する付与レートの所有価値がある場合には、前記乗入れ付与処理を実行せずに、該特定された所有価値に応じて前記遊技用価値を付与するための付与処理（Ｓ２１３，Ｓ２２３，Ｓ２３３の処理）を実行し、
前記優先順位設定手段は、当該遊技用装置に対応する付与レート以外の付与レートの所有価値について、前記優先順位を設定可能である（「自台レート優先する」を選択すると、優先順位テーブルで、乗入れ先と異なる付与レートの乗入れ元にのみ、優先順位が設定される）ことを特徴とする遊技用システムである。
これによれば、優先順位を好適に設定可能である。
【０５７８】
また発明１の手段８は、
遊技機（パチンコ機２，スロットマシン）に対応して設けられる遊技用装置（第１実施形態に係るカードユニット３）であって、
遊技者が所有する複数種類の付与レート毎の所有価値（持玉数，貯玉数，持メダル数，貯メダル数，持点数，貯蓄点数）を特定する所有価値特定手段（Ｓ１０３，Ｓ１０４の処理を行うＣＰＵ３２８ａ）と、
当該遊技用装置に対応する付与レート以外の付与レートの前記所有価値に応じて、遊技機での遊技に使用可能な当該遊技用装置の付与レートに対応する遊技用価値（パチンコ玉，メダル，得点）を付与するための乗入れ付与処理（乗入れ払出）を実行する乗入れ付与処理手段（Ｓ２１３，Ｓ２３３，Ｓ２３３の処理を行うＣＰＵ３２８ａ）と、
複数種類の付与レートの所有価値のうち、前記乗入れ付与処理において乗入れ元とする付与レートの所有価値の優先順位を設定するための操作を受け付ける操作手段（カードユニット３の透明タッチパネル３１４）と、を備え、
前記操作手段は、前記乗入れ付与処理を実行する前記遊技用装置に対応する付与レートが異なる場合であっても共通に、前記優先順位を設定するための操作を受付可能であることを特徴とする遊技用装置である。
これによれば、乗入れ付与処理において乗入れ元とする付与レートの所有価値の優先順位を好適に設定可能となる。
【０５７９】
また発明１の手段９は、
手段１〜７のいずれか１つに記載した遊技用システムであって、
前記乗入れ付与処理が実行された履歴を特定可能に集計する乗入れ履歴集計手段（持玉管理装置１４０の乗入れ履歴テーブル）と、
該乗入れ履歴集計手段による集計結果に基づいて特定される乗入れの履歴を出力する乗入れ履歴出力手段（持玉管理装置１４０の表示装置１４７やプリンタ１４８）をさらに含むことを特徴とする遊技用システムである。
これによれば、乗入れの履歴が集計されて出力されるので、該乗入れが行われたか否かを確認でき、該乗入れの履歴を遊技場での営業等に活かすことができる。
【０５８０】
（発明２）
従来より、特開２０１５−３９５８７号公報に示されるように、払い出す遊技媒体の遊技種と異なる遊技種の持遊技媒体若しくは貯遊技媒体の残高を減算して遊技媒体を払い出す乗入れ再プレイが可能な遊技媒体管理システムが開示されている。
【０５８１】
特開２０１５−３９５８７号公報に示されるような従来の技術では、乗入れ付与処理（乗入れ再プレイ）を実行するときの遊技者の利便性が課題となる。
【０５８２】
発明２は、このような背景のもとになされたものであり、その目的は、遊技者の利便性を向上させることにある。
【０５８３】
まず発明２の手段１は、
遊技機（パチンコ機２）に対応して設けられ、遊技媒体（パチンコ玉）を計数する計数手段（計数・端数払出ユニット３４０）を備える遊技用装置（第２，第３実施形態に係るカードユニット３）であって、
計数された遊技媒体数の範囲内で遊技媒体を付与するための計数付与処理（Ｓ１１１０の持玉払出）を実行する計数付与処理手段（制御ユニット３２８）と、
前記遊技機での遊技に使用可能な所有価値（貯玉数）を特定する所有価値特定手段（会員管理装置１５０との通信により会員カードの会員番号に対応した各口座の貯玉数を特定する制御ユニット３２８）と、
当該遊技用装置に対応する付与レート（１玉４円）以外の付与レート（１玉２円，１玉１円）の前記所有価値（貯玉数）に基づいて遊技媒体を付与するための乗入れ付与処理（Ｓ２０７０，Ｓ３０３０の乗入れ払出）を実行する乗入れ付与処理手段（制御ユニット３２８）と、
前記乗入れ付与処理を実行するための乗入れ操作（Ｓ２０３０，Ｓ２０４０，及びＳ２０６０の手順からなる操作）を受け付ける乗入れ操作受付手段（タッチパネル３１４）と、
前記乗入れ操作の途中に遊技媒体が計数されたことに基づいて、前記計数付与処理が実行可能となることを特定可能に報知する報知手段（計数の発生に伴い「持玉を使用できます。」を表示する表示部３１２）と、をさらに備える
ことを特徴とする遊技用装置である。
これによれば、乗入れ付与処理を実行せずとも遊技媒体の付与が可能となることを把握できるため遊技者の利便性を高めることができる。
【０５８４】
また発明２の手段２は、
手段１の遊技用装置であって、
前記計数付与処理が実行されているときは前記乗入れ操作を受け付けたときも前記乗入れ付与処理を実行しない（持玉払出が実行されている期間は、乗入れ操作領域３１２ａの操作が無効となる（乗入れ手続ボタンや乗入れ払出ボタンが表示されない）ことにより、乗入れ払出の実行が禁止される）ことを特徴とする遊技用装置である。
これによれば、計数付与処理及び乗入れ付与処理の両方が実行されることによる遊技者の混乱を防止することができる。
【０５８５】
また発明２の手段３は、
手段１又は２の遊技用装置であって、
前記計数付与処理を実行するための計数付与操作（Ｓ１１００の操作）を受け付ける計数付与操作受付手段（計数プレイボタン３１９）をさらに備え、
前記乗入れ操作の途中において前記計数付与操作を受け付けたときも前記計数付与処理を実行しない（乗入れ手続の途中では、持玉数が０であるか否かによらず、計数プレイＬＥＤ３１９ｂが消灯され、計数プレイボタン３１９の操作が無効となる）ことを特徴とする遊技用装置である。
これによれば、乗入れ操作の途中において計数付与処理が実行されることによる遊技者の混乱を防止することができる。
【０５８６】
また発明２の手段４は、
手段３の遊技用装置であって、
前記乗入れ付与処理が実行された後に、前記計数付与処理を実行可能とする（乗入れ払出が完了するときに、持玉数が０でない場合には計数プレイＬＥＤ３１９ｂが点灯して、計数プレイボタン３１９の操作が有効となることを特徴とする遊技用装置である。
これによれば、遊技者の混乱を防止しつつ計数付与処理を実行可能となる。
【０５８７】
また発明２の手段５は、
手段１〜４から選択されるいずれかの遊技用装置であって、
前記乗入れ付与処理の実行後は、前記乗入れ操作よりも簡易な操作で前記乗入れ付与処理を実行可能とする（一旦Ｓ２０３０及びＳ２０４０の手順を完了すると、２回目以降の乗入れ払出（Ｓ３０３０）では、Ｓ２０３０及びＳ２０４０の手順を要することなく、乗入れ払出ボタンの操作（Ｓ３０２５）のみで乗入れ払出が可能となる）ことを特徴とする遊技用装置である。
これによれば、乗入れ払出が実行されるときの遊技者の利便性を向上させることができる。
【０５８８】
また発明２の手段６は、
遊技機（パチンコ機２）に対応して設けられ、遊技媒体（パチンコ玉）を計数する計数手段（計数・端数払出ユニット３４０）を備える遊技用装置（第２，第３実施形態に係るカードユニット３）と、
前記遊技用装置と通信可能であり、前記遊技機での遊技に使用可能な所有価値を管理する管理装置（会員番号毎に各口座の貯玉数を管理する会員管理装置１５０）と、を含む遊技用システム（１）であって、
前記遊技用装置は、
計数された遊技媒体数の範囲内で遊技媒体を付与するための計数付与処理（Ｓ１１１０の持玉払出）を実行する計数付与処理手段（制御ユニット３２８）と、
前記管理装置が管理する前記所有価値を特定する所有価値特定手段（会員管理装置１５０との通信により会員カードの会員番号に対応した各口座の貯玉数を特定する制御ユニット３２８）と、
当該遊技用装置に対応する付与レート（１玉４円）以外の付与レート（１玉２円，１玉１円）の前記所有価値に基づいて遊技媒体を付与するための乗入れ付与処理（Ｓ２０７０，Ｓ３０３０の乗入れ払出）を実行する乗入れ付与処理手段（制御ユニット３２８）と、
前記乗入れ付与処理を実行するための乗入れ操作（Ｓ２０３０，Ｓ２０４０，及びＳ２０６０の手順からなる操作）を受け付ける乗入れ操作受付手段（タッチパネル３１４）と、
前記乗入れ操作の途中に遊技媒体が計数されたことに基づいて、前記計数付与処理が実行可能となることを特定可能に報知する報知手段（計数の発生に伴い「持玉を使用できます。」を表示する表示部３１２）と、をさらに備える
ことを特徴とする遊技用システムである。
これによれば、乗入れ付与処理を実行せずとも遊技媒体の付与が可能となることを把握できるため遊技者の利便性を高めることができる。
【０５８９】
（発明３）
従来より、特開２０１５−３９５８７号公報に示されるように、払い出す遊技媒体の遊技種と異なる遊技種の持遊技媒体若しくは貯遊技媒体の残高を減算して遊技媒体を払い出す乗入れ再プレイが可能な遊技媒体管理システムが開示されている。
【０５９０】
特開２０１５−３９５８７号公報に示されるような従来の技術では、付与される遊技媒体とは異なる付与レート（遊技種）の遊技媒体数の不足により乗入れ付与処理（乗入れ再プレイ）を実行できない場合があり、遊技者の利便性が課題となる。
【０５９１】
発明３は、このような背景のもとになされたものであり、その目的は、乗入れ付与処理を実行させ易くすることにより、遊技者の利便性を向上させることにある。
【０５９２】
まず発明３の手段１は、
遊技機（パチンコ機２）に対応して設けられ、遊技媒体（パチンコ玉）を計数する計数手段（計数・端数払出ユニット３４０）を備える遊技用装置（第２実施形態に係るカードユニット３）であって、
計数された遊技媒体数（持玉数）の範囲内で遊技媒体を付与するための計数付与処理（Ｓ１１１０の持玉払出）を実行する計数付与処理手段（制御ユニット３２８）と、
前記遊技媒体の計数に基づく所有価値（貯玉数）を特定する所有価値特定手段（会員管理装置１５０との通信により会員カードの会員番号に対応した各口座の貯玉数を特定する制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
操作（タッチ操作）を受け付ける操作受付手段（タッチパネル３１４）と、
所定操作（Ｓ４１１０の貯玉移行ボタンの操作）を受け付けたときに、計数された遊技媒体数（持玉数）の少なくとも一部（例えば１２０玉計数されたうちの５５玉）を当該遊技用装置に対応する付与レートの所有価値（制御ユニット３２８が記憶する基本単価に対応した口座の貯玉数）に移行させるための移行処理（Ｓ４１１１の貯玉移行通知の送信）を実行可能な移行処理手段（制御ユニット３２８）と、をさらに備える
ことを特徴とする遊技用装置である。
これによれば、遊技者の操作により、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【０５９３】
また発明３の手段２は、
遊技機（パチンコ機２）に対応して設けられ、記録媒体（会員カード）を受け付ける記録媒体受付手段（カードＲ／Ｗ３２７）と、遊技媒体（パチンコ玉）を計数する計数手段（計数・端数払出ユニット３４０）を備える遊技用装置（第３実施形態に係るカードユニット３）であって、
計数された遊技媒体数（計数玉数）の範囲内で遊技媒体を付与するための計数付与処理（Ｓ１１１０に相当する計数払出）を実行する計数付与処理手段（制御ユニット３２８）と、
前記遊技媒体の計数に基づく所有価値（貯玉数）を特定する所有価値特定手段（会員管理装置１５０との通信により会員カードの会員番号に対応した各口座の貯玉数を特定する制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
受け付けた記録媒体を返却するときに、計数された遊技媒体数（計数玉数）を当該遊技用装置に対応する付与レートの所有価値（制御ユニット３２８が記憶する基本単価に対応した口座の貯玉数）に移行させるための返却時処理（会員番号及び各口座の計数玉数を含むカード排出通知の送信）を実行する返却時処理手段（制御ユニット３２８）と、
操作（タッチ操作）を受け付ける操作受付手段（タッチパネル３１４）と、
所定操作（Ｓ４１１０の貯玉移行ボタンの操作）を受け付けたときに、前記記録媒体を返却することなく、計数された遊技媒体数（計数玉数）の少なくとも一部（例えば１２０玉計数されたうちの７５玉）を当該遊技用装置に対応する付与レートの所有価値（制御ユニット３２８が記憶する基本単価に対応した口座の貯玉数）に移行させるための移行処理（Ｓ４１１１Ａの貯玉移行通知の送信）を実行可能な移行処理手段（制御ユニット３２８）と、をさらに備える
ことを特徴とする遊技用装置である。
これによれば、遊技者の操作により、記録媒体を返却することなく、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【０５９４】
また発明３の手段３は、
手段１又は２の遊技用装置であって、
前記移行処理（Ｓ４１１１の貯玉移行通知の送信，Ｓ４１１１Ａの貯玉移行通知の送信）が実行されるときに、当該移行処理の対象となる遊技媒体数（Ｓ４１３０で貯玉に移行された持玉数，Ｓ４１３０Ａで貯玉に移行された計数玉数）を表示する第１表示手段（表示部３１２）をさらに備えることを特徴とする遊技用装置である。
これによれば、移行処理の対象となった遊技媒体数を把握することができる。
【０５９５】
また発明３の手段４は、
手段１〜３から選択されるいずれかの遊技用装置であって、
前記移行処理（Ｓ４１１１の貯玉移行通知の送信，Ｓ４１１１Ａの貯玉移行通知の送信）が実行されるときに、前記乗入れ付与処理により付与可能な遊技媒体数（Ｓ４１５０の乗入れ払出可能玉数）を表示する第２表示手段（表示部３１２）をさらに備えることを特徴とする遊技用装置である。
これによれば、乗入れ付与処理により付与可能な遊技媒体数を把握することができる。
【０５９６】
また発明３の手段５は、
手段１〜４から選択されるいずれかの遊技用装置であって、
前記乗入れ付与処理手段（制御ユニット３２８）は、複数の付与レートの所有価値に関する特定条件（乗入れ先口座の貯玉数及び乗入れ元口座の貯玉数に基づいて算出される乗入れ払出可能玉数が１２５以上となること）が成立するときに前記乗入れ付与処理（乗入れ払出）を実行し、
前記移行処理が実行されることで前記特定条件が成立するか否かを判定する判定手段（現在の各口座の貯玉数に基づいて算出される乗入れ払出可能玉数が１２５未満のときに、貯玉移行処理を実行することで乗入れ払出可能玉数が１２５に達するか否かを判定する制御ユニット３２８）と、
前記特定条件が成立すると判定される場合（貯玉移行処理を実行することで乗入れ払出可能玉数が１２５に達する場合）に、前記移行処理に伴い前記乗入れ付与処理が実行可能となることを特定可能に報知する報知手段（Ｓ４０８０で乗入れ操作領域３１２ｂに貯玉移行ボタンを表示すると共に、Ｓ４１００で「貯玉移行で乗入れ可」のメッセージを表示する表示部３１２）と、
をさらに備えることを特徴とする遊技用装置である。
これによれば、移行処理を行うことで乗入れ付与処理が実行可能となることを把握することができる。
【０５９７】
また発明３の手段６は、
手段１〜５から選択されるいずれかの遊技用装置であって、
前記乗入れ付与処理手段（制御ユニット３２８）は、複数の付与レートの所有価値に関する特定条件（乗入れ先口座の貯玉数及び乗入れ元口座の貯玉数に基づいて算出される乗入れ払出可能玉数が１２５以上となること）が成立するときに前記乗入れ付与処理（乗入れ払出）を実行し、
前記移行処理に伴い前記特定条件が成立するために計数されるべき遊技媒体数（貯玉移行処理を実行したときの乗入れ払出可能玉数が１２５に達するために計数が必要な残り玉数）を算出する遊技媒体数算出手段（Ｓ４０４０，Ｓ４０４０Ａにおいて必要計数玉数を算出する制御ユニット３２８）と、
算出された前記遊技媒体数を特定可能な情報を表示する第３表示手段（Ｓ４０４０，Ｓ４０４０Ａにおいて算出した必要計数玉数を表示する表示部３１２）と、
をさらに備えることを特徴とする遊技用装置である。
これによれば、乗入れ付与処理を実行可能とするために計数されるべき遊技媒体数を把握することができる。
【０５９８】
また発明３の手段７は、
手段１〜６から選択されるいずれかの遊技用装置であって、
前記所定操作は、前記乗入れ付与処理を実行するか否かの遊技者の意思を確認するための意思確認操作と共通である（Ｓ４０８０の貯玉移行ボタンは乗入れ操作領域３１２ｂに表示され、これをタッチすることによりＳ４１６０で乗入れ操作領域３１２ｂには乗入れ払出ボタンが有効態様で表示されることになるため、貯玉移行ボタンの操作は乗入れ払出を実行する意思を確認するための操作となっている）ことを特徴とする遊技用装置である。
これによれば、所定操作とは別に意思確認操作を設ける必要が無く、操作が簡素化される。
【０５９９】
また発明３の手段８は、
手段１〜７から選択されるいずれかの遊技用装置であって、
前記所定操作は、前記乗入れ付与処理を実行させる乗入れ付与操作と共通である（変形例（３）に記載のカードユニットでは、乗入れ操作領域３１２ｂに表示された貯玉移行ボタンを操作することにより、貯玉移行処理の実行後に自動的に乗入れ払出が実行される）ことを特徴とする遊技用装置である。
これによれば、所定操作とは別に乗入れ付与操作を設ける必要が無く、操作が簡素化される。
【０６００】
また発明３の手段９は、
遊技機（パチンコ機２）に対応して設けられ、遊技媒体（パチンコ玉）を計数する計数手段（計数・端数払出ユニット３４０）を備える遊技用装置（カードユニット３）と、
前記遊技用装置と通信可能であり、前記遊技媒体の計数に基づく所有価値（貯玉数）を管理する管理装置（会員管理装置１５０）と、を含む遊技用システム（１）であって、
前記遊技用装置は、
計数された遊技媒体数（持玉数）の範囲内で遊技媒体を付与するための計数付与処理（Ｓ１１１０の持玉払出）を実行する計数付与処理手段（制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
操作（タッチ操作）を受け付ける操作受付手段（タッチパネル３１４）と、をさらに備え、
前記遊技用システムは、
所定条件が成立したとき（営業終了時処理が実行されたとき又は景品交換用ＰＯＳ端末１７０に会員カードが挿入されたとき）に、前記遊技用装置において計数された遊技媒体数を当該遊技用装置に対応する付与レートの所有価値に移行する成立時処理（持玉管理装置１４０で管理されていた各口座（４円，２円，１円）の持玉数を、会員管理装置１５０で管理されている各口座（４円，２円，１円）の貯玉数に加算する処理）を実行する成立時処理手段（ＣＰＵ１４２及びＣＰＵ１５２）と、
前記遊技用装置において所定操作（Ｓ４１１０の貯玉移行ボタンの操作）を受け付けたときに、当該遊技用装置において計数された遊技媒体数（持玉数）の少なくとも一部（例えば１２０玉計数されたうちの５５玉）を当該遊技用装置に対応する付与レートの所有価値（制御ユニット３２８が記憶する基本単価に対応した口座の貯玉数）に移行する移行処理（Ｓ４１１１の貯玉移行通知の送信）を実行可能な移行処理手段（制御ユニット３２８）と、を備える
ことを特徴とする遊技用システムである。
これによれば、遊技者の操作により、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【０６０１】
さらに発明３の手段１０は、
遊技機（パチンコ機２）に対応して設けられ、記録媒体（会員カード）を受け付ける記録媒体受付手段（カードＲ／Ｗ３２７）と、遊技媒体（パチンコ玉）を計数する計数手段（計数・端数払出ユニット３４０）を備える遊技用装置（カードユニット３）と、
前記遊技用装置と通信可能であり、前記遊技媒体の計数に基づく所有価値（貯玉数）を管理する管理装置（会員管理装置１５０）と、を含む遊技用システム（１）であって、
前記遊技用装置は、
計数された遊技媒体数（計数玉数）の範囲内で遊技媒体を付与するための計数付与処理（Ｓ１１１０に相当する計数払出）を実行する計数付与処理手段（制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
操作（タッチ操作）を受け付ける操作受付手段（タッチパネル３１４）と、をさらに備え、
前記遊技用システムは、
前記遊技用装置において受け付けた記録媒体を返却するときに、計数された遊技媒体数（計数玉数）を当該遊技用装置に対応する付与レートの所有価値（制御ユニット３２８が記憶する基本単価に対応した口座の貯玉数）に移行する返却時処理（会員番号及び各口座の計数玉数を含むカード排出通知の送信）を実行する返却時処理手段（制御ユニット３２８）と、
前記遊技用装置において所定操作（Ｓ４１１０の貯玉移行ボタンの操作）を受け付けたときに、前記記録媒体を返却することなく、計数された遊技媒体数（計数玉数）の少なくとも一部（例えば１２０玉計数されたうちの７５玉）を当該遊技用装置に対応する付与レートの所有価値（制御ユニット３２８が記憶する基本単価に対応した口座の貯玉数）に移行する移行処理（Ｓ４１１１Ａの貯玉移行通知の送信）を実行可能な移行処理手段（制御ユニット３２８）と、を備える
ことを特徴とする遊技用システムである。
これによれば、遊技者の操作により、記録媒体を返却することなく、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【符号の説明】
【０６０２】
１…遊技用システム
２…パチンコ機
３…カードユニット
１４０…持玉管理装置
１５０…会員管理装置
１７０…景品交換ＰＯＳ端末
【図１】
0006800588.tif 000002
【図２】
0006800588.tif 000003
【図３】
0006800588.tif 000004
【図４】
0006800588.tif 000005
【図５】
0006800588.tif 000006
【図６】
0006800588.tif 000007
【図７】
0006800588.tif 000008
【図８】
0006800588.tif 000009
【図９】
0006800588.tif 000010
【図１０】
0006800588.tif 000011
【図１１】
0006800588.tif 000012
【図１２】
0006800588.tif 000013
【図１３】
0006800588.tif 000014
【図１４】
0006800588.tif 000015
【図１５】
0006800588.tif 000016
【図１６】
0006800588.tif 000017
【図１７】
0006800588.tif 000018
【図１８】
0006800588.tif 000019
【図１９】
0006800588.tif 000020
【図２０】
0006800588.tif 000021
【図２１】
0006800588.tif 000022
【図２２】
0006800588.tif 000023
【図２３】
0006800588.tif 000024
【図２４】
0006800588.tif 000025
【図２５】
0006800588.tif 000026
【図２６】
0006800588.tif 000027
【図２７】
0006800588.tif 000028
【図２８】
0006800588.tif 000029
【図２９】
0006800588.tif 000030
【図３０】
0006800588.tif 000031
【図３１】
0006800588.tif 000032
【図３２】
0006800588.tif 000033
【図３３】
0006800588.tif 000034
【図３４】
0006800588.tif 000035
【図３５】
0006800588.tif 000036
【図３６】
0006800588.tif 000037
【図３７】
0006800588.tif 000038
【図３８】
0006800588.tif 000039
【図３９】
0006800588.tif 000040
【図４０】
0006800588.tif 000041
【図４１】
0006800588.tif 000042
【図４２】
0006800588.tif 000043